(57)【要約】  本発明は、通信方法を開示する。方法は、基地局によって、マシンタイプ通信ＭＴＣサービスのリソース構成情報を取得する段階であって、ＭＴＣサービスのリソース構成情報は、アップリンクＭＴＣリソースについての情報又はダウンリンクＭＴＣリソースについての情報の少なくとも１つを含む、段階と、基地局によって、ＭＴＣサービスのリソース構成情報をＭＴＣ端末に送信する段階と、基地局によって、アップリンクＭＴＣリソース及び／又はダウンリンクＭＴＣリソースにおいてＭＴＣサブフレームを用いることによって、ＭＴＣ端末と共にＭＴＣサービス送信を実行する段階と、を含む。方法によれば、ＭＴＣサービスの遅延要件を満たすことができ、ＭＴＣサービスの通信品質を確保することができる。
2018500840.tif 000002
【特許請求の範囲】
【請求項１】
通信方法であって、
基地局によって、マシンタイプ通信ＭＴＣサービスのリソース構成情報を取得する段階であって、前記ＭＴＣサービスの前記リソース構成情報は、アップリンクＭＴＣリソースについての情報又はダウンリンクＭＴＣリソースについての情報の少なくとも１つを含む、段階と、
前記基地局によって、前記ＭＴＣサービスの前記リソース構成情報をＭＴＣ端末に送信する段階と、
前記基地局によって、前記アップリンクＭＴＣリソース及び／又は前記ダウンリンクＭＴＣリソースにおいてＭＴＣサブフレームを用いることによって、前記ＭＴＣ端末と共にＭＴＣサービス送信を実行する段階と、
を備える方法。
【請求項２】
前記ＭＴＣサブフレームに含まれるシンボルの数は、標準サブフレームに含まれるシンボルの数より少ない、請求項１に記載の方法。
【請求項３】
前記ＭＴＣサービスの前記リソース構成情報は、前記ＭＴＣサブフレームの構成情報をさらに含み、前記ＭＴＣサブフレームの前記構成情報は、前記ＭＴＣサブフレームに含まれるシンボルの数を含む、請求項１又は２に記載の方法。
【請求項４】
前記基地局によって、前記ＭＴＣサブフレームの前記リソース構成情報をＭＴＣ端末に送信する前記段階は、
前記基地局によって、標準サブフレームにおいてＰＤＣＣＨを用いることによって、前記ＭＴＣサブフレームの前記構成情報を前記ＭＴＣ端末に送信する段階、
前記基地局によって、前記標準サブフレームにおいて拡張型ＰＤＣＣＨを用いることによって、前記ＭＴＣサブフレームの前記構成情報を前記ＭＴＣ端末に送信する段階、
前記基地局によって、前記標準サブフレーム及びブロードキャストメッセージを用いることによって、前記ＭＴＣサブフレームの前記構成情報を前記ＭＴＣ端末に送信する段階、又は、
前記基地局によって、前記標準サブフレーム及び無線リソース制御シグナリングを用いることによって、前記ＭＴＣサブフレームの前記構成情報を前記ＭＴＣ端末に送信する段階
を含む、請求項２又は３に記載の方法。
【請求項５】
前記基地局は、マクロ基地局又はスモールセルであり、前記方法は、前記マクロ基地局又は前記スモールセルによって、前記標準サブフレームを用いることによって、非ＭＴＣ端末との通信を実行する段階をさらに備える、請求項２から４のいずれか１項に記載の方法。
【請求項６】
前記方法は、前記基地局によって、前記ＭＴＣサービスのダウンリンク制御情報を前記ＭＴＣ端末に送信する段階をさらに備え、前記ダウンリンク制御情報は、前記ＭＴＣサービスのダウンリンクデータ送信に用いられるリソースについての情報及び／又は前記ＭＴＣサービスのアップリンクデータ送信に用いられるリソースについての情報を示し、前記ＭＴＣサービスのダウンリンクデータ送信に用いられる前記リソースは、前記ダウンリンクＭＴＣリソースに位置し、前記ＭＴＣサービスの前記アップリンクデータ送信に用いられる前記リソースは、前記アップリンクＭＴＣリソースに位置する、請求項１から５のいずれか１項に記載の方法。
【請求項７】
前記基地局によって、前記ダウンリンクＭＴＣリソースにおいてＭＴＣサブフレームを用いることによって、前記ＭＴＣ端末と共にＭＴＣサービス送信を実行する前記段階は、前記基地局によって、前記ＭＴＣサービスのダウンリンクデータ送信に用いられる前記リソースにおいて、送信周期として前記ＭＴＣサブフレームを用いることによって、前記ＭＴＣサービスのダウンリンクデータを前記ＭＴＣ端末に送信する段階を含む、及び／又は
前記基地局によって、前記アップリンクＭＴＣリソースにおいてＭＴＣサブフレームを用いることによって、前記ＭＴＣ端末と共にＭＴＣサービス送信を実行する前記段階は、前記基地局によって、前記ＭＴＣサービスの前記アップリンクデータ送信に用いられる前記リソースにおいて、送信周期として前記ＭＴＣサブフレームを用いることによって、前記ＭＴＣ端末によって送信された前記ＭＴＣサービスの前記アップリンクデータを受信する段階を含む、
請求項６に記載の方法。
【請求項８】
前記基地局によって、前記アップリンクＭＴＣリソース及び／又は前記ダウンリンクＭＴＣリソースにおいてＭＴＣサブフレームを用いることによって、前記ＭＴＣ端末と共にＭＴＣサービス送信を実行する前記段階は、
前記基地局によって、ＭＴＣサービスアップリンク送信に用いられる拡散符号及び／又はＭＴＣサービスダウンリンク送信に用いられる拡散符号を、前記ＭＴＣ端末に送信する段階と、
前記基地局によって、ＭＴＣサービスダウンリンク送信に用いられる前記拡散符号に従って、前記ダウンリンクＭＴＣリソースにおいて、送信周期として前記ＭＴＣサブフレームを用いることによって、前記ＭＴＣサービスのダウンリンクデータを前記ＭＴＣ端末に送信する段階、及び／又は、前記ＭＴＣ端末によって、ＭＴＣサービスアップリンク送信に用いられる前記拡散符号に従って、前記アップリンクＭＴＣリソースにおいて、送信周期として前記ＭＴＣサブフレームを用いることによって送信された前記ＭＴＣサービスのアップリンクデータを、前記基地局によって受信する段階と、
を含む、請求項１から５のいずれか１項に記載の方法。
【請求項９】
前記基地局は、第１のキャリアを用いることによって、前記ＭＴＣサービスの前記リソース構成情報を前記ＭＴＣ端末に送信し、
前記基地局は、第２のキャリアを用いることによって、前記ダウンリンクＭＴＣリソースにおいて、送信周期として前記ＭＴＣサブフレームを用いることによって、前記ＭＴＣサービスのダウンリンクデータを前記ＭＴＣ端末に送信し、
前記基地局は、前記ＭＴＣ端末によって、第３のキャリアを用いることによって、前記アップリンクＭＴＣリソースにおいて、送信周期として前記ＭＴＣサブフレームを用いることによって送信された前記ＭＴＣサービスのアップリンクデータを受信する、請求項１から８のいずれか１項に記載の方法。
【請求項１０】
前記基地局によって、前記ＭＴＣサービスのダウンリンク制御情報を前記ＭＴＣ端末に送信する前記段階は、
前記基地局によって、前記ダウンリンクＭＴＣリソースの物理ダウンリンク制御チャネルＰＤＣＣＨにおいて、送信周期として前記ＭＴＣサブフレームを用いることによって、前記ＭＴＣサービスのダウンリンク制御情報を前記ＭＴＣ端末に送信する段階、又は、
前記基地局によって、前記標準サブフレームの前記ＰＤＣＣＨにおいて、前記ＭＴＣサービスのダウンリンク制御情報を前記ＭＴＣ端末に送信する段階
を含む、請求項６又は７に記載の方法。
【請求項１１】
前記ＭＴＣサブフレームに含まれるシンボルの数は、前記ＭＴＣサービスの送信遅延に従って構成される、請求項１から１０のいずれか１項に記載の方法。
【請求項１２】
前記方法は、ロングタームエボリューションＬＴＥシステムに適用され、
前記アップリンクＭＴＣリソースは、前記ＬＴＥシステムのリソースに位置する、及び／又は、前記ダウンリンクＭＴＣリソースは、前記ＬＴＥシステムの前記リソースに位置する、請求項１から１１のいずれか１項に記載の方法。
【請求項１３】
通信方法であって、
マシンタイプ通信ＭＴＣ端末によって、基地局によって送信されたＭＴＣサービスのリソース構成情報を受信する段階であって、前記ＭＴＣサービスの前記リソース構成情報は、アップリンクＭＴＣリソースについての情報又はダウンリンクＭＴＣリソースについての情報の少なくとも１つを含む、段階と、
前記ＭＴＣ端末によって、前記ＭＴＣサービスの前記リソース構成情報に従って、前記アップリンクＭＴＣリソース及び／又は前記ダウンリンクＭＴＣリソースを決定する段階と、
前記ＭＴＣ端末によって、前記アップリンクＭＴＣリソース及び／又は前記ダウンリンクＭＴＣリソースにおいてＭＴＣサブフレームを用いることによって、前記基地局と共にＭＴＣサービス送信を実行する段階と、
を備える方法。
【請求項１４】
前記ＭＴＣサブフレームに含まれるシンボルの数は、標準サブフレームに含まれるシンボルの数より少ない、請求項１３に記載の方法。
【請求項１５】
前記ＭＴＣサービスの前記リソース構成情報は、前記ＭＴＣサブフレームの構成情報をさらに含み、前記ＭＴＣサブフレームの前記構成情報は、前記ＭＴＣサブフレームに含まれるシンボルの数を含む、請求項１３又は１４に記載の方法。
【請求項１６】
ＭＴＣ端末によって、基地局によって送信された前記ＭＴＣサービスのダウンリンク制御情報を受信する前記段階は、
前記基地局によって、標準サブフレームにおいてＰＤＣＣＨを用いることによって送信された前記ＭＴＣサブフレームの構成情報を、前記ＭＴＣ端末によって受信する段階、
前記基地局によって、前記標準サブフレームにおいて拡張型ＰＤＣＣＨを用いることによって送信された前記ＭＴＣサブフレームの構成情報を、前記ＭＴＣ端末によって受信する段階、
前記基地局によって、前記標準サブフレーム及びブロードキャストメッセージを用いることによって送信された前記ＭＴＣサブフレームの構成情報を、前記ＭＴＣ端末によって受信する段階、又は、
前記基地局によって、前記標準サブフレーム及び無線リソース制御シグナリングを用いることによって送信された前記ＭＴＣサブフレームの構成情報を、前記ＭＴＣ端末によって受信する段階を含む、請求項１４又は１５に記載の方法。
【請求項１７】
前記ＭＴＣ端末によって、前記ダウンリンクＭＴＣリソースにおいてＭＴＣサブフレームを用いることによって、前記基地局と共にＭＴＣサービス送信を実行する前記段階は、
前記ＭＴＣ端末によって、前記基地局によって送信された前記ＭＴＣサービスのダウンリンク制御情報を受信する段階であって、前記ダウンリンク制御情報は、前記ＭＴＣサービスのダウンリンクデータ送信に用いられるリソースについての情報を示し、前記ＭＴＣサービスのダウンリンクデータ送信に用いられる前記リソースは、前記ダウンリンクＭＴＣリソースに位置する、段階と、
前記基地局によって、前記ＭＴＣサービスのダウンリンクデータ送信に用いられる前記リソースにおいて、送信周期として前記ＭＴＣサブフレームを用いることによって、前記ＭＴＣ端末に送信された前記ＭＴＣサービスのダウンリンクデータを、前記ＭＴＣ端末によって受信する段階と、
を含む、請求項１３から１６のいずれか１項に記載の方法。
【請求項１８】
前記ＭＴＣ端末によって、前記アップリンクＭＴＣリソースにおいてＭＴＣサブフレームを用いることによって、前記基地局と共にＭＴＣサービス送信を実行する前記段階は、前記ＭＴＣ端末によって、前記アップリンクＭＴＣリソースにおいて、送信周期として前記ＭＴＣサブフレームを用いることによって、前記ＭＴＣサービスのアップリンクデータを送信する段階を含む、請求項１３から１７のいずれか１項に記載の方法。
【請求項１９】
前記ＭＴＣ端末によって、前記アップリンクＭＴＣリソース及び／又は前記ダウンリンクＭＴＣリソースにおいてＭＴＣサブフレームを用いることによって、前記基地局と共にＭＴＣサービス送信を実行する前記段階は、
前記ＭＴＣ端末によって、前記基地局によって送信された、ＭＴＣサービスアップリンク送信に用いられる拡散符号、及び／又は、前記基地局によって送信された、ＭＴＣサービスダウンリンク送信に用いられる拡散符号を受信する段階と、
前記ＭＴＣ端末によって、ＭＴＣサービスダウンリンク送信に用いられる前記拡散符号に従って、前記ダウンリンクＭＴＣリソースにおいて、送信周期として前記ＭＴＣサブフレームを用いることによって、前記基地局によって送信された前記ＭＴＣサービスのダウンリンクデータを受信する段階、及び／又は、前記ＭＴＣ端末によって、ＭＴＣサービスアップリンク送信に用いられる前記拡散符号に従って、前記アップリンクＭＴＣリソースにおいて、送信周期として前記ＭＴＣサブフレームを用いることによって、前記ＭＴＣサービスのアップリンクデータを前記基地局に送信する段階と、
を含む、請求項１３から１６のいずれか１項に記載の方法。
【請求項２０】
前記ＭＴＣ端末によって、前記基地局によって送信された前記ＭＴＣサービスのダウンリンク制御情報を受信する前記段階は、
前記基地局によって、前記ダウンリンクＭＴＣリソースの物理ダウンリンク制御チャネルＰＤＣＣＨにおいて、送信周期として前記ＭＴＣサブフレームを用いることによって送信された前記ＭＴＣサービスのダウンリンク制御情報を、前記ＭＴＣ端末によって受信する段階、又は、
前記基地局によって、標準サブフレームの前記ＰＤＣＣＨにおいて送信された前記ＭＴＣサービスのダウンリンク制御情報を、前記ＭＴＣ端末によって受信する段階
を含む、請求項１７に記載の方法。
【請求項２１】
前記ＭＴＣサブフレームに含まれるシンボルの数は、前記ＭＴＣサービスの送信遅延に従って構成される、請求項１３から２０のいずれか１項に記載の方法。
【請求項２２】
前記方法は、ロングタームエボリューションＬＴＥシステムに適用され、
前記アップリンクＭＴＣリソースは、前記ＬＴＥシステムのリソースに位置する、及び／又は、前記ダウンリンクＭＴＣリソースは、前記ＬＴＥシステムの前記リソースに位置する、請求項１３から２１のいずれか１項に記載の方法。
【請求項２３】
マシンタイプ通信ＭＴＣサービスのリソース構成情報を取得するように構成される処理ユニットであって、前記ＭＴＣサービスの前記リソース構成情報は、アップリンクＭＴＣリソースについての情報又はダウンリンクＭＴＣリソースについての情報の少なくとも１つを含む、処理ユニットと、
前記ＭＴＣサービスの前記リソース構成情報をＭＴＣ端末に送信し、前記アップリンクＭＴＣリソース及び／又は前記ダウンリンクＭＴＣリソースにおいてＭＴＣサブフレームを用いることによって、前記ＭＴＣ端末と共にＭＴＣサービス送信を実行するように構成される送受信ユニットと、
を備える基地局。
【請求項２４】
前記ＭＴＣサブフレームに含まれるシンボルの数は、標準サブフレームに含まれるシンボルの数より少ない、請求項２３に記載の基地局。
【請求項２５】
前記ＭＴＣサービスの前記リソース構成情報は、前記ＭＴＣサブフレームの構成情報をさらに含み、前記ＭＴＣサブフレームの前記構成情報は、前記ＭＴＣサブフレームに含まれるシンボルの数を含む、請求項２２又は２３に記載の基地局。
【請求項２６】
前記送受信ユニットは、標準サブフレームにおいてＰＤＣＣＨを用いることによって、前記ＭＴＣサブフレームの前記構成情報を前記ＭＴＣ端末に送信するように構成される、
前記送受信ユニットは、前記標準サブフレームにおいて拡張型ＰＤＣＣＨを用いることによって、前記ＭＴＣサブフレームの前記構成情報を前記ＭＴＣ端末に送信するように構成される、
前記送受信ユニットは、前記標準サブフレーム及びブロードキャストメッセージを用いることによって、前記ＭＴＣサブフレームの前記構成情報を前記ＭＴＣ端末に送信するように構成される、又は、
前記送受信ユニットは、前記標準サブフレーム及び無線リソース制御シグナリングを用いることによって、前記ＭＴＣサブフレームの前記構成情報を前記ＭＴＣ端末に送信するように構成される、
請求項２４又は２５に記載の基地局。
【請求項２７】
前記基地局は、マクロ基地局又はスモールセルであり、前記送受信ユニットは、標準サブフレームを用いることによって、非ＭＴＣ端末との通信を実行するようにさらに構成される、請求項２４から２６のいずれか１項に記載の基地局。
【請求項２８】
前記送受信ユニットは、前記ＭＴＣサービスのダウンリンク制御情報を前記ＭＴＣ端末に送信するようにさらに構成され、前記ダウンリンク制御情報は、前記ＭＴＣサービスのダウンリンクデータ送信に用いられるリソースについての情報を示し、前記ＭＴＣサービスのダウンリンクデータ送信に用いられる前記リソースは、前記ダウンリンクＭＴＣリソースに位置し、
前記送受信ユニットは、前記ＭＴＣサービスのダウンリンクデータ送信に用いられる前記リソースにおいて、送信周期として前記ＭＴＣサブフレームを用いることによって、前記ＭＴＣサービスのダウンリンクデータを前記ＭＴＣ端末に送信するようにさらに構成される、
請求項２３から２７のいずれか１項に記載の基地局。
【請求項２９】
前記送受信ユニットは、前記ＭＴＣ端末によって、前記アップリンクＭＴＣリソースにおいて、送信周期として前記ＭＴＣサブフレームを用いることによって送信された前記ＭＴＣサービスのアップリンクデータを受信するようにさらに構成される、請求項２３から２８のいずれか１項に記載の基地局。
【請求項３０】
前記送受信ユニットは、ＭＴＣサービスアップリンク送信に用いられる拡散符号及び／又はＭＴＣサービスダウンリンク送信に用いられる拡散符号を、前記ＭＴＣ端末に送信するようにさらに構成され、
前記送受信ユニットは、ＭＴＣサービスダウンリンク送信に用いられる前記拡散符号に従って、前記ダウンリンクＭＴＣリソースにおいて、送信周期として前記ＭＴＣサブフレームを用いることによって、前記ＭＴＣサービスのダウンリンクデータを前記ＭＴＣ端末に送信する、及び／又は、前記ＭＴＣ端末によって、ＭＴＣサービスアップリンク送信に用いられる前記拡散符号に従って、前記アップリンクＭＴＣリソースにおいて、送信周期として前記ＭＴＣサブフレームを用いることによって送信された前記ＭＴＣサービスのアップリンクデータを受信するようにさらに構成される、
請求項２３から２７のいずれか１項に記載の基地局。
【請求項３１】
前記送受信ユニットは、第１のキャリアを用いることによって、前記ＭＴＣサービスの前記リソース構成情報を前記ＭＴＣ端末に送信し、前記ダウンリンクＭＴＣリソースにおいて、送信周期として前記ＭＴＣサブフレームを用いることによって、前記ＭＴＣサービスのダウンリンクデータを前記ＭＴＣ端末に送信し、前記ＭＴＣ端末によって、第３のキャリアを用いることによって、前記アップリンクＭＴＣリソースにおいて、送信周期として前記ＭＴＣサブフレームを用いることによって送信された前記ＭＴＣサービスの前記アップリンクデータを受信するように構成される、請求項２３から３０のいずれか１項に記載の基地局。
【請求項３２】
前記送受信ユニットは、前記ダウンリンクＭＴＣリソースの物理ダウンリンク制御チャネルＰＤＣＣＨにおいて、送信周期として前記ＭＴＣサブフレームを用いることによって、前記ＭＴＣサービスのダウンリンク制御情報を前記ＭＴＣ端末に送信するように構成される、又は、
前記送受信ユニットは、標準サブフレームの前記ＰＤＣＣＨにおいて、前記ＭＴＣサービスのダウンリンク制御情報を前記ＭＴＣ端末に送信するように構成される、
請求項２８又は２９に記載の基地局。
【請求項３３】
前記ＭＴＣサブフレームに含まれるシンボルの数は、前記ＭＴＣサービスの送信遅延に従って構成される、請求項２３から３２のいずれか１項に記載の基地局。
【請求項３４】
前記基地局は、ロングタームエボリューションＬＴＥシステムに適用され、
前記アップリンクＭＴＣリソースは、前記ＬＴＥシステムのリソースに位置する、及び／又は、前記ダウンリンクＭＴＣリソースは、前記ＬＴＥシステムの前記リソースに位置する、
請求項２３から３３のいずれか１項に記載の基地局。
【請求項３５】
マシンタイプ通信ＭＴＣ端末であって、
基地局によって送信されたＭＴＣサービスのリソース構成情報を受信するように構成される送受信ユニットであって、前記ＭＴＣサービスの前記リソース構成情報は、アップリンクＭＴＣリソースについての情報又はダウンリンクＭＴＣリソースについての情報の少なくとも１つを含む、送受信ユニットと、
前記ＭＴＣサービスの前記リソース構成情報に従って、前記アップリンクＭＴＣリソース及び／又は前記ダウンリンクＭＴＣリソースを決定するように構成される処理ユニットと、
を備え、
前記送受信ユニットは、前記アップリンクＭＴＣリソース及び／又は前記ダウンリンクＭＴＣリソースにおいてＭＴＣサブフレームを用いることによって、前記基地局と共にＭＴＣサービス送信を実行するようにさらに構成される、ＭＴＣ端末。
【請求項３６】
前記ＭＴＣサブフレームに含まれるシンボルの数は、標準サブフレームに含まれるシンボルの数より少ない、請求項３５に記載のＭＴＣ端末。
【請求項３７】
前記ＭＴＣサービスの前記リソース構成情報は、前記ＭＴＣサブフレームの構成情報をさらに含み、前記ＭＴＣサブフレームの前記構成情報は、前記ＭＴＣサブフレームに含まれるシンボルの数を含む、請求項３５又は３６に記載のＭＴＣ端末。
【請求項３８】
前記送受信ユニットは、前記基地局によって、標準サブフレームにおいてＰＤＣＣＨを用いることによって送信された前記ＭＴＣサブフレームの構成情報を受信するように構成される、
前記送受信ユニットは、前記基地局によって、前記標準サブフレームにおいて拡張型ＰＤＣＣＨを用いることによって送信された前記ＭＴＣサブフレームの構成情報を受信するように構成される、
前記送受信ユニットは、前記基地局によって、前記標準サブフレーム及びブロードキャストメッセージを用いることによって送信された前記ＭＴＣサブフレームの構成情報を受信するように構成される、又は、
前記送受信ユニットは、前記基地局によって、前記標準サブフレーム及び無線リソース制御シグナリングを用いることによって送信された前記ＭＴＣサブフレームの構成情報を受信するように構成される、
請求項３６又は３７に記載のＭＴＣ端末。
【請求項３９】
前記送受信ユニットは、前記基地局によって送信された前記ＭＴＣサービスのダウンリンク制御情報を受信するようにさらに構成され、前記ダウンリンク制御情報は、前記ＭＴＣサービスのダウンリンクデータ送信に用いられるリソースについての情報を示し、前記ＭＴＣサービスのダウンリンクデータ送信に用いられる前記リソースは、前記ダウンリンクＭＴＣリソースに位置し、
前記送受信ユニットは、前記基地局によって、前記ＭＴＣサービスのダウンリンクデータ送信に用いられる前記リソースにおいて、送信周期として前記ＭＴＣサブフレームを用いることによって、前記ＭＴＣ端末に送信された前記ＭＴＣサービスのダウンリンクデータを受信するようにさらに構成される、
請求項３５から３８のいずれか１項に記載のＭＴＣ端末。
【請求項４０】
前記送受信ユニットは、前記アップリンクＭＴＣリソースにおいて、送信周期として前記ＭＴＣサブフレームを用いることによって、前記ＭＴＣサービスのアップリンクデータを送信するようにさらに構成される、請求項３５から３９のいずれか１項に記載の基地局。
【請求項４１】
前記送受信ユニットは、前記基地局によって送信された、ＭＴＣサービスアップリンク送信に用いられる拡散符号及び／又は前記基地局によって送信された、ＭＴＣサービスダウンリンク送信に用いられる拡散符号を受信するようにさらに構成され、
前記送受信ユニットは、ＭＴＣサービスダウンリンク送信に用いられる前記拡散符号に従って、前記ダウンリンクＭＴＣリソースにおいて、送信周期として前記ＭＴＣサブフレームを用いることによって、前記基地局によって送信された前記ＭＴＣサービスのダウンリンクデータを受信する、及び／又は、ＭＴＣサービスアップリンク送信に用いられる前記拡散符号に従って、前記アップリンクＭＴＣリソースにおいて、送信周期として前記ＭＴＣサブフレームを用いることによって、前記ＭＴＣサービスのアップリンクデータを前記基地局に送信するようにさらに構成される、請求項３５から３８のいずれか１項に記載のＭＴＣ端末。
【請求項４２】
前記送受信ユニットは、前記基地局によって、前記ダウンリンクＭＴＣリソースの物理ダウンリンク制御チャネルＰＤＣＣＨにおいて、送信周期として前記ＭＴＣサブフレームを用いることによって送信された前記ＭＴＣサービスのダウンリンク制御情報を受信するように構成される、又は、
前記送受信ユニットは、前記基地局によって、標準サブフレームの前記ＰＤＣＣＨにおいて送信された前記ＭＴＣサービスのダウンリンク制御情報を受信するように構成される、
請求項３９に記載のＭＴＣ端末。
【請求項４３】
前記ＭＴＣサブフレームに含まれるシンボルの数は、前記ＭＴＣサービスの送信遅延に従って構成される、請求項３５から４２のいずれか１項に記載のＭＴＣ端末。
【請求項４４】
前記ＭＴＣ端末は、ロングタームエボリューションＬＴＥシステムに適用され、
前記アップリンクＭＴＣリソースは、前記ＬＴＥシステムのリソースに位置する、及び／又は、前記ダウンリンクＭＴＣリソースは、前記ＬＴＥシステムの前記リソースに位置する、
請求項３５から４３のいずれか１項に記載のＭＴＣ端末。
【請求項４５】
請求項２３から３４のいずれか１項に記載の基地局と、
請求項３５から４４のいずれか１項に記載のＭＴＣ端末と、
を備える通信システム。
【発明の詳細な説明】
【技術分野】
【０００１】
本発明は、無線通信技術に関し、詳細には、通信方法、通信システム、及び装置に関する。
【背景技術】
【０００２】
通信技術の進歩により、マシンタイプ通信（ｍａｃｈｉｎｅ  ｔｙｐｅ  ｃｏｍｍｕｎｉｃａｔｉｏｎｓ、ＭＴＣ）がますます普及してきている。無線通信技術は、ＭＴＣにおいてより適用される必要がある。例えば、無線通信は、スマートグリッド、インテリジェント輸送、遠隔医療、及び油田ならびに鉱山モニタリングのような、ＭＴＣのマシン間で実行される必要がある。
【０００３】
従来技術において、ユーザ機器（ｕｓｅｒ  ｅｑｕｉｐｍｅｎｔ、ＵＥ）がアップリンクデータ送信を実行する必要がある場合に、ＵＥは、スケジューリング要求（ｓｃｈｅｄｕｌｉｎｇ  ｒｅｑｕｅｓｔ、ＳＲ）を基地局（ｂａｓｅ  ｓｔａｔｉｏｎ、ＢＳ）に送信する。基地局は、リソース割り当て情報をＵＥに送信する。ＵＥは、リソース割り当て情報に従って割り当てられたリソースにおいて、アップリンクデータ送信を実行する。
【０００４】
従来技術において、アップリンクデータ送信処理の遅延は、比較的長い。いくつかのＭＴＣ適用において、特別な遅延要件が存在する。従来技術におけるアップリンクデータ送信処理の遅延は、ＭＴＣ適用の要件を満たすことができない。
【発明の概要】
【０００５】
本発明は、ＭＴＣサービスの遅延要件を満たすべく、通信方法、通信システム、及び装置を提供する。
【０００６】
本発明の実施形態の第１の態様は、通信方法を提供する。方法は、基地局によって、ＭＴＣサービスのリソース構成情報を取得する段階であって、ＭＴＣサービスのリソース構成情報は、アップリンクＭＴＣリソースについての情報及びダウンリンクＭＴＣリソースについての情報を含む、段階と、基地局によって、ＭＴＣサービスのリソース構成情報をＭＴＣ端末に送信する段階と、基地局によって、ＭＴＣサービスのダウンリンク制御情報をＭＴＣ端末に送信する段階であって、ダウンリンク制御情報は、ＭＴＣサービスのダウンリンクデータ送信に用いられるリソースについての情報を示し、ＭＴＣサービスのダウンリンクデータ送信に用いられるリソースは、ダウンリンクＭＴＣリソースに位置する、段階と、基地局によって、ＭＴＣサービスのダウンリンクデータ送信に用いられるリソースにおいて、送信周期としてＭＴＣサブフレームを用いることによって、ＭＴＣサービスのダウンリンクデータをＭＴＣ端末に送信する段階であって、ＭＴＣサブフレームに含まれるシンボルの数は、ＭＴＣサービスの送信遅延に従って構成される、段階と、ＭＴＣ端末によって、アップリンクＭＴＣリソースにおいて、送信周期としてＭＴＣサブフレームを用いることによって、送信されたＭＴＣサービスのアップリンクデータを受信する段階と、を含む。
【０００７】
本発明の実施形態の第２の態様は、通信方法を提供する。方法は、ＭＴＣ端末によって、基地局によって送信されたＭＴＣサービスのリソース構成情報を受信する段階であって、ＭＴＣサービスのリソース構成情報は、アップリンクＭＴＣリソースについての情報及びダウンリンクＭＴＣリソースについての情報を含む、段階と、基地局によって送信されたＭＴＣサービスのダウンリンク制御情報を、ＭＴＣ端末によって受信する段階であって、ダウンリンク制御情報は、ＭＴＣサービスのダウンリンクデータ送信に用いられるリソースについての情報を示し、ＭＴＣサービスのダウンリンクデータ送信に用いられるリソースは、ダウンリンクＭＴＣリソースに位置する、段階と、基地局によって、ＭＴＣサービスのダウンリンクデータ送信に用いられるリソースにおいて、送信周期としてＭＴＣサブフレームを用いることによってＭＴＣ端末に送信されたＭＴＣサービスのダウンリンクデータを、ＭＴＣ端末によって受信する段階であって、ＭＴＣサブフレームに含まれるシンボルの数は、ＭＴＣサービスの送信遅延に従って構成される、段階と、ＭＴＣ端末によって、アップリンクＭＴＣリソースにおいて、送信周期としてＭＴＣサブフレームを用いることによって、ＭＴＣサービスのアップリンクデータを送信する段階と、を含む。
【０００８】
本発明の実施形態において提供される前述の方法によれば、ＭＴＣ端末がＭＴＣサービスを有する場合、基地局は、アップリンクＭＴＣリソースについての情報及びダウンリンクＭＴＣリソースについての情報をＭＴＣ端末に送信し、ＭＴＣサービスのダウンリンク制御情報をＭＴＣ端末に送信し、これにより、ＭＴＣ端末は、ＭＴＣサービスのダウンリンクデータ送信に用いられるリソース及びＭＴＣサービスのアップリンクデータ送信に用いられるリソースを認識することができ、基地局及びＭＴＣ端末は、ＭＴＣサブフレームにおいてＭＴＣサービスのアップリンクデータ及びダウンリンクデータを送信する。ここで、ＭＴＣサブフレームのシンボルの数は、ＭＴＣサービスの送信遅延を用いることによって構成される。従って、ＭＴＣサービスの遅延要件を満たすことができ、ＭＴＣサービスの通信品質を確保することができる。
【０００９】
本発明の実施形態の第３の態様は、通信方法を提供する。方法は、基地局によって、マシンタイプ通信ＭＴＣサービスのリソース構成情報を取得する段階であって、ＭＴＣサービスのリソース構成情報は、アップリンクＭＴＣリソースについての情報又はダウンリンクＭＴＣリソースについての情報の少なくとも１つを含む、段階と、基地局によって、ＭＴＣサービスのリソース構成情報をＭＴＣ端末に送信する段階と、基地局によって、アップリンクＭＴＣリソース及び／又はダウンリンクＭＴＣリソースにおいてＭＴＣサブフレームを用いることによって、ＭＴＣ端末と共にＭＴＣサービス送信を実行する段階と、を含む。
【００１０】
本発明の実施形態の第４の態様は、通信方法を提供する。方法は、マシンタイプ通信ＭＴＣ端末によって、基地局によって送信されたＭＴＣサービスのリソース構成情報を受信する段階であって、ＭＴＣサービスのリソース構成情報は、アップリンクＭＴＣリソースについての情報又はダウンリンクＭＴＣリソースについての情報の少なくとも１つを含む、段階と、ＭＴＣ端末によって、ＭＴＣサービスのリソース構成情報に従って、アップリンクＭＴＣリソース及び／又はダウンリンクＭＴＣリソースを決定する段階と、ＭＴＣ端末によって、アップリンクＭＴＣリソース及び／又はダウンリンクＭＴＣリソースにおいてＭＴＣサブフレームを用いることによって、基地局と共にＭＴＣサービス送信を実行する段階と、を含む。
【００１１】
本発明の実施形態の第１の態様、第２の態様、第３の態様、又は第４の態様の実装方式において、ＭＴＣサブフレームに含まれるシンボルの数は、標準サブフレームに含まれるシンボルの数より少ない。本実装方式によれば、短送信遅延要件を有するＭＴＣサービスが実装されてよい。
【００１２】
本発明の実施形態の第１の態様、第２の態様、第３の態様、もしくは第４の態様の実装方式において、又は第１の態様、第２の態様、第３の態様、もしくは第４の態様の実装方式のさらなる実装方式において、ＭＴＣサービスのリソース構成情報は、ＭＴＣサブフレームの構成情報をさらに含み、ＭＴＣサブフレームの構成情報は、ＭＴＣサブフレームに含まれるシンボルの数を含む。
【００１３】
本発明の実施形態の第１の態様、第２の態様、第３の態様、もしくは第４の態様の実装方式において、又は第１の態様、第２の態様、第３の態様、もしくは第４の態様の実装方式のさらなる実装方式において、基地局は、標準サブフレームにおけるＰＤＣＣＨ又は拡張型ＰＤＣＣＨを用いることによって、ＭＴＣサブフレームの構成情報をＭＴＣ端末に送信してよい。本実装方式において、基地局は、アップリンクＭＴＣリソースについての情報及びダウンリンクＭＴＣリソースについての情報を、迅速かつフレキシブルに、ＭＴＣ端末に送信してよく、ＭＴＣサービスの送信遅延要件が変化する場合、ＭＴＣサービスのリソース構成情報を迅速に更新してよい。標準サブフレームを用いることによる送信は、既存のシステムの構成を変化させることを必要としなくてよく、既存の通信仕様との互換性を有し、ＭＴＣサービス通信のコストを減少させる。
【００１４】
本発明の実施形態の第１の態様、第２の態様、第３の態様、もしくは第４の態様の実装方式において、又は第１の態様、第２の態様、第３の態様、もしくは第４の態様の実装方式のさらなる実装方式において、基地局は、標準サブフレーム及びブロードキャストメッセージを用いることによって、ＭＴＣサブフレームの構成情報をＭＴＣ端末に送信してよい、又は、標準サブフレーム及び無線リソース制御シグナリングを用いることによって、ＭＴＣサブフレームの構成情報をＭＴＣ端末に送信してよい。本実装方式において、システムのシグナリングオーバヘッドは減少し得る。さらに、標準サブフレームを用いることによる送信は、既存のシステムの構成を変化させることを必要としなくてよく、既存の通信仕様との互換性を有し、ＭＴＣサービス通信のコストを減少させる。
【００１５】
本発明の実施形態の第１の態様、第２の態様、第３の態様、もしくは第４の態様の実装方式において、又は第１の態様、第２の態様、第３の態様、もしくは第４の態様の実装方式のさらなる実装方式において、基地局は、マクロ基地局又はスモールセルであり、マクロ基地局又はスモールセルは、標準サブフレームを用いることによって、非ＭＴＣ端末との通信を実行してよい。基地局は、標準サブフレームを用いることによって、同じ周波数帯で非ＭＴＣ端末との通信を実行してよい。
【００１６】
本発明の実施形態の第１の態様、第２の態様、第３の態様、もしくは第４の態様の実装方式において、又は第１の態様、第２の態様、第３の態様、もしくは第４の態様の実装方式のさらなる実装方式において、基地局は、第１のキャリアを用いることによって、ＭＴＣサービスのリソース構成情報をＭＴＣ端末に送信し、基地局は、第２のキャリアを用いることによって、ＭＴＣサービスのダウンリンクデータ送信に用いられるリソースにおいて、送信周期としてＭＴＣサブフレームを用いることによって、ＭＴＣサービスのダウンリンクデータをＭＴＣ端末に送信し、基地局は、ＭＴＣ端末によって、第３のキャリアを用いることによって、アップリンクＭＴＣリソースにおいて、送信周期としてＭＴＣサブフレームを用いることによって、送信されたＭＴＣサービスのアップリンクデータを受信する。基地局は、システムの周波数リソースを十分に利用すべく、ＭＴＣサービスのリソース構成情報を送信してよく、異なるキャリアにおいて、ＭＴＣサービスのアップリンク及びダウンリンクデータを送信してよい。
【００１７】
本発明の実施形態の第１の態様、第２の態様、第３の態様、もしくは第４の態様の実装方式において、又は第１の態様、第２の態様、第３の態様、もしくは第４の態様の実装方式のさらなる実装方式において、基地局によって、ＭＴＣサービスのダウンリンク制御情報をＭＴＣ端末に送信する段階は、基地局によって、ダウンリンクＭＴＣリソースの物理ダウンリンク制御チャネルＰＤＣＣＨにおいて、送信周期としてＭＴＣサブフレームを用いることによって、ＭＴＣサービスのダウンリンク制御情報をＭＴＣ端末に送信する段階を含む。
【００１８】
本発明の実施形態の第１の態様、第２の態様、第３の態様、もしくは第４の態様の実装方式において、又は第１の態様、第２の態様、第３の態様、もしくは第４の態様の実装方式のさらなる実装方式において、基地局によって、ＭＴＣサービスのダウンリンク制御情報をＭＴＣ端末に送信する段階は、基地局によって、標準サブフレームのＰＤＣＣＨにおいて、ＭＴＣサービスのダウンリンク制御情報をＭＴＣ端末に送信する段階を含む。
【００１９】
本発明の実施形態の第５の態様は、基地局を提供する。基地局は、マシンタイプ通信ＭＴＣサービスのリソース構成情報を取得するように構成される処理ユニットであって、ＭＴＣサービスのリソース構成情報は、アップリンクＭＴＣリソースについての情報及びダウンリンクＭＴＣリソースについての情報を含む、処理ユニットと、ＭＴＣサービスのリソース構成情報をＭＴＣ端末に送信し、ＭＴＣサービスのダウンリンク制御情報をＭＴＣ端末に送信するように構成される送受信ユニットであって、ダウンリンク制御情報は、ＭＴＣサービスのダウンリンクデータ送信に用いられるリソースについての情報を示し、ＭＴＣサービスのダウンリンクデータ送信に用いられるリソースは、ダウンリンクＭＴＣリソースに位置する、送受信ユニットと、を含む。送受信ユニットは、ＭＴＣサービスのダウンリンクデータ送信に用いられるリソースにおいて、送信周期としてＭＴＣサブフレームを用いることによって、ＭＴＣサービスのダウンリンクデータをＭＴＣ端末に送信し、ＭＴＣ端末によって、アップリンクＭＴＣリソースにおいて、送信周期としてＭＴＣサブフレームを用いることによって送信されたＭＴＣサービスのアップリンクデータを受信するようにさらに構成される。ここで、ＭＴＣサブフレームに含まれるシンボルの数は、ＭＴＣサービスの送信遅延に従って構成される。
【００２０】
本発明の実施形態の第６の態様は、ＭＴＣ端末を提供する。ＭＴＣ端末は、基地局によって送信されたＭＴＣサービスのリソース構成情報を受信し、基地局によって送信されたＭＴＣサービスのダウンリンク制御情報を受信するように構成される送受信ユニットと、ＭＴＣサービスのリソース構成情報及びＭＴＣサービスのダウンリンク制御情報に従って、アップリンクＭＴＣリソース及びＭＴＣサービスのダウンリンクデータ送信に用いられるリソースを取得するように構成される処理ユニットと、を含む。ここで、ＭＴＣサービスのリソース構成情報は、アップリンクＭＴＣリソースについての情報及びダウンリンクＭＴＣリソースについての情報を含み、ダウンリンク制御情報は、ＭＴＣサービスのダウンリンクデータ送信に用いられるリソースについての情報を示し、ＭＴＣサービスのダウンリンクデータ送信に用いられるリソースは、ダウンリンクＭＴＣリソースに位置する。送受信ユニットは、基地局によって、ＭＴＣサービスのダウンリンクデータ送信に用いられるリソースにおいて、送信周期としてＭＴＣサブフレームを用いることによって、ＭＴＣ端末に送信されたＭＴＣサービスのダウンリンクデータを受信し、アップリンクＭＴＣリソースにおいて、送信周期としてＭＴＣサブフレームを用いることによって、ＭＴＣサービスのアップリンクデータを送信するようにさらに構成される。ここで、ＭＴＣサブフレームに含まれるシンボルの数は、ＭＴＣサービスの送信遅延に従って構成される。
【００２１】
本発明の実施形態の第７の態様は、基地局を提供する。基地局は、マシンタイプ通信ＭＴＣサービスのリソース構成情報を取得するように構成される処理ユニットであって、ＭＴＣサービスのリソース構成情報は、アップリンクＭＴＣリソースについての情報又はダウンリンクＭＴＣリソースについての情報の少なくとも１つを含む、処理ユニットと、ＭＴＣサービスのリソース構成情報をＭＴＣ端末に送信し、アップリンクＭＴＣリソース及び／又はダウンリンクＭＴＣリソースにおいてＭＴＣサブフレームを用いることによって、ＭＴＣ端末と共にＭＴＣサービス送信を実行するように構成される送受信ユニットと、を含む。
【００２２】
本発明の実施形態の第８の態様は、ＭＴＣ端末を提供する。ＭＴＣ端末は、基地局によって送信されたＭＴＣサービスのリソース構成情報を受信するように構成される送受信ユニットであって、ＭＴＣサービスのリソース構成情報は、アップリンクＭＴＣリソースについての情報又はダウンリンクＭＴＣリソースについての情報の少なくとも１つを含む、送受信ユニットと、ＭＴＣサービスのリソース構成情報に従って、アップリンクＭＴＣリソース及び／又はダウンリンクＭＴＣリソースを決定するように構成される処理ユニットと、を含み、送受信ユニットは、アップリンクＭＴＣリソース及び／又はダウンリンクＭＴＣリソースにおいてＭＴＣサブフレームを用いることによって、基地局と共にＭＴＣサービス送信を実行するようにさらに構成される。
【００２３】
本発明の実施形態の第１の態様、第２の態様、第３の態様、又は第４の態様と同様に、本発明の実施形態において提供される基地局又はＭＴＣ端末によって、ＭＴＣサービスの遅延要件を満たすことができ、ＭＴＣサービスの通信品質を確保することができる。
【００２４】
本発明の実施形態の第９の態様は、通信システムをさらに提供する。通信システムは、ＭＴＣ端末と、基地局と、を含んでよい。
【００２５】
本発明の実施形態の第９の態様の実装方式において、通信システムは、集中制御ノードをさらに含んでよい。基地局は、集中制御ノードから、ＭＴＣサービスのリソース構成情報を要求してよい。
【００２６】
本発明の実施形態の第１０の態様は、コンピュータプログラムをさらに提供する。コンピュータプログラムは、第１の態様、第２の態様ならびに第１の態様及び第２の態様の実装方式において提供される方法を、コンピュータに実行させる。
【００２７】
本発明の実施形態において提供される第１の態様、第２の態様、第３の態様、又は第４の態様の実装方式は、全て、本発明の実施形態において提供される第５の態様から第１０の態様のいずれか１つに適宜適用されてよい。
【００２８】
本発明の実施形態において提供される全ての態様及び全ての実装方式において、標準サブフレームは、ＬＴＥシステムのサブフレームであってよく、標準サブフレームは、１２個又は１４個のシンボルを含んでよい。
【００２９】
本発明の実施形態において提供される全ての態様及び全ての実装方式において、アップリンクＭＴＣリソースは、ＬＴＥシステムのリソースに位置する、及び／又は、ダウンリンクＭＴＣリソースは、ＬＴＥシステムのリソースに位置する。
【図面の簡単な説明】
【００３０】
本発明の実施形態又は従来技術における技術的解決手段をより明確に説明すべく、以下、実施形態又は従来技術の説明に必要な添付図面を簡潔に説明する。以下の説明における添付図面は、本発明のいくつかの実施形態を示しているに過ぎず、当業者であれば、これらの添付図面から、創造的努力がなくとも他の図面をさらに導き出し得ることは明らかである。
【００３１】
【図１】本発明の実施形態に係る通信システムの模式図である。
【００３２】
【図２】本発明の実施形態に係る基地局の模式的構造図である。
【００３３】
【図３】本発明の実施形態に係る端末の模式的構造図である。
【００３４】
【図４】本発明の実施形態に係る通信方法の模式的フローチャートである。
【００３５】
【図４Ｂ】本発明の実施形態に係る通信方法の模式的フローチャートである。
【００３６】
【図５】本発明の実施形態に係るＭＴＣサービスを送信する物理ダウンリンク制御チャネルの模式図である。
【００３７】
【図６】本発明の実施形態に係るＭＴＣサービスのリソース構成情報を送信する模式図である。
【００３８】
【図７】本発明の実施形態に係るＭＴＣサービスのリソース構成情報を送信する模式図である。
【００３９】
【図８】本発明の実施形態に係る通信方法の模式図である。
【００４０】
【図９】本発明の実施形態に係る通信方法の模式図である。
【００４１】
【図１０】本発明の実施形態に係る通信方法の模式図である。
【００４２】
【図１１】本発明の実施形態に係る通信方法の模式図である。
【００４３】
【図１２】本発明の実施形態に係る通信方法の模式図である。
【００４４】
【図１３】本発明の実施形態に係る通信装置の模式的構造図である。
【発明を実施するための形態】
【００４５】
本発明の具体的な技術的解決手段及び目的をより明確にすべく、以下、具体的な実装方式及び添付図面を参照して、明確かつ完全な説明を提供する。説明される実施形態は、本発明の実施形態の全てではなく、その一部に過ぎないことは明らかである。本発明の実施形態に基づいて、当業者によって、創造的努力なく得られた全ての他の実施形態は、本発明の保護範囲に属するものとする。
【００４６】
本発明の実施形態において提供される技術的解決手段は、様々な無線通信ネットワーク、例えば、符号分割多重アクセス（ｃｏｄｅ  ｄｉｖｉｓｉｏｎ  ｍｕｌｔｉｐｌｅ  ａｃｃｅｓｓ、ＣＤＭＡ）ネットワーク、時分割多重アクセス（ｔｉｍｅ  ｄｉｖｉｓｉｏｎ  ｍｕｌｔｉｐｌｅ  ａｃｃｅｓｓ、ＴＤＭＡ）ネットワーク、周波数多重アクセス（ｆｒｅｑｕｅｎｃｙ  ｄｉｖｉｓｉｏｎ  ｍｕｌｔｉｐｌｅ  ａｃｃｅｓｓ、ＦＤＭＡ）ネットワーク、直交周波数分割多重アクセス（ｏｒｔｈｏｇｏｎａｌ  ｆｒｅｑｕｅｎｃｙ−ｄｉｖｉｓｉｏｎ  ｍｕｌｔｉｐｌｅ  ａｃｃｅｓｓ、ＯＦＤＭＡ）ネットワーク、シングルキャリアＦＤＭＡ（ｓｉｎｇｌｅ  ｃａｒｒｉｅｒ  ＦＤＭＡ、ＳＣ−ＦＤＭＡ）ネットワーク、及び他のネットワークに適用されてよい。「ネットワーク」及び「システム」という用語は、互いに交換可能であってよい。ＣＤＭＡネットワークは、ユニバーサル地上無線アクセス（ｕｎｉｖｅｒｓａｌ  ｔｅｒｒｅｓｔｒｉａｌ  ｒａｄｉｏ  ａｃｃｅｓｓ、ＵＴＲＡ）及びＣＤＭＡ２０００のような無線技術を実装してよい。ＵＴＲＡは、ＣＤＭＡ（ＷＣＤＭＡ（登録商標））及びＣＤＭＡの他のバリエーションを含んでよい。ＣＤＭＡ２０００は、暫定標準（ｉｎｔｅｒｉｍ  ｓｔａｎｄａｒｄ、ＩＳ）２０００（ＩＳ−２０００）、ＩＳ−９５標準、及びＩＳ−８５６標準をカバーしてよい。ＴＤＭＡネットワークは、グローバルシステムフォーモバイルコミュニケーション（ｇｌｏｂａｌ  ｓｙｓｔｅｍ  ｆｏｒ  ｍｏｂｉｌｅ  ｃｏｍｍｕｎｉｃａｔｉｏｎ、ＧＳＭ（登録商標））のような無線技術を実装してよい。ＯＦＤＭＡネットワークは、進化型ユニバーサル地上無線アクセス（ｅｖｏｌｖｅｄ  ＵＴＲＡ、Ｅ−ＵＴＲＡ）、ウルトラモバイルブロードバンド（ｕｌｔｒａ  ｍｏｂｉｌｅ  ｂｒｏａｄｂａｎｄ、ＵＭＢ）、ＩＥＥＥ８０２．１１（Ｗｉ‐Ｆｉ）、ＩＥＥＥ８０２．１６（ＷｉＭａｘ）、ＩＥＥＥ８０２．２０、及びフラッシュＯＦＤＭＡのような無線技術を実装してよい。ＵＴＲＡ及びＥ−ＵＴＲＡは、ＵＭＴＳ及びＵＭＴＳの進化型バージョンである。３ＧＰＰは、ロングタームエボリューション（ｌｏｎｇ  ｔｅｒｍ  ｅｖｏｌｕｔｉｏｎ、ＬＴＥ）及びＬＴＥアドバンスド（ＬＴＥ  Ａｄｖａｎｃｅｄ、ＬＴＥ−Ａ）においてＥ−ＵＴＲＡを用いるＵＭＴＳの新しいバージョンである。ＵＴＲＡ、Ｅ−ＵＴＲＡ、ＵＭＴＳ、ＬＴＥ、ＬＴＥ−Ａ、及びＧＳＭ（登録商標）は、３ＧＰＰ標準化機構のドキュメントにおいて記録及び説明される。ＣＤＭＡ２０００及びＵＭＢは、３ＧＰＰ２標準化機構のドキュメントにおいて記録及び説明される。本発明の実施形態において説明される技術は、上述の無線ネットワーク及び無線技術にも適用されてよい。
【００４７】
本発明の実施形態において、ＭＴＣ適用専用ではなく、その標準において規定されるフレーム構造は、標準フレーム構造又は正常フレーム構造と称される。標準フレーム構造に含まれるサブフレームは、標準サブフレーム又は正常サブフレームと称される。例えば、音声又はデータサービスは、既存の通信標準仕様書に規定されるフレーム構造及び既存の通信標準仕様書に規定されるサブフレーム、例えば、３ＧＰＰ  ＧＳＭ（登録商標）仕様書、ＵＭＴＳ仕様書、ＬＴＥ仕様書、３ＧＰＰ２  ＣＤＭＡ仕様書、又はＩＥＥＥ仕様書に規定されるフレーム構造を用いることによって実装される。概して、標準に規定される標準フレーム構造は、遅延要件を含む、音声及びデータのようなユーザのサービスの必要性を満たすことができる。端末がアクセスを標準的に実行し、サービスを実装する処理において、遅延に対するユーザの要件は、非常に高いものではない。標準フレーム構造及び標準サブフレームに従って通信を実行することによって生成される標準遅延（又は、正常遅延と称される）がミリ秒レベルに到達しない場合であっても、ユーザは、正常な利用が影響を受けなければ、標準遅延を受容することができる。しかしながら、標準遅延は、より高い遅延要件を伴ういくつかのＭＴＣ適用には適用不可能である。
【００４８】
例えば、ＬＴＥシステムにおいて、標準フレーム構造では、無線フレームの長さが１０ミリ秒であり、無線フレームは、１０個の標準サブフレームを含む。各標準サブフレームの長さは１ミリ秒（ｍｉｌｌｉｓｅｃｏｎｄ、ｍｓ）であり、標準サブフレームは、１２個又は１４個のシンボルを含む。ＵＥがアップリンクデータを送信する必要がある場合、ＵＥは、標準サブフレームにおいて、ＳＲを基地局に送信する。基地局は、ＳＲを復調し、ＳＲにおける情報を取得するために、３ｍｓを必要とする。次に、基地局は、標準サブフレームにおいて、スケジューリンググラント（ｓｃｈｅｄｕｌｉｎｇ  ｇｒａｎｔ、ＳＧ）をＵＥに送信する。ＵＥは、ＳＧを復調し、ＳＧにおける情報を取得するために３ｍｓを必要とし、次に、ＳＧに従って割り当てられた情報に従って、アップリンクデータを送信する。アップリンクデータが標準サブフレームにおいて送信される場合、標準サブフレームを用いることによってアップリンクデータを送信する処理において、ＵＥによって必要とされる標準遅延は、少なくとも９ｍｓである。高い遅延要件を伴ういくつかのＭＴＣ適用では、例えば、スマートグリッドにおける遅延要件は３ｍｓであり、標準サブフレームは、低遅延の必要性を満たすことができない。
【００４９】
図１に示されるように、本発明の実施形態は、通信システム１０を提供する。通信システム１０は、基地局１１０と、端末（ｔｅｒｍｉｎａｌ）１２０とを含んでよい。端末１２０は、ＭＴＣサブフレームを用いることによって、ＭＴＣサービスを実装してよい。本発明の本実施形態において、ＭＴＣサービスは、短遅延要件を有する。短遅延は、標準遅延より短い。ＭＴＣサービスは、短遅延の必要性を有するサービスの表現名称に過ぎず、任意の短遅延サービスを含んでよい。ＭＴＣサービスは、サービスに対して、何ら制限を有さない。ＭＴＣサブフレームは、サブフレームの名称に対する制限を指すに過ぎず、特定の適用シナリオを制限するものではなく、短遅延要件を有する全てのデータ送信に適用されてよい。従って、ＭＴＣサービスは、短遅延サービスとも称されてよく、ＭＴＣサブフレームは、短サブフレームとも称されてよい。
【００５０】
本発明の本実施形態において、ＭＴＣサブフレームに含まれるシンボルの数は、標準サブフレームに含まれるシンボルの数より少ない。ＭＴＣサブフレームに含まれるシンボルの数は、ＭＴＣサービスによって必要とされる送信遅延に従って構成されてよい。任意に、ＭＴＣサブフレームに含まれるシンボルの数は、必要とされる送信遅延に従って、かつ、スケジューリング遅延又は処理遅延の少なくとも１つを参照して、構成されてよい。ＭＴＣサブフレームに含まれるシンボルの数は、必要とされる送信遅延に正比例してよい。必要とされる送信遅延がより短いことは、シンボルがより少数であることを示す。例えば、ＬＴＥシステムにおいて、標準サブフレームの長さは１ｍｓであり、標準サブフレームに含まれるシンボルの数は、１２又は１４である。従って、本発明の本実施形態におけるＭＴＣサブフレームに含まれるシンボルの数は、１４又は１２より少なくてよく、例えば、その数は２もしくは３であってよく、又は、必要性に従って、１として、もしくは１２より少ない他の数として構成されてよい。本発明の本実施形態において、異なる遅延の必要性を伴うＭＴＣ適用を満たすことができる。
【００５１】
本実施形態において、端末１２０は、短遅延サービスをサポートしてよく、短遅延サービスをサポートする端末と称されてよく、又は、ＭＴＣ端末と称されてよい。端末１２０は、標準サブフレームを用いることによって、データ送信を実行してもよい。従って、端末１２０は、標準遅延又はより長い遅延を伴うデータ送信サービスを、互換可能に実装してよい。
【００５２】
本発明の本実施形態において、端末１２０は、移動局（ｍｏｂｉｌｅ  ｓｔａｔｉｏｎ）、ユーザ機器（ｕｓｅｒ  ｅｑｕｉｐｍｅｎｔ）、加入者ユニット（ｓｕｂｓｃｒｉｂｅｒ  ｕｎｉｔ）、携帯電話（ｃｅｌｌｕｌａｒ  ｐｈｏｎｅ）、スマートフォン（ｓｍａｒｔ  ｐｈｏｎｅ）、無線データカード、パーソナルデジタルアシスタント（ｐｅｒｓｏｎａｌ  ｄｉｇｉｔａｌ  ａｓｓｉｓｔａｎｔ、ＰＤＡ）コンピュータ、タブレットコンピュータ、無線モデム（ｍｏｄｅｍ）、ハンドヘルドデバイス（ｈａｎｄｈｅｌｄ）、ラップトップコンピュータ（ｌａｐｔｏｐ  ｃｏｍｐｕｔｅｒ）、コードレス電話（ｃｏｒｄｌｅｓｓ  ｐｈｏｎｅ）、又は無線ローカルループ（ｗｉｒｅｌｅｓｓ  ｌｏｃａｌ  ｌｏｏｐ、ＷＬＬ）ステーションであってよい。代わりに、端末１２０は、マシン間で通信を実行するための端末デバイス、及び、例えば、位相測定ユニット（ｐｈａｓｏｒ  ｍｅａｓｕｒｅｍｅｎｔ  ｕｎｉｔ、略してＰＭＵ）及び先進測定装置（ａｄｖａｎｃｅｄ  ｍｅｔｅｒ  ｉｎｆｒａｓｔｒｕｃｔｕｒｅ、略してＡＭＩ）のような無線通信機能を有するモノのインターネット端末を含んでよい。
【００５３】
本発明の本実施形態における基地局１１０は、マクロ基地局であってよく、又は、スモールセルのようなアクセスネットワークデバイスであってよい。スモールセルの送信電力及びカバレッジは、両方とも、マクロ基地局のものより小さい。例えば、スモールセルは、ホームエボルブドＮｏｄｅ  Ｂ（ｈｏｍｅ  ｅｖｏｌｖｅｄ  ＮｏｄｅＢ、略してＨｅＮｏｄｅＢ）、マイクロ基地局（ｍｉｃｒｏ  ｂａｓｅ  ｓｔａｔｉｏｎ）、アクセスポイント（ａｃｃｅｓｓ  ｐｏｉｎｔ、ＡＰ）、及びピコ基地局（ｐｉｃｏ  ｂａｓｅ  ｓｔａｔｉｏｎ）であってよい。
【００５４】
図１に示されるように、任意に、通信システム１０は、ＭＴＣサービスをサポートしない端末１３０をさらに含んでよい。短遅延サービスをサポートしない端末１３０は、非ＭＴＣ端末と称されてよい。非ＭＴＣ端末は、標準サブフレームを用いることによって、通信を実行してよい。従って、端末１３０は、標準端末又は従来型端末とも称されてよい。本発明の本実施形態において、基地局１１０は、ＭＴＣサブフレームを用いることによって、ＭＴＣ端末１２０との通信を実行してよく、標準サブフレームを用いることによって、ＭＴＣサービスをサポートしない非ＭＴＣ端末１３０との通信を実行してもよい。任意に、ＭＴＣサブフレームを用いることによって、短遅延サービスをサポートしない端末１２０との通信を実行し、標準サブフレームを用いることによって、短遅延サービスをサポートしない端末１３０との通信を実行する場合、基地局１１０は、同じ周波数帯を用いてよい。
【００５５】
図１に示されるように、通信システム１０は、基地局１４０をさらに含んでよい。基地局１１０及び基地局１４０は、両方ともマクロ基地局、もしくは両方ともスモールセルであってよく、又は、基地局１１０及び基地局１４０の１つがマクロ基地局、他の１つがスモールセルである。基地局１４０は、ＭＴＣサブフレームを用いることによって、ＭＴＣ端末１２０との通信を実行してもよく、標準サブフレームを用いることによって、非ＭＴＣ端末１３０との通信を実行してもよい。通信システム１０は、集中制御ノード１５０、例えば、シングルアクセスネットワークコントローラ（ｓｉｎｇｌｅ  ＲＡＮ  ｃｏｎｔｒｏｌｌｅｒ、ＳＲＣ）をさらに含んでよい。基地局１１０及び基地局１４０は、両方とも、集中制御ノードによって制御されてよい。
【００５６】
図２に示されるように、図２は、本発明の実施形態に係る基地局１１０を示す。基地局１１０は、処理ユニット１１２と、送受信ユニット１１４とを含んでよい。図３に示されるように、図３は、本発明の実施形態に係る端末１２０を示す。端末１２０は、送受信ユニット１２２と、処理ユニット１２４とを含んでよい。本発明の本実施形態において、処理ユニット１１２及び送受信ユニット１１４は基地局１１０に含まれ、処理ユニット１２４及び送受信ユニット１２２は端末１２０に含まれるので、処理ユニット１１２又は送受信ユニット１１４によって実行されるオペレーションは、全て基地局１１０のオペレーションとみなされてよく、処理ユニット１２４又は送受信ユニット１２２によって実行されるオペレーションは、全て端末１２０のオペレーションとみなされてよい。本発明の本実施形態において、基地局１１０の処理ユニット１１２は、基地局１１０のプロセッサによって実装されてよく、送受信ユニット１１４は、基地局１１０の送受信機によって実装されてよい。端末１２０の処理ユニット１２４は、端末１２０のプロセッサによって実装されてよく、送受信ユニット１２２は、端末１２０の送受信機によって実装されてよい。
【００５７】
図４に示されるように、図４は、ＭＴＣサービスを実装するための、本発明の実施形態に係る通信方法を示す。方法は、通信システム１０に適用されてよい。本実施形態において提供される方法は、図２に示される基地局１１０及び図３に示される端末１２０によって実装されてよい。通信方法は、第１に、以下のステップを含むリソース構成方法を含んでよい。
【００５８】
ステップ４０１：基地局１１０は、ＭＴＣサービスのリソース構成情報を取得する。
【００５９】
ＭＴＣサービスのリソース構成情報は、アップリンクＭＴＣリソースについての情報及びダウンリンクＭＴＣリソースについての情報、すなわち、ＭＴＣサービスに用いられるアップリンクリソースを示す情報及び／又はＭＴＣサービスに用いられるダウンリンクリソースを示す情報の少なくとも１つを含む。ＭＴＣサービスに用いられるアップリンクリソースは、ＭＴＣサービスに利用可能なアップリンクリソースを指し、ＭＴＣサービスに用いられるダウンリンクリソースは、ＭＴＣサービスに利用可能なダウンリンクリソースを指す。従って、アップリンクＭＴＣリソースは、利用可能なアップリンクＭＴＣリソースとして理解されてもよく、ダウンリンクＭＴＣリソースは、利用可能なダウンリンクＭＴＣリソースとして理解されてもよい。任意に、基地局１１０の処理ユニット１１２は、ＭＴＣサービスのリソース構成情報を取得するように構成されてよい。ＭＴＣサービスのリソース構成情報は、ＭＴＣサブフレームの構成情報をさらに含んでよい。ＭＴＣサブフレームの構成情報は、ＭＴＣサブフレームに含まれるシンボルの数を含む。基地局１１０がマクロ基地局である場合、基地局１１０は、アップリンクＭＴＣリソース及び／又はダウンリンクＭＴＣリソースを別個に構成してよい。基地局１１０は、ＭＴＣサービスの送信遅延に従って、ＭＴＣサブフレームのシンボルの数を構成してよく、又は、送信遅延と、スケジューリング遅延又は処理遅延の少なくとも１つとに従って、ＭＴＣサブフレームのシンボルの数を構成してよい。代わりに、基地局１１０は、集中制御ノード１５０から、ＭＴＣサービスのリソース構成情報を要求してよい。ＭＴＣサービスのリソース構成情報は、集中制御ノード１５０によって構成され、次に、基地局１１０に送信される。基地局１１０がスモールセルである場合、基地局１１０は、スモールセルに接続されるマクロ基地局又は集中制御ノード１５０から、ＭＴＣサービスのリソース構成情報を要求してよい。ＭＴＣサービスのリソース構成情報は、集中制御ノード１５０又はマクロ基地局によって構成され、次に、基地局１１０に送信される。
【００６０】
基地局１１０のカバレッジにおける端末がＭＴＣサービス要件を有することを認識した場合、基地局１１０は、ＭＴＣサービスのリソース構成情報を構成する、又は、ＭＴＣサービスのリソース構成情報を要求する。
【００６１】
ＭＴＣサービスが異なる送信遅延要件を必要とする場合、基地局１１０は、異なる送信遅延に従って、ＭＴＣサブフレームのシンボルの数を構成し、ＭＴＣサービスの異なる適用シナリオに適応してよい。代わりに、同じＭＴＣ端末に対して、異なる時刻における送信遅延に対するＭＴＣ端末の異なる要件に従って、更新が実行され、ＭＴＣサブフレームのリソース構成情報を取得してよい。
【００６２】
ステップ４０２：基地局１１０は、ＭＴＣサービスのリソース構成情報を端末１２０に送信する。
【００６３】
任意に、基地局１１０の送受信ユニット１１４は、ＭＴＣサービスのリソース構成情報を端末１２０に送信するように構成されてよい。
【００６４】
端末１２０は、基地局１１０によって送信されたＭＴＣサービスのリソース構成情報を受信する。任意に、端末１２０の送受信ユニット１２２は、基地局１１０によって送信されたＭＴＣサービスのリソース構成情報を受信するように構成されてよい。端末１２０の処理ユニット１２４は、ＭＴＣサービスのリソース構成情報に従って、アップリンクＭＴＣリソースについての情報及び／又はダウンリンクＭＴＣリソースについての情報を取得し、ＭＴＣサービスに用いられるアップリンクリソース及び／又はダウンリンクリソースを取得する。
【００６５】
ステップ４０３：基地局１１０は、ＭＴＣサービスのダウンリンク制御情報（ｄｏｗｎｌｉｎｋ  ｃｏｎｔｒｏｌ  ｉｎｆｏｒｍａｔｉｏｎ、ＤＣＩ）を端末１２０に送信する。
【００６６】
ダウンリンク制御情報は、ＭＴＣサービスのダウンリンクデータ送信に用いられるリソースについての情報を示す、及び／又は、ＭＴＣサービスのアップリンクデータ送信に用いられるリソースについての情報を示す。ＭＴＣサービスのダウンリンクデータ送信に用いられるリソースは、ダウンリンクＭＴＣリソースに位置する。ＭＴＣサービスのダウンリンクデータ送信に用いられるリソースにおける時間ドメインリソースは、ダウンリンクＭＴＣリソースの時間ドメインリソースより小さくてよい、又はこれに等しくてよい。ＭＴＣサービスのダウンリンクデータ送信に用いられるリソースにおける周波数ドメインリソースは、ダウンリンクＭＴＣリソースの周波数ドメインリソースより小さくてよい、又はこれに等しくてよい。ＭＴＣサービスのアップリンクデータ送信に用いられるリソースは、アップリンクＭＴＣリソースに位置する。ＭＴＣサービスのアップリンクデータ送信に用いられるリソースにおける時間ドメインリソースは、アップリンクＭＴＣリソースの時間ドメインリソースより小さくてよい、又はこれに等しくてよい。ＭＴＣサービスのアップリンクデータ送信に用いられるリソースにおける周波数ドメインリソースは、アップリンクＭＴＣリソースの周波数ドメインリソースより小さくてよい、又はこれに等しくてよい。ＭＴＣサービスのアップリンクデータ送信に用いられるリソース及び／又はＭＴＣサービスのダウンリンクデータ送信に用いられるリソースは、基地局１１０と端末１２０との間で用いられるＭＴＣサービスのリソースを指す。
【００６７】
任意に、基地局１１０の送受信ユニット１１４は、ＭＴＣサービスのダウンリンク制御情報を端末１２０に送信するように構成されてよい。
【００６８】
基地局１１０は、ダウンリンクＭＴＣリソースの物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）において、送信周期としてＭＴＣサブフレームを用いることによって、ＭＴＣサービスのダウンリンク制御情報をＭＴＣ端末に送信してよい。本発明の本実施形態において、送信周期としてＭＴＣサブフレームを用いることによって送信することは、単位としてＭＴＣサブフレームを用いることによって送信すること、すなわち、対応周波数リソースにおいて、ＭＴＣサブフレームにおいて情報を送信することを指す。図５に示されるように、基地局１１０は、ダウンリンクＭＴＣリソースのＰＤＣＣＨにおいて、２つのシンボルを含むＭＴＣサブフレームにおいて、ＭＴＣサービスのダウンリンク制御情報を端末１２０に送信してよい。ＭＴＣサービスのダウンリンクデータ送信に用いられるリソースは、例えば、ダウンリンクＭＴＣリソースの物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）又はダウンリンクデータを送信する任意のチャネルリソースであってよい。ＭＴＣサービスのアップリンクデータ送信に用いられるリソースは、例えば、アップリンクＭＴＣリソースの物理アップリンク共有チャネル（ｐｈｙｓｉｃａｌ  ｕｐｌｉｎｋ  ｓｈａｒｅｄ  ｃｈａｎｎｅｌ、ＰＵＳＣＨ）又はアップリンクデータを送信する任意のチャネルリソースであってよい。
【００６９】
代わりに、基地局１１０は、標準サブフレームのＰＤＣＣＨにおいて、ＭＴＣサービスのダウンリンク制御情報をＭＴＣ端末に送信してよい。
【００７０】
ステップ４０１及び４０２において、基地局１１０がＭＴＣサブフレームに含まれるシンボルの数を、ＭＴＣサービスのリソース構成情報において、端末１２０に送信しない場合、ダウンリンク制御情報は、ＭＴＣサブフレームに含まれるシンボルの数を含んでよい。
【００７１】
端末１２０は、基地局１１０によって、ダウンリンクＭＴＣリソースにおいて、送信周期としてＭＴＣサブフレームを用いることによって送信されたＭＴＣサービスのダウンリンク制御情報を受信する、又は、基地局１１０によって、標準サブフレームのＰＤＣＣＨ送信されたＭＴＣサービスのダウンリンク制御情報を受信する。端末１２０がＭＴＣサービスのリソース構成情報を用いることによって、ＭＴＣサービスに利用可能なアップリンクＭＴＣリソース及び／又はダウンリンクＭＴＣリソースを取得した後で、端末１２０は、ＭＴＣサービスのダウンリンク制御情報に従って、端末１２０に割り当てられるＭＴＣサービスのアップリンクデータ送信に用いられるリソース及び／又はＭＴＣサービスのダウンリンクデータ送信に用いられるリソースを決定してよい。例えば、利用されようとするＭＴＣサービスのアップリンクデータ送信に用いられるリソース及び／又はＭＴＣサービスのダウンリンクデータ送信に用いられるリソースは、ダウンリンクＭＴＣリソースのＰＤＣＣＨ又は標準サブフレームのＰＤＣＣＨを復調することによって決定されてよい。任意に、端末１２０の送受信ユニット１２２は、基地局１１０によって、ダウンリンクＭＴＣリソースにおいて送信されたＭＴＣサービスのダウンリンク制御情報を受信する、又は、標準サブフレームのＰＤＣＣＨにおいて、基地局１１０によって送信されたＭＴＣサービスのダウンリンク制御情報を受信する。端末１２０の処理ユニット１２４は、ＭＴＣサービスのダウンリンク制御情報に従って、ＭＴＣサービスのダウンリンクデータ送信に用いられるリソース及び／又はＭＴＣサービスのアップリンクデータ送信に用いられるリソースを取得するように構成されてよい。
【００７２】
本発明の全実施形態において、ＭＴＣサービスに用いられ、かつ、基地局１１０によって端末１２０のために構成されるリソースは、アップリンクＭＴＣリソース又はダウンリンクＭＴＣリソースを含み、通信システムにおける既存のリソース（時間リソース及び周波数リソースを含む）のいくつか又は全てであってよい。すなわち、ＭＴＣサービスに用いられるリソースは、通信システムにおいて既存のリソースに位置してよく、ＭＴＣサービスに用いられるリソースは、通信システムにおける既存のリソースのいくつか又は全てである。代わりに、すなわち、ＭＴＣサービスに用いられるリソースは、レガシ（ｌｅｇａｃｙ）通信システムにおける既存のリソースであってよい。通信システムは、ＧＳＭ（登録商標）システム、ＵＭＴＳシステム、ＬＴＥシステム、又はＣＤＭＡ関連システムであってよい。通信システムにおける既存のリソースは、既存の通信仕様に従って決定されるリソース、例えば、３ＧＰＰ  ＧＳＭ（登録商標）仕様書、ＵＭＴＳ仕様書、ＬＴＥ仕様書、３ＧＰＰ２  ＣＤＭＡ仕様書、又はＩＥＥＥ仕様書に従って規定される時間周波数リソースを指す。例えば、通信システムの既存の時間周波数リソースの時間ドメインリソースは、標準サブフレームであり、周波数ドメインリソースは、ｆＭＨｚである。ＭＴＣサービスのリソースは、時間周波数リソースに位置してよく、ＭＴＣサービスのリソースの時間ドメインリソースは、標準サブフレームの長さより小さくてよい、又はこれに等しくてよい。ＭＴＣサービスのリソースの周波数ドメインリソースは、ｆＭＨｚより小さくてよい、又はこれに等しくてよい。
【００７３】
前述のリソース構成方法に従って、端末１２０は、アップリンクＭＴＣリソースを取得してよい。このように、端末１２０がＭＴＣサービスのアップリンクデータを送信する必要がある場合、端末１２０は、アップリンクＭＴＣリソースにおいて、基地局１１０のスケジューリングに従って、データを送信してよい。端末１２０は、ＭＴＣサービスのダウンリンクデータ送信に用いられるリソース及び／又はＭＴＣサービスのアップリンクデータ送信に用いられるリソースを決定すべく、さらに、ダウンリンクＭＴＣリソースについての情報及び／又はアップリンクＭＴＣリソースについての情報を取得し、ダウンリンクＭＴＣリソースについての情報に従って決定されたダウンリンクＭＴＣリソースからＭＴＣサービスのダウンリンク制御情報を取得する、又は、標準サブフレームのＰＤＣＣＨからＭＴＣサービスのダウンリンク制御情報を取得してよい。このように、基地局１１０によって伝送されたＭＴＣサービスのダウンリンクデータが受信されてよい、及び／又は、ＭＴＣサービスのアップリンクデータが基地局１１０に送信されてよい。ＭＴＣサブフレームのシンボルの数は、ＭＴＣサービスの遅延に従って決定され、標準サブフレームのシンボルの数より少ないので、確実に、ＭＴＣサービスの送信遅延要件を満たすことができる。
【００７４】
任意に、基地局１１０は、端末１２０と共に、短遅延サービスをさらに送信してよい。ＭＴＣサービス通信方法は、以下のステップ４０４及び／又はステップ４０５をさらに含む。
【００７５】
ステップ４０４：基地局１１０は、ＭＴＣサービスのダウンリンクデータ送信に用いられるリソースにおいて、送信周期としてＭＴＣサブフレームを用いることによって、ＭＴＣサービスのダウンリンクデータを端末１２０に送信する。
【００７６】
任意に、基地局１１０の送受信ユニット１１４は、ＭＴＣサービスのダウンリンクデータ送信に用いられるリソースにおいて、送信周期としてＭＴＣサブフレームを用いることによって、ダウンリンクデータを端末１２０に送信する、例えば、ＭＴＣリソースのＰＤＳＣＨにおいて、送信周期としてＭＴＣサブフレームを用いることによって、ダウンリンクデータを送信してよい。
【００７７】
端末１２０は、ＭＴＣサービスのダウンリンクデータ送信に用いられるリソースにおいて、基地局１１０によって送信されたダウンリンクデータを受信してよい。任意に、端末１２０の送受信ユニット１２２は、ＭＴＣサービスのダウンリンクデータ送信に用いられるリソースにおいて、基地局１１０によって送信されたダウンリンクデータを受信する。
【００７８】
ステップ４０５：端末１２０は、アップリンクＭＴＣリソースにおいて、送信周期としてＭＴＣサブフレームを用いることによって、ＭＴＣサービスのアップリンクデータを送信する。代わりに、端末１２０は、ＭＴＣサービスのアップリンクデータ送信に用いられるリソースにおいて、送信周期としてＭＴＣサブフレームを用いることによって、ＭＴＣサービスのアップリンクデータを送信してよい。
【００７９】
任意に、端末１２０の送受信ユニット１２２は、アップリンクＭＴＣリソースにおいて、又はＭＴＣサービスのアップリンクデータ送信に用いられるリソースにおいて、送信周期としてＭＴＣサブフレームを用いることによって、ＭＴＣサービスのアップリンクデータを送信するように構成されてよい。端末１２０は、アップリンクＭＴＣリソースにおいて、又はＭＴＣサービスのアップリンクデータ送信に用いられるリソースにおいて、基地局１１０のスケジューリングに従って、ＭＴＣサービスのアップリンクデータを送信してよい。
【００８０】
基地局１１０は、アップリンクＭＴＣリソースにおいて、又はＭＴＣサービスのアップリンクデータ送信に用いられるリソースにおいて、端末１２０によって送信されたアップリンクデータを受信してよい。任意に、基地局１１０の送受信ユニット１１４は、アップリンクＭＴＣリソースにおいて、又はＭＴＣサービスのアップリンクデータ送信に用いられるリソースにおいて、端末１２０によって送信されたアップリンクデータを受信するように構成されてよい。
【００８１】
ステップ４０４及びステップ４０５の両方が含まれる場合、ステップ４０４とステップ４０５との間の連続性に特別な制限はない。
【００８２】
図４Ｂに示されるように、図４Ｂは、ＭＴＣサービスを実装するための、本発明の実施形態に係る他の通信方法を示す。方法は、通信システム１０に適用されてよい。本実施形態において提供される方法は、図２に示される基地局１１０及び図３に示される端末１２０によって実装されてよい。通信方法は、以下のステップを含む。ステップ４０１Ｂ：基地局１１０は、ＭＴＣサービスのリソース構成情報を取得する。ＭＴＣサービスのリソース構成情報は、アップリンクＭＴＣリソースについての情報又はダウンリンクリソースについての情報の少なくとも１つを含む。すなわち、ＭＴＣサービスのリソース構成情報は、アップリンクＭＴＣリソースについての情報を含む、ＭＴＣサービスのリソース構成情報は、ダウンリンクＭＴＣリソースについての情報を含む、又は、ＭＴＣサービスのリソース構成情報は、アップリンクＭＴＣリソースについての情報及びダウンリンクＭＴＣリソースについての情報を含む。
【００８３】
ステップ４０２Ｂ：基地局１１０は、ＭＴＣサービスのリソース構成情報を端末１２０に送信する。
【００８４】
ステップ４０１Ｂ及びステップ４０２Ｂの内容は、それぞれ、図４に示される実施形態におけるステップ４０１及びステップ４０２の説明を指す。
【００８５】
ステップ４０３Ｂ：基地局１１０は、アップリンクＭＴＣリソース及び／又はダウンリンクＭＴＣリソースにおいてＭＴＣサブフレームを用いることによって、ＭＴＣ端末と共にＭＴＣサービス送信を実行する。
【００８６】
任意に、基地局１１０の送受信ユニット及び端末１２０の送受信ユニット１２２は、アップリンクＭＴＣリソース及び／又はダウンリンクＭＴＣリソースにおいてＭＴＣサブフレームを用いることによって、ＭＴＣサービス送信を実行する。
【００８７】
基地局１１０は、アップリンクＭＴＣリソースにおいてＭＴＣサブフレームを用いることによって、ＭＴＣサービスのアップリンクデータを送信してよい、ダウンリンクＭＴＣリソースにおいてＭＴＣサブフレームを用いることによって、ＭＴＣサービスのダウンリンクデータを送信してよい、又は、アップリンクＭＴＣリソース及びダウンリンクＭＴＣリソースにおいてＭＴＣサブフレームを用いることによって、ＭＴＣサービスのアップリンクデータ及びＭＴＣサービスのダウンリンクデータを送信してよい。
【００８８】
本発明の本実施形態において、ＭＴＣサブフレームは、ＭＴＣサービス送信を実行するために用いられる。すなわち、ＭＴＣサービス送信は、送信周期としてＭＴＣサブフレームを用いることによって実行される。すなわち、ＭＴＣサービスは、粒度としてＭＴＣサブフレームを用いることによって送信される。
【００８９】
本実施形態において、基地局１１０が、アップリンクＭＴＣリソース及び／又はダウンリンクＭＴＣリソースにおいてＭＴＣサブフレームを用いることによって、ＭＴＣ端末と共にＭＴＣサービス送信を実行することは、図４に示される実施形態のステップ４０３の内容を含んでよい。すなわち、基地局１１０は、ＭＴＣサービスのダウンリンク制御情報を端末１２０に送信してよく、端末１２０は、ＭＴＣサービスのダウンリンク制御情報に従って、ＭＴＣサービスのダウンリンクデータ送信に用いられるリソースについての情報を決定してよい、及び／又は、ＭＴＣサービスのアップリンクデータ送信に用いられるリソースについての情報を示してよい。さらに、基地局１１０は、前述のステップ４０４及びステップ４０５の内容を実行してよい。基地局１１０は、ＭＴＣサービスのダウンリンクデータ送信に用いられるリソースにおいて、及び／又はＭＴＣサービスのアップリンクデータ送信に用いられるリソースにおいて、ＭＴＣ端末と共にＭＴＣサービス送信を実行する。
【００９０】
任意に、基地局１１０が、アップリンクＭＴＣリソース及び／又はダウンリンクＭＴＣリソースにおいてＭＴＣサブフレームを用いることによって、ＭＴＣ端末と共にＭＴＣサービス送信を実行することは、以下の内容を含んでよい。
【００９１】
基地局１１０は、ＭＴＣサービスアップリンク送信に用いられる拡散符号及び／又はＭＴＣサービスダウンリンク送信に用いられる拡散符号を、端末１２０に送信する。端末１２０は、ＭＴＣサービスアップリンク送信に用いられる拡散符号に従って、アップリンクＭＴＣリソースにおいて、送信周期としてＭＴＣサブフレームを用いることによって、ＭＴＣサービスのアップリンクデータを基地局に送信する、及び／又は、端末１２０は、ＭＴＣサービスダウンリンク送信に用いられる拡散符号に従って、ダウンリンクＭＴＣリソースにおいて、送信周期としてＭＴＣサブフレームを用いることによって、基地局１１０によって送信されたＭＴＣサービスのダウンリンクデータを受信する。
【００９２】
端末１２０の送受信ユニット１２２は、ＭＴＣサービスアップリンク送信に用いられる拡散符号に従って、アップリンクＭＴＣリソースにおいて、送信周期としてＭＴＣサブフレームを用いることによって、ＭＴＣサービスのアップリンクデータを基地局に送信するように構成されてよい。代わりに、端末１２０の送受信ユニット１２２は、ＭＴＣサービスダウンリンク送信に用いられる拡散符号を用いることによって、ダウンリンクＭＴＣリソースにおいて、送信周期としてＭＴＣサブフレームを用いることによって、基地局１１０によって送信されたＭＴＣサービスのダウンリンクデータを受信するように構成されてよい。端末１２０は、アップリンクＭＴＣリソースにおいて、基地局１１０のスケジューリングに従って、ＭＴＣサービスのアップリンクデータを送信してよい。
【００９３】
基地局１１０の送受信ユニット１１４は、ＭＴＣサービスアップリンク送信に用いられる拡散符号に従って、アップリンクＭＴＣリソースにおいて、送信周期としてＭＴＣサブフレームを用いることによって、端末１２０によって送信されたＭＴＣサービスのアップリンクデータを受信するように構成されてよい、又は、ＭＴＣサービスダウンリンク送信に用いられる拡散符号に従って、ダウンリンクＭＴＣリソースにおいて、送信周期としてＭＴＣサブフレームを用いることによって、ＭＴＣサービスのダウンリンクデータを端末１２０に送信するように構成されてよい。
【００９４】
拡散符号によって区別されることによって、複数の端末１２０が存在する場合、複数の端末１２０は、同じ周波数を用いることによって、ＭＴＣサービスを送信してよい。
【００９５】
本発明の本実施形態において、ＭＴＣサブフレームを用いることによってＭＴＣサービスを実装することは、異なる短遅延要件を伴うＭＴＣ適用を満たしてよい。ＭＴＣサービスは、既存の通信仕様との互換性に基づいて、リソース構成情報及びＭＴＣサービスのダウンリンク制御情報を送信することによって、完全に実装されてよい。ＭＴＣサービスは、システムを改良又はコストを節約することなく実装されてよい。
【００９６】
本発明の本実施形態において、基地局１１０は、標準サブフレームにおいて物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）を用いることによって、ＭＴＣサービスのリソース構成情報を端末１２０に送信してよい、標準サブフレームにおいて拡張型ＰＤＣＣＨ（ｅｎｈａｎｃｅｄ  ＰＤＣＣＨ、ｅＰＤＣＣＨ）を用いることによって、ＭＴＣサービスのリソース構成情報を端末１２０に送信してよい、ブロードキャスト情報を用いることによって、ＭＴＣサービスのリソース構成情報を端末１２０に送信してよい、又は、無線リソース制御（ｒａｄｉｏ  ｒｅｓｏｕｒｃｅ  ｃｏｎｔｒｏｌ、ＲＲＣ）シグナリングもしくはメディアアクセス制御（ｍｅｄｉａ  ａｃｃｅｓｓ  ｃｏｎｔｒｏｌ、ＭＡＣ）シグナリングを用いることによって、ＭＴＣサービスのリソース構成情報を端末１２０に送信してよい。同じ端末では、基地局１１０は、前述の同じ態様で、異なる送信遅延要件を満たすことができるＭＴＣサービスのリソース構成情報を当該端末に送信してよい、又は、前述の異なる態様で、ＭＴＣサービスのリソース構成情報を当該端末に送信してよい。基地局１１０は、前述の同じ態様で、ＭＴＣサービスのリソース構成情報を異なる端末に送信してもよい。基地局１１０は、前述の異なる態様で、異なるＭＴＣサービスのリソース構成情報を異なる端末に送信してもよい。
【００９７】
基地局１１０が標準サブフレームにおいてＰＤＣＣＨ又はｅＰＤＣＣＨを用いることによって、ＭＴＣサブフレームのリソース構成情報を端末に送信する態様において、端末１２０がネットワークに接続される場合、基地局１１０は、特定のＲＮＴＩを端末１２０に割り当てる。このＲＮＴＩは、第１のＲＮＴＩであってよい、又は、Ｌ−ＲＮＴＩと称される。Ｌは、特定のＲＮＴＩを区別するために用いられるシンボルであり、限定されるものではない。基地局１１０は、第１のＲＮＴＩを端末１２０に送信する。図６に示されるように、基地局１１０は、ＰＤＣＣＨにおいて、ダウンリンク制御情報を端末１２０に送信してよく、ダウンリンク制御情報は、ＭＴＣサービスのリソース構成情報を含む。代わりに、図７に示されるように、基地局１１０は、ｅＰＤＣＣＨにおいて、ダウンリンク制御情報を端末１２０に送信してよい。端末１２０は、アップリンクＭＴＣリソースについての情報及び／又はダウンリンクＭＴＣリソースについての情報を取得すべく、第１のＲＮＴＩを受信し、第１のＲＮＴＩに従って、ダウンリンク制御情報を復調し、ＭＴＣサービスのリソース構成情報を取得する。基地局１１０は、標準サブフレームにおいてＰＤＣＣＨ及びｅＰＨＣＣＨを用いることによって、適時かつフレキシブルにＭＴＣサブフレームのリソース構成情報を端末に送信してよく、遅延要件に従って、ＭＴＣサブフレームのリソース構成情報を迅速に調整してよい。基地局１１０の送受信ユニット１１４は、第１のＲＮＴＩ及びダウンリンク制御情報を端末１２０に送信するように構成されてよい。端末１２０の送受信ユニット１２２は、基地局１１０によって送信された第１のＲＮＴＩ及びダウンリンク制御情報を受信するように構成されてよい。処理ユニット１２４は、第１のＲＮＴＩに従って、ダウンリンク制御情報を復調し、ＭＴＣサブフレームの構成情報を取得するように構成されてよい。
【００９８】
図６又は図７に示される実施形態において、リソース構成情報を用いることによって示されるＭＴＣサービスのダウンリンクリソース又はＭＴＣサービスのアップリンクリソースは、標準サブフレームのリソース（周波数ドメイン及び時間ドメインを含む）に位置する。周波数ドメインは、リソースの一部を占有し、時間ドメインは、リソースの全てを占有する。図６及び図７は、本発明の実施形態として、図６及び図７に示されるものに限定されるものではない。例えば、図６又は図７に示される実施形態において、ＭＴＣサービスの示されたダウンリンクリソース又はＭＴＣサービスの示されたアップリンクリソースの周波数リソースは、標準サブフレームによって占有された周波数リソースの全てを占有してもよい、又は、ＭＴＣサービスの示されたダウンリンクリソースもしくはＭＴＣサービスの示されたアップリンクリソースの時間ドメインリソースは、標準サブフレームのリソースの一部を占有してもよい。
【００９９】
基地局１１０がブロードキャスト情報を用いることによってＭＴＣサービスのリソース構成情報を端末１２０に送信する態様において、基地局１１０は、ブロードキャストメッセージを用いることによって、ＭＴＣサービスのリソース構成情報を端末１２０に送信する。端末１２０は、受信されたブロードキャストメッセージに従って、アップリンクＭＴＣリソースについての情報及び／又はダウンリンクＭＴＣリソースについての情報を取得する。基地局１１０の送受信ユニット１１４は、ブロードキャストメッセージを用いることによって、ＭＴＣサービスのリソース構成情報を端末１２０に送信するように構成されてよい。端末１２０の送受信ユニット１２２は、基地局１１０によって、ブロードキャストメッセージを用いることによって送信されたＭＴＣサービスのリソース構成情報を、受信するように構成されてよい。ブロードキャストメッセージを用いることによってＭＴＣサービスのリソース構成情報を送信することにより、システムのシグナリングオーバヘッドが減少し得る。
【０１００】
基地局１１０がＲＲＣシグナリング又はＭＡＣシグナリングを用いることによってＭＴＣサービスのリソース構成情報を端末１２０に送信する態様において、基地局１１０は、ＲＲＣシグナリング又はＭＡＣシグナリングを送信することによって、ＭＴＣサービスのリソース構成情報を端末１２０に送信する。端末４０は、受信されたＲＲＣシグナリング又はＭＡＣシグナリングに従って、ＭＴＣサービスのリソース構成情報を取得する。ＲＲＣシグナリングは、例えば、ＲＲＣ再構成（ＲＲＣ  ｒｅｃｏｎｆｉｇｕｒａｔｉｏｎ）メッセージであってよい。基地局１１０の送受信ユニット１１４は、ＲＲＣシグナリング又はＭＡＣシグナリングを用いることによって、ＭＴＣサービスのリソース構成情報を端末１２０に送信するように構成されてよい。端末１２０の送受信ユニット１２２は、基地局１１０によって、ＲＲＣシグナリング又はＭＡＣシグナリングを用いることによって送信されたＭＴＣサービスのリソース構成情報を、受信するように構成されてよい。ＲＲＣシグナリング又はＭＡＣシグナリングを用いることによってＭＴＣサービスのリソース構成情報を送信することにより、システムのシグナリングオーバヘッドが減少し得る。
【０１０１】
基地局１１０がＲＲＣシグナリング又はＭＡＣシグナリングを用いることによってＭＴＣサービスのリソース構成情報を端末１２０に送信する態様において、ＲＲＣシグナリング又はＭＡＣシグナリングは、アップリンクＭＴＣリソースの周期及び持続時間をさらに含んでよい。図４Ｂに示される実施形態において、基地局１１０が、アップリンクＭＴＣリソース及び／又はダウンリンクＭＴＣリソースにおいてＭＴＣサブフレームを用いることによって、ＭＴＣ端末と共にＭＴＣサービス送信を実行することは、以下の内容を含んでよい。
【０１０２】
端末１２０は、ダウンリンクＭＴＣリソースの周期及び持続時間に従って、ダウンリンクＭＴＣリソースにおいて、送信周期としてＭＴＣサブフレームを用いることによって、基地局１１０によって送信されたＭＴＣサービスのダウンリンクデータを受信する、及び／又は、端末１２０は、アップリンクＭＴＣリソースの周期及び持続時間に従って、アップリンクＭＴＣリソースにおいて、送信周期としてＭＴＣサブフレームを用いることによって、ＭＴＣサービスのアップリンクデータを基地局１１０に送信する。
【０１０３】
端末１２０の送受信ユニット１２２は、ダウンリンクＭＴＣリソースの周期及び持続時間に従って、ダウンリンクＭＴＣリソースにおいて、送信周期としてＭＴＣサブフレームを用いることによって、基地局１１０によって送信されたＭＴＣサービスのダウンリンクデータを受信する、及び／又は、アップリンクＭＴＣリソースの周期及び持続時間に従って、ダウンリンクＭＴＣリソースにおいて、送信周期としてＭＴＣサブフレームを用いることによって、ＭＴＣサービスのアップリンクデータを基地局１１０に送信するように構成されてよい。
【０１０４】
基地局１１０の送受信ユニット１１４は、ダウンリンクＭＴＣリソースの周期及び持続時間に従って、ダウンリンクＭＴＣリソースにおいて、送信周期としてＭＴＣサブフレームを用いることによって、ＭＴＣサービスのダウンリンクデータを端末１２０に送信する、及び／又は、アップリンクＭＴＣリソースの周期及び持続時間に従って、ダウンリンクＭＴＣリソースにおいて、送信周期としてＭＴＣサブフレームを用いることによって、端末１２０によって送信されたＭＴＣサービスのアップリンクデータを受信するように構成されてよい。ＲＲＣシグナリングもしくはＭＡＣシグナリングを用いることによって、アップリンクＭＴＣリソースの位置、周期、及び持続時間を端末１２０に直接送信すること、又は、ダウンリンクＭＴＣリソースの位置、周期、及び持続時間についての情報を送信することにより、アップリンクＭＴＣリソース又はダウンリンクＭＴＣリソースの構成の柔軟性が向上し、ＭＴＣサービス送信効率が向上し得る。
【０１０５】
図４又は図４Ｂにおいて提供される実施形態において、基地局１１０がマクロ基地局である場合、基地局１１０は、非ＭＴＣ端末との通信をさらに実行してよい。図８に示されるように、基地局１１０は、標準サブフレームを用いることによって、端末１３０との通信を実行する、すなわち、非ＭＴＣ端末との通信を実行する。基地局１１０は、ＭＴＣサブフレームを用いることによって、端末１２０との通信を実行する。基地局１１０は、同じ周波数帯において、端末１２０及び標準端末１３０との通信を実行する。図８に示されるように、基地局１１０がＭＴＣサブフレーム及び特定の周波数リソースを用いることによって端末１２０との通信を実行する場合、基地局１１０は、ＭＴＣサブフレームに対応する周期内の特定の周波数リソースを用いることなく、標準端末１３０との通信を実行する。このように、端末１２０の短遅延サービスが実装されてよく、標準端末１３０及び端末１２０は、同じ周波数帯のリソースを共有することができ、システムリソースの最大限の利用を実装する。
【０１０６】
図４又は図４Ｂにおいて提供される実施形態において、基地局１１０がマクロ基地局である場合、基地局１１０は、標準サブフレームを用いることによって、非ＭＴＣ端末１３０との通信を実行する。基地局１１０は、ＭＴＣサブフレームを用いることによって、端末１２０との通信を実行する。通信システム１０は、少なくとも１つの基地局１４０をさらに含む。基地局１４０は、スモールセルである。基地局１４０のカバレッジにおける端末１２０は、ＭＴＣ端末である。基地局１４０は、基地局１１０又は集中制御ノード１５０から、ＭＴＣサービスのリソース構成情報を要求してよい。基地局１１０又は集中制御ノード１５０は、本発明の本実施形態において提供される前述の方法に従って、基地局１４０の構成及びこれに対する送信を実行してよい。基地局１４０は、ＭＴＣサブフレームを用いることによって、基地局１４０のカバレッジにおける端末１２０との通信を実行してよい。図９に示されるように、基地局１４０は、ＭＴＣサブフレーム１において、基地局１４０のカバレッジにおける端末１２０との通信を実行してよい。基地局１１０は、ＭＴＣサブフレーム２を用いることによって、端末１２０との通信を実行する。基地局１１０が端末１３０との通信を実行する場合、基地局１４０によってＭＴＣサブフレーム１において用いられる周波数、及び基地局１１０によってＭＴＣサブフレーム２において用いられる周波数は、ＭＴＣサブフレーム１及びＭＴＣサブフレーム２に対応する時間内には使用されない。カバレッジが重複しない複数の基地局１４０が存在する場合、複数の基地局１４０は、同じ周波数リソースを用いることによって、基地局１４０のそれぞれのカバレッジにおける端末１２０との通信を実行してよい。このように、複数のＭＴＣ端末のＭＴＣサービスが実装されてよく、ＭＴＣ端末と非ＭＴＣ端末との間の干渉を回避することができる。
【０１０７】
図４又は図４Ｂにおいて提供される実施形態において、基地局１１０が、図１０に示されるようにスモールセルである場合、通信システムは、基地局１４０をさらに含む。基地局１４０は、マクロ基地局である。基地局１１０は、基地局１４０又は集中制御ノード１５０から、ＭＴＣサービスのリソース構成情報を要求してよい。基地局１４０又は集中制御ノード１５０は、本発明の本実施形態において提供される前述の方法に従って、構成及び基地局１１０への送信を実行してよい。基地局１１０は、標準サブフレームを用いることによって、非ＭＴＣ端末１３０との通信を実行し、ＭＴＣサブフレームを用いることによって、端末１２０との通信を実行する。基地局１１０は、同じ周波数帯において、端末１２０及び標準端末１３０との通信を実行する。基地局１４０は、標準サブフレームを用いることによって、非ＭＴＣ端末１３０との通信を実行してよい。基地局１１０によってＭＴＣサービスに用いられる周波数リソースは、基地局１４０が非ＭＴＣ端末１３０との通信を実行する場合には使用されない。基地局１１０によって非ＭＴＣサービスに用いられる周波数リソースは、基地局１４０によって非ＭＴＣサービスに用いられる周波数リソースと同じである。
【０１０８】
図４又は図４Ｂにおいて提供される実施形態において、基地局１１０がマクロ基地局である場合、少なくとも１つの無線リモートユニット（ｒａｄｉｏ  ｒｅｍｏｔｅ  ｕｎｉｔ、ＲＲＵ）は、基地局１１０のカバレッジ内に構成されてよい。図１１に示されるように、基地局１１０は、ＭＴＣサブフレームを用いることによって、端末１２０との通信を実行し、ＲＲＵのカバレッジ内のＭＴＣサブフレームを用いることによって、端末１２０との通信を実行してよく、ＲＲＵのカバレッジ内の標準サブフレームを用いることによって、非ＭＴＣ端末１３０との通信を実行してもよい。ＲＲＵのカバレッジ内において、基地局１１０がＭＴＣサブフレーム及び特定の周波数リソースを用いることによって端末１２０との通信を実行する場合、基地局１１０は、ＭＴＣサブフレームの時間セグメント内の特定の周波数リソースを用いることなく、非ＭＴＣ端末１３０との通信を実行する。ＲＲＵのカバレッジではないカバレッジ内において、基地局１１０は、標準サブフレームを用いることによって、非ＭＴＣ端末１３０との通信を実行してよく、用いられる周波数リソースは、ＲＲＵのカバレッジ内のＭＴＣサブフレームを用いることによって端末１２０に用いられる特定の周波数リソースと異なる。複数のＲＲＵが存在する場合、異なるＲＲＵのカバレッジ内において、基地局１１０は、同じ周波数リソースを用いることによって、異なるＭＴＣ端末１２０との通信を別個に実行してよく、ＭＴＣサービスを実装する。
【０１０９】
図４又は図４Ｂにおいて提供される実施形態において、ＭＴＣサービスのリソース構成情報を送信する場合、基地局１１０は、第１のキャリアを用いてよく、端末１２０は、第１のキャリアにおいて、基地局１１０によって送信されたＭＴＣサービスのリソース構成情報を受信する。ＭＴＣサービスに用いられるダウンリンクリソースは、第２のキャリアにあり、ＭＴＣサービスに用いられるアップリンクリソースは、第３のキャリアにあり、第１のキャリア、第２のキャリア、及び第３のキャリアの周波数は、互いに異なる。図１２に示されるように、基地局１１０は、第２のキャリアを用いることによって、ダウンリンクＭＴＣリソースにおいて、送信周期としてＭＴＣサブフレームを用いることによって、ＭＴＣサービスのダウンリンクデータを端末１２０に送信してよい。端末１２０は、第３のキャリアを用いることによって、アップリンクＭＴＣリソースにおいて、送信周期としてＭＴＣサブフレームを用いることによって、ＭＴＣサービスのアップリンクデータを送信してよい。
【０１１０】
本発明の本実施形態において、図８、図９、図１０、図１１、又は図１２に示されるように、標準サブフレームによって占有される周波数リソースの全ては、ＭＴＣサブフレームにおいて占有される。図８から図１２は、本発明の実施形態として、図８から図１２に示されるものに限定されるものではない。例えば、図示されるＭＴＣサブフレームの周波数リソースは、標準サブフレームによって占有される周波数リソースの一部を占有してもよい。
【０１１１】
本発明の本実施形態において、アップリンクＭＴＣリソース及び／又はダウンリンクＭＴＣリソースが構成された後で、構成されたアップリンクＭＴＣリソース及び／又はダウンリンクＭＴＣリソースは、さらに再構成されてよい。基地局は、ＰＤＣＣＨ又はｅＰＨＣＣＨを用いることによって、リソース再構成情報を端末１２０に送信してよい、又は、ブロードキャスト情報、ＲＲＣシグナリング、もしくはＭＡＣシグナリングを用いることによって、リソース再構成情報を端末１２０に送信してよい。
【０１１２】
リソース再構成情報は、端末１２０に対するＭＴＣサブフレーム送信の専用リソースを構成するために用いられてよい、又は、ＭＴＣサブフレーム送信のために公共のリソースを構成してよい。ＭＴＣサブフレーム送信の専用リソースが再構成される場合、端末１２０は、受信されたリソース再構成情報に従って、基地局によって割り当てられたアップリンクＭＴＣサブフレームのリソースを見出してよく、アップリンクＭＴＣサブフレームリソースに従って、通信を実行してよい、及び／又は、リソースを受信及び復調すべく、受信されたリソース再構成情報に従って、基地局によって送信されたダウンリンクＭＴＣサブフレームを見出してよい。ＭＴＣサブフレーム送信のための公共のリソースが再構成される場合、端末１２０は、アップリンクＭＴＣサブフレームリソースを用いることによって通信を実行すべく、リソース再構成情報によって示されるＭＴＣサブフレームリソースに従って、前に構成されたＭＴＣサブフレームリソースを置換し、ＭＴＣサブフレームのＰＤＣＣＨを復調し、割り当てられたアップリンクＭＴＣサブフレームリソースを決定してよい、及び／又は、基地局によって送信されたダウンリンクＭＴＣサブフレームを見出すべく、前に構成されたＭＴＣサブフレームリソースを、リソース再構成情報によって示されるＭＴＣサブフレームリソースと置換し、ダウンリンクＭＴＣサブフレームに用いられるリソースを見出し、次に、ダウンリンクＭＴＣサブフレームに用いられるリソースにおいて、ＭＴＣサブフレームのＰＤＣＣＨチャネルを分析してよい。
【０１１３】
本発明の本実施形態において、アップリンクＭＴＣリソース及び／又はダウンリンクＭＴＣリソースが構成された後で、又は、構成されたアップリンクＭＴＣリソース及び／又はダウンリンクＭＴＣリソースが再構成された後で、構成又は再構成されたアップリンクＭＴＣリソース及び／又はダウンリンクＭＴＣリソースは、さらに削除されてよい。リソース削除情報は、端末１２０に送信されてよい。例えば、リソース削除情報は、ＰＤＣＣＨ又はｅＰＨＣＣＨを用いることによって、端末１２０に送信されてよい、又は、リソース削除情報は、ブロードキャスト情報、ＲＲＣシグナリング、もしくはＭＡＣシグナリングを用いることによって、端末１２０に送信されてよい。リソース削除情報は、削除前の構成又は再構成されたＭＴＣサブフレームリソースの全てを示すために用いられてよい、又は、リソースの規定された特定の部分を削除することを命令するために用いられてよい。リソース削除情報を受信した後で、端末１２０は、リソース削除情報の命令に従って、対応するＭＴＣサブフレームリソースを削除する。
【０１１４】
図１３に示されるように、図１３は、プロセッサ１２１とメモリ１２２とを含む、本発明の実施形態に係る通信装置１２を示す。プロセッサ１２１は、バス１２３を用いることによって、メモリ１２２に接続される。通信装置１２は、本発明の前述の実施形態における基地局１１０であってよい、又は、本発明の前述の実施形態における端末１２０であってよい。通信装置１２が基地局１１０である場合、メモリ１２２は、以下のオペレーション、すなわち、マシンタイプ通信ＭＴＣサービスのリソース構成情報を取得するオペレーションであって、ＭＴＣサービスのリソース構成情報は、アップリンクＭＴＣリソースについての情報及びダウンリンクＭＴＣリソースについての情報を含む、オペレーションと、ＭＴＣサービスのリソース構成情報をＭＴＣ端末に送信するオペレーションと、ＭＴＣサービスのダウンリンク制御情報をＭＴＣ端末に送信するオペレーションであって、ダウンリンク制御情報は、ＭＴＣサービスのダウンリンクデータ送信に用いられるリソースについての情報を示し、ＭＴＣサービスのダウンリンクデータ送信に用いられるリソースは、ダウンリンクＭＴＣリソースに位置する、オペレーションと、ＭＴＣサービスのダウンリンクデータ送信に用いられるリソースにおいて、送信周期としてＭＴＣサブフレームを用いることによって、ＭＴＣサービスのダウンリンクデータをＭＴＣ端末に送信するオペレーションであって、ＭＴＣサブフレームに含まれるシンボルの数は、ＭＴＣサービスの送信遅延に従って構成される、オペレーションと、ＭＴＣ端末によって、アップリンクＭＴＣリソースにおいて、送信周期としてＭＴＣサブフレームを用いることによって、送信されたＭＴＣサービスのアップリンクデータを受信するオペレーションと、をプロセッサ１２１に実行させる命令を格納するように構成される。
【０１１５】
通信装置１２が基地局１１０である場合、メモリ１２２は、以下のオペレーション、すなわち、マシンタイプ通信ＭＴＣサービスのリソース構成情報を取得するオペレーションであって、ＭＴＣサービスのリソース構成情報は、アップリンクＭＴＣリソースについての情報又はダウンリンクＭＴＣリソースについての情報の少なくとも１つを含む、オペレーションと、ＭＴＣサービスのリソース構成情報をＭＴＣ端末に送信するオペレーションと、アップリンクＭＴＣリソース及び／又はダウンリンクＭＴＣリソースにおいてＭＴＣサブフレームを用いることによって、ＭＴＣ端末と共にＭＴＣサービス送信を実行するオペレーションと、をプロセッサ１２１に実行させる命令を格納するようにさらに構成される。
【０１１６】
さらに、メモリ１２２は、図１から図１２に示される実施形態における基地局１１０のオペレーションを実行させるための命令をさらに含んでよい。
【０１１７】
通信装置１２が端末１２０である場合、メモリ１２２は、以下のオペレーション、すなわち、基地局によって送信されたＭＴＣサービスのリソース構成情報を受信するオペレーションであって、ＭＴＣサービスのリソース構成情報は、アップリンクＭＴＣリソースについての情報及びダウンリンクＭＴＣリソースについての情報を含む、オペレーションと、基地局によって送信されたＭＴＣサービスのダウンリンク制御情報を、受信するオペレーションであって、ダウンリンク制御情報は、ＭＴＣサービスのダウンリンクデータ送信に用いられるリソースについての情報を示し、ＭＴＣサービスのダウンリンクデータ送信に用いられるリソースは、ダウンリンクＭＴＣリソースに位置する、オペレーションと、基地局によって、ＭＴＣサービスのダウンリンクデータ送信に用いられるリソースにおいて、送信周期としてＭＴＣサブフレームを用いることによってＭＴＣ端末に送信されたＭＴＣサービスのダウンリンクデータを、受信するオペレーションであって、ＭＴＣサブフレームに含まれるシンボルの数は、ＭＴＣサービスの送信遅延に従って構成される、オペレーションと、アップリンクＭＴＣリソースにおいて、送信周期としてＭＴＣサブフレームを用いることによって、ＭＴＣサービスのアップリンクデータを送信するオペレーションと、をプロセッサ１２１に実行させる命令を格納するように構成される。
【０１１８】
通信装置１２が端末１２０である場合、メモリ１２２は、以下のオペレーション、すなわち、基地局によって送信されたＭＴＣサービスのリソース構成情報を受信するオペレーションであって、ＭＴＣサービスのリソース構成情報は、アップリンクＭＴＣリソースについての情報又はダウンリンクＭＴＣリソースについての情報の少なくとも１つを含む、オペレーションと、ＭＴＣ端末によって、ＭＴＣサービスのリソース構成情報に従って、アップリンクＭＴＣリソース及び／又はダウンリンクＭＴＣリソースを決定するオペレーションと、ＭＴＣ端末によって、アップリンクＭＴＣリソース及び／又はダウンリンクＭＴＣリソースにおいてＭＴＣサブフレームを用いることによって、基地局と共にＭＴＣサービス送信を実行するオペレーションと、をプロセッサ１２１に実行させる命令を格納するように構成される。
【０１１９】
さらに、メモリ１２２は、図１から図１２に示される実施形態における端末１２０のオペレーションを実行させるための命令をさらに含んでよい。
【０１２０】
加えて、通信装置１２は、送信回路１２４、受信回路１２５、アンテナ１２６等をさらに含んでよい。プロセッサ１２１は、通信装置１２のオペレーションを制御する。プロセッサ１２１は、ＣＰＵ（Ｃｅｎｔｒａｌ  Ｐｒｏｃｅｓｓｉｎｇ  Ｕｎｉｔ、中央処理装置）とも称されてよい。メモリ１２２は、リードオンリメモリ及びランダムアクセスメモリを含んでよく、命令及びデータをプロセッサ１２１に提供する。メモリ１２２の一部は、不揮発性ランダムアクセスメモリ（ＮＶＲＡＭ）をさらに含んでよい。特定の適用において、送信回路１２４及び受信回路１２５は、アンテナ１２３に結合されてよい。通信装置１２のコンポーネントは、バスシステム１２３を用いることによって、共に結合される。データバスを含むことに加えて、バスシステム１２３は、電力バス、制御バス、ステータス信号バス等をさらに含んでよい。しかしながら、説明を明確にする目的のために、図中における様々なタイプのバスは、全て、バスシステム１２３として示されている。
【０１２１】
本発明の前述の実施形態において開示される方法は、プロセッサ１２１に適用されてよい、又は、プロセッサ１２１によって実装される。プロセッサ１２１は、集積回路チップであってよく、信号処理能力を有する。実装処理において、前述された方法のステップは、プロセッサ１２１におけるハードウェアの統合ロジック回路又はソフトウェアの形の命令を用いることによって、実行されてよい。前述のプロセッサ１２１は、汎用プロセッサ、デジタル信号プロセッサ（ＤＳＰ）、特定用途向け集積回路（ＡＳＩＣ）、フィールドプログラマブルゲートアレイ（ＦＰＧＡ）、もしくは他のプログラム可能ロジックデバイス、ディスクリートゲートもしくはトランジスタロジックデバイス、又はディスクリートハードウェアコンポーネントであってよい。
【０１２２】
本発明の実施形態は、以下のステップ、すなわち、マシンタイプ通信ＭＴＣサービスのリソース構成情報を取得するステップであって、ＭＴＣサービスのリソース構成情報は、アップリンクＭＴＣリソースについての情報及びダウンリンクＭＴＣリソースについての情報を含む、ステップと、ＭＴＣサービスのリソース構成情報をＭＴＣ端末に送信するステップと、ＭＴＣサービスのダウンリンク制御情報をＭＴＣ端末に送信するステップであって、ダウンリンク制御情報は、ＭＴＣサービスのダウンリンクデータ送信に用いられるリソースについての情報を示し、ＭＴＣサービスのダウンリンクデータ送信に用いられるリソースは、ダウンリンクＭＴＣリソースに位置する、ステップと、ＭＴＣサービスのダウンリンクデータ送信に用いられるリソースにおいて、送信周期としてＭＴＣサブフレームを用いることによって、ＭＴＣサービスのダウンリンクデータをＭＴＣ端末に送信するステップであって、ＭＴＣサブフレームに含まれるシンボルの数は、ＭＴＣサービスの送信遅延に従って構成される、ステップと、ＭＴＣ端末によって、アップリンクＭＴＣリソースにおいて、送信周期としてＭＴＣサブフレームを用いることによって、送信されたＭＴＣサービスのアップリンクデータを受信するステップと、をコンピュータに実行させるために用いられるコンピュータプログラムをさらに提供する。
【０１２３】
代わりに、コンピュータプログラムは、以下のステップ、すなわち、基地局によって送信されたＭＴＣサービスのリソース構成情報を受信するステップであって、ＭＴＣサービスのリソース構成情報は、アップリンクＭＴＣリソースについての情報及びダウンリンクＭＴＣリソースについての情報を含む、ステップと、基地局によって送信されたＭＴＣサービスのダウンリンク制御情報を、受信するステップであって、ダウンリンク制御情報は、ＭＴＣサービスのダウンリンクデータ送信に用いられるリソースについての情報を示し、ＭＴＣサービスのダウンリンクデータ送信に用いられるリソースは、ダウンリンクＭＴＣリソースに位置する、ステップと、基地局によって、ＭＴＣサービスのダウンリンクデータ送信に用いられるリソースにおいて、送信周期としてＭＴＣサブフレームを用いることによってＭＴＣ端末に送信されたＭＴＣサービスのダウンリンクデータを、受信するステップであって、ＭＴＣサブフレームに含まれるシンボルの数は、ＭＴＣサービスの送信遅延に従って構成される、ステップと、アップリンクＭＴＣリソースにおいて、送信周期としてＭＴＣサブフレームを用いることによって、ＭＴＣサービスのアップリンクデータを送信するステップと、をコンピュータに実行させるために用いられる。
【０１２４】
代わりに、コンピュータプログラムは、以下のステップ、すなわち、マシンタイプ通信ＭＴＣサービスのリソース構成情報を取得するステップであって、ＭＴＣサービスのリソース構成情報は、アップリンクＭＴＣリソースについての情報又はダウンリンクＭＴＣリソースについての情報の少なくとも１つを含む、ステップと、ＭＴＣサービスのリソース構成情報をＭＴＣ端末に送信するステップと、アップリンクＭＴＣリソース及び／又はダウンリンクＭＴＣリソースにおいてＭＴＣサブフレームを用いることによって、ＭＴＣ端末と共にＭＴＣサービス送信を実行するステップと、をコンピュータに実行させるために用いられる。
【０１２５】
代わりに、コンピュータプログラムは、以下のステップ、すなわち、基地局によって送信されたＭＴＣサービスのリソース構成情報を受信するステップであって、ＭＴＣサービスのリソース構成情報は、アップリンクＭＴＣリソースについての情報又はダウンリンクＭＴＣリソースについての情報の少なくとも１つを含む、ステップと、ＭＴＣ端末によって、ＭＴＣサービスのリソース構成情報に従って、アップリンクＭＴＣリソース及び／又はダウンリンクＭＴＣリソースを決定するステップと、ＭＴＣ端末によって、アップリンクＭＴＣリソース及び／又はダウンリンクＭＴＣリソースにおいてＭＴＣサブフレームを用いることによって、基地局と共にＭＴＣサービス送信を実行するステップと、をコンピュータに実行させるために用いられる。
【０１２６】
コンピュータプログラムは、コンピュータ可読記憶媒体に格納されてよい。
【０１２７】
当業者であれば、情報及びデータは、任意の技術を用いることによって表されてよいことを理解しよう。例えば、データ（ｄａｔａ）、命令（ｉｎｓｔｒｕｃｔｉｏｎｓ）、コマンド（ｃｏｍｍａｎｄ）、情報（ｉｎｆｏｒｍａｔｉｏｎ）、信号（ｓｉｇｎａｌ）、ビット（ｂｉｔ）、シンボル（ｓｙｍｂｏｌ）、及びチップ（ｃｈｉｐ）は、電圧、電流、電磁波、磁場、もしくは磁気粒子、又は光場もしくは光粒子（ｏｐｔｉｃａｌ  ｐａｒｔｉｃｌｅｓ）、又はこれらの任意の組み合わせによって表されてよい。
【０１２８】
当業者であれば、本発明の実施形態において列挙される様々な例示的論理ブロック（ｉｌｌｕｓｔｒａｔｉｖｅ  ｌｏｇｉｃ  ｂｌｏｃｋ）及びステップ（ｓｔｅｐ）が、電子ハードウェア、コンピュータソフトウェア、又はこれらの組み合わせを用いることによって実装されてよいことをさらに理解しよう。ハードウェアとソフトウェアとの間の互換性（ｉｎｔｅｒｃｈａｎｇｅａｂｉｌｉｔｙ）を明確に示すために、前述の様々な例示的コンポーネント（ｉｌｌｕｓｔｒａｔｉｖｅ  ｃｏｍｐｏｎｅｎｔｓ）及びステップの機能が、概して説明されている。これらの機能がハードウェア又はソフトウェアのいずれを用いることによって実装されるかは、システム全体の特定の適用及び設計要件に依存する。当業者であれば、特定の適用の各々に説明された機能を実装する様々な方法を用いることがあるが、その実装が本発明における実施形態の保護範囲を越えるものとみなされるべきではない。
【０１２９】
本発明の実施形態において説明された様々な例示的論理ブロック、モジュール、及び回路は、一般的な処理ユニット、デジタル信号処理ユニット、特定用途向け集積回路（ＡＳＩＣ）、フィールドプログラマブルゲートアレイ（ＦＰＧＡ）もしくは他のプログラム可能論理装置、ディスクリートゲートもしくはトランジスタロジック、ディスクリートハードウェアコンポーネント、又はこれらの任意の組み合わせの設計を用いることによって、説明された機能を実装してよい、又はこれらを動作させてよい。一般的な処理ユニットは、マイクロ処理ユニットであってよい。任意に、一般的な処理ユニットは、任意の従来の処理ユニット、コントローラ、マイクロコントローラ、又はステートマシンであってよい。処理ユニットは、デジタル信号処理ユニット及びマイクロ処理ユニット、複数のマイクロ処理ユニット、デジタル信号処理ユニットコアを有する１つ又は複数のマイクロ処理ユニット、又は任意の他の同様の構成のような演算装置の組み合わせによって実装されてもよい。
【０１３０】
本発明の実施形態において説明された方法又はアルゴリズムのステップは、ハードウェア、処理ユニットによって実行されるソフトウェアモジュール、又はこれらの組み合わせに直接組み込まれてよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブル磁気ディスク、ＣＤ−ＲＯＭ、又は当技術分野における任意の他の形式の記憶媒体に格納されてよい。例えば、記憶媒体は、処理ユニットに接続してよく、これにより、処理ユニットは、記憶媒体から情報を読み出し、記憶媒体に情報を書き出してよい。代わりに、記憶媒体は、処理ユニットにさらに統合されてよい。処理ユニット及び記憶媒体は、ＡＳＩＣにおいて構成されてよく、ＡＳＩＣは、ユーザ端末において構成されてよい。代わりに、処理ユニット及び記憶媒体は、ユーザ端末の異なるコンポーネントにおいて構成されてもよい。
【０１３１】
１つ又は複数の設計例において、本発明の実施形態において説明された機能は、ハードウェア、ソフトウェア、ファームウェア、又はこれらの任意の組み合わせを用いることによって実装されてよい。本発明がソフトウェアによって実装される場合、これらの機能は、コンピュータ可読媒体に格納されてよい、又は、１つ又は複数の命令もしくは符号の形で、コンピュータ可読媒体に送信される。コンピュータ可読媒体は、コンピュータ記憶媒体、又は、１つの場所から他の場所にコンピュータプログラムを移動させる通信媒体のいずれかである。記憶媒体は、任意の一般的又は特別なコンピュータによってアクセスされ得る利用可能な媒体であってよい。例えば、このようなコンピュータ可読媒体は、限定されるものではないが、ＲＡＭ、ＲＯＭ、ＥＥＰＲＯＭ、ＣＤ−ＲＯＭ、もしくは他の光ディスクストレージ、ディスクストレージもしくは他の磁気ストレージ装置、又はプログラムコードを搬送もしくは格納するために利用可能な任意の他の媒体を含んでよい。ここで、プログラムコードは、命令もしくはデータ構造の形である、又は、一般的もしくは特別なコンピュータ、又は一般的もしくは特別な処理ユニットによって、読み出し可能な形成である。さらに、任意の接続は、コンピュータ可読媒体として、適宜定義されてよい。例えば、ソフトウェアが、同軸ケーブル、光ファイバケーブル、ツイストペア、デジタル加入者線（ＤＳＬ）を用いることによって、又は赤外線、無線、もしくはマイクロ波のような無線方式で、ウェブサイト、サーバ、又は他の遠隔リソースから送信される場合、ソフトウェアは、定義されたコンピュータ可読媒体に含まれる。ディスク（ｄｉｓｋ）及びディスク（ｄｉｓｃ）は、圧縮ディスク、レーザディスク、光ディスク、ＤＶＤ、フロッピ（登録商標）ディスク、及びＢｌｕｅ−ｒａｙディスクを含む。ディスクは、概して、磁気的手段によってデータをコピーし、ディスクは、概して、レーザ手段によって、データを光学的にコピーする。前述の組み合わせは、コンピュータ可読媒体に含まれてもよい。
【０１３２】
本発明における本明細書の前述の説明によれば、当技術分野の技術は、本発明の内容を利用又は実装してよい。開示された内容に基づくあらゆる変形は、当技術分野において明らかであるとみなされるものとする。本発明において説明された基本原理は、本発明の本質及び範囲から逸脱することなく、他のバリエーションに適用されてよい。従って、本発明において開示された内容は、説明された実施形態及び設計に限定されるものではないが、本発明の原理及び開示された新規な特徴と整合する最大範囲にまで拡張されてもよい。
【図１】
2018500840.tif 000003
【図２】
2018500840.tif 000004
【図３】
2018500840.tif 000005
【図４】
2018500840.tif 000006
【図４Ｂ】
2018500840.tif 000007
【図５】
2018500840.tif 000008
【図６】
2018500840.tif 000009
【図７】
2018500840.tif 000010
【図８】
2018500840.tif 000011
【図９】
2018500840.tif 000012
【図１０】
2018500840.tif 000013
【図１１】
2018500840.tif 000014
【図１２】
2018500840.tif 000015
【図１３】
2018500840.tif 000016
【手続補正書】
【提出日】平成29年8月8日(2017.8.8)
【手続補正１】
【補正対象書類名】特許請求の範囲
【補正対象項目名】全文
【補正方法】変更
【補正の内容】
【特許請求の範囲】
【請求項１】
通信方法であって、
端末によって、基地局によって送信されたマシンタイプ通信（ＭＴＣ）サービスのリソース構成情報を受信する段階であって、前記ＭＴＣサービスの前記リソース構成情報は、ダウンリンクＭＴＣリソースについての情報を含む、段階と、
前記端末によって、前記ＭＴＣサービスの前記リソース構成情報に従って、前記ダウンリンクＭＴＣリソースを決定する段階と、
前記端末によって、前記ダウンリンクＭＴＣリソースにおいてＭＴＣサブフレームを用いることによって、前記基地局と共にＭＴＣサービス送信を実行する段階と、
を備える方法。
【請求項２】
前記ＭＴＣサブフレームに含まれるシンボルの数は、標準サブフレームに含まれるシンボルの数より少ない、請求項１に記載の方法。
【請求項３】
前記ＭＴＣサービスの前記リソース構成情報は、前記ＭＴＣサブフレームの構成情報をさらに含み、前記ＭＴＣサブフレームの前記構成情報は、前記ＭＴＣサブフレームに含まれるシンボルの数を含む、請求項１又は２に記載の方法。
【請求項４】
端末によって、基地局によって送信されたＭＴＣサービスのリソース構成情報を受信する前記段階は、前記基地局によって、標準サブフレームにおいて物理ダウンリンク制御チャネル（ＰＤＣＣＨ）を用いることによって送信された前記ＭＴＣサービスの前記リソース構成情報を、前記端末によって受信する段階を含む、請求項２又は３に記載の方法。
【請求項５】
端末によって、基地局によって送信された前記ＭＴＣサービスのダウンリンク制御情報を受信する前記段階は、前記基地局によって、標準サブフレームにおいて拡張型ＰＤＣＣＨを用いることによって送信された前記ＭＴＣサービスの前記リソース構成情報を、前記端末によって受信する段階を含む、請求項２又は３に記載の方法。
【請求項６】
前記端末によって、前記ダウンリンクＭＴＣリソースにおいてＭＴＣサブフレームを用いることによって、前記基地局と共にＭＴＣサービス送信を実行する前記段階は、
前記端末によって、前記基地局によって送信された前記ＭＴＣサービスのダウンリンク制御情報を受信する段階であって、前記ダウンリンク制御情報は、前記ＭＴＣサービスのダウンリンクデータ送信に用いられるリソースについての情報を示し、前記ＭＴＣサービスのダウンリンクデータ送信に用いられる前記リソースは、前記ダウンリンクＭＴＣリソースに位置する、段階と、
前記基地局によって、前記ＭＴＣサービスのダウンリンクデータ送信に用いられる前記リソースにおいて、送信周期として前記ＭＴＣサブフレームを用いることによって、前記端末に送信された前記ＭＴＣサービスのダウンリンクデータを、前記端末によって受信する段階と、
を含む、請求項１から５のいずれか１項に記載の方法。
【請求項７】
前記端末によって、前記基地局によって送信された前記ＭＴＣサービスのダウンリンク制御情報を受信する前記段階は、
前記基地局によって、前記ダウンリンクＭＴＣリソースの物理ダウンリンク制御チャネル（ＰＤＣＣＨ）において、送信周期として前記ＭＴＣサブフレームを用いることによって送信された前記ＭＴＣサービスのダウンリンク制御情報を、前記端末によって受信する段階を含む、請求項１から６のいずれか１項に記載の方法。
【請求項８】
前記端末によって、前記ダウンリンクＭＴＣリソースにおいてＭＴＣサブフレームを用いることによって、前記基地局と共にＭＴＣサービス送信を実行する前記段階は、
前記端末によって、前記基地局によって送信された、ＭＴＣサービスダウンリンク送信に用いられる拡散符号を受信する段階と、
前記端末によって、ＭＴＣサービスダウンリンク送信に用いられる前記拡散符号に従って、前記ダウンリンクＭＴＣリソースにおいて、送信周期として前記ＭＴＣサブフレームを用いることによって、前記基地局によって送信された前記ＭＴＣサービスのダウンリンクデータを受信する段階と、
を含む、請求項１から７のいずれか１項に記載の方法。
【請求項９】
前記ＭＴＣサブフレームに含まれるシンボルの数は、前記ＭＴＣサービスの送信遅延に従って構成される、請求項１から８のいずれか１項に記載の方法。
【請求項１０】
前記方法は、ロングタームエボリューション（ＬＴＥ）システムに適用され、
前記ダウンリンクＭＴＣリソースは、前記ＬＴＥシステムの前記リソースに位置する、請求項１から９のいずれか１項に記載の方法。
【請求項１１】
端末であって、
基地局によって送信されたマシンタイプ通信（ＭＴＣ）サービスのリソース構成情報を受信する送受信機であって、前記ＭＴＣサービスの前記リソース構成情報は、ダウンリンクＭＴＣリソースについての情報を含む、送受信機と、
前記ＭＴＣサービスの前記リソース構成情報に従って、前記ダウンリンクＭＴＣリソースを決定するプロセッサと、
を備え、
前記送受信機は、さらに、前記ダウンリンクＭＴＣリソースにおいてＭＴＣサブフレームを用いることによって、前記基地局と共にＭＴＣサービス送信を実行する、端末。
【請求項１２】
前記ＭＴＣサブフレームに含まれるシンボルの数は、標準サブフレームに含まれるシンボルの数より少ない、請求項１１に記載の端末。
【請求項１３】
前記ＭＴＣサービスの前記リソース構成情報は、前記ＭＴＣサブフレームの構成情報をさらに含み、前記ＭＴＣサブフレームの前記構成情報は、前記ＭＴＣサブフレームに含まれるシンボルの数を含む、請求項１１又は１２に記載の端末。
【請求項１４】
前記送受信機は、前記基地局によって、標準サブフレームにおいて物理ダウンリンク制御チャネル（ＰＤＣＣＨ）を用いることによって送信された前記ＭＴＣサービスの前記リソース構成情報を受信する、請求項１２又は１３に記載の端末。
【請求項１５】
前記送受信機は、前記基地局によって、標準サブフレームにおいて拡張型ＰＤＣＣＨを用いることによって送信された前記ＭＴＣサブフレームの前記リソース構成情報を受信する、請求項１２又は１３に記載の端末。
【請求項１６】
前記送受信機は、さらに、前記基地局によって送信された前記ＭＴＣサービスのダウンリンク制御情報を受信し、前記ダウンリンク制御情報は、前記ＭＴＣサービスのダウンリンクデータ送信に用いられるリソースについての情報を示し、前記ＭＴＣサービスのダウンリンクデータ送信に用いられる前記リソースは、前記ダウンリンクＭＴＣリソースに位置し、
前記送受信機は、さらに、前記基地局によって、前記ＭＴＣサービスのダウンリンクデータ送信に用いられる前記リソースにおいて、送信周期として前記ＭＴＣサブフレームを用いることによって、前記端末に送信された前記ＭＴＣサービスのダウンリンクデータを受信する、
請求項１１から１５のいずれか１項に記載の端末。
【請求項１７】
前記送受信機は、前記基地局によって、前記ダウンリンクＭＴＣリソースの物理ダウンリンク制御チャネル（ＰＤＣＣＨ）において、送信周期として前記ＭＴＣサブフレームを用いることによって送信された前記ＭＴＣサービスのダウンリンク制御情報を受信する、請求項１１から１６のいずれか１項に記載の端末。
【請求項１８】
前記送受信機は、さらに、前記基地局によって送信された、ＭＴＣサービスダウンリンク送信に用いられる拡散符号を受信し、
前記送受信機は、さらに、ＭＴＣサービスダウンリンク送信に用いられる前記拡散符号に従って、前記ダウンリンクＭＴＣリソースにおいて、送信周期として前記ＭＴＣサブフレームを用いることによって、前記基地局によって送信された前記ＭＴＣサービスのダウンリンクデータを受信する請求項１１から１７のいずれか１項に記載の端末。
【請求項１９】
前記ＭＴＣサブフレームに含まれるシンボルの数は、前記ＭＴＣサービスの送信遅延に従って構成される、請求項１１から１８のいずれか１項に記載の端末。
【請求項２０】
前記端末は、ロングタームエボリューション（ＬＴＥ）システムに適用され、
前記ダウンリンクＭＴＣリソースは、前記ＬＴＥシステムの前記リソースに位置する、
請求項１１から１９のいずれか１項に記載の端末。
【請求項２１】
請求項１から１０のいずれか１項に記載の方法をコンピュータに実行させるためのプログラム。
【手続補正２】
【補正対象書類名】明細書
【補正対象項目名】全文
【補正方法】変更
【補正の内容】
【発明の詳細な説明】
【技術分野】
【０００１】
本発明は、無線通信技術に関し、詳細には、通信方法、通信システム、及び装置に関する。
【背景技術】
【０００２】
通信技術の進歩により、マシンタイプ通信（ＭＴＣ）がますます普及してきている。無線通信技術は、ＭＴＣにおいてより適用される必要がある。例えば、無線通信は、スマートグリッド、インテリジェント輸送、遠隔医療、及び油田ならびに鉱山モニタリングのような、ＭＴＣのマシン間で実行される必要がある。
【０００３】
従来技術において、ユーザ機器（ＵＥ）がアップリンクデータ送信を実行する必要がある場合に、ＵＥは、スケジューリング要求（ＳＲ）を基地局（ＢＳ）に送信する。基地局は、リソース割り当て情報をＵＥに送信する。ＵＥは、リソース割り当て情報に従って割り当てられたリソースにおいて、アップリンクデータ送信を実行する。
【０００４】
従来技術において、アップリンクデータ送信処理の遅延は、比較的長い。いくつかのＭＴＣ適用において、特別な遅延要件が存在する。従来技術におけるアップリンクデータ送信処理の遅延は、ＭＴＣ適用の要件を満たすことができない。
【発明の概要】
【０００５】
本発明は、ＭＴＣサービスの遅延要件を満たすべく、通信方法、通信システム、及び装置を提供する。
【０００６】
本発明の実施形態の第１の態様は、通信方法を提供する。方法は、基地局によって、ＭＴＣサービスのリソース構成情報を取得する段階であって、ＭＴＣサービスのリソース構成情報は、アップリンクＭＴＣリソースについての情報及びダウンリンクＭＴＣリソースについての情報を含む、段階と、基地局によって、ＭＴＣサービスのリソース構成情報をＭＴＣ端末に送信する段階と、基地局によって、ＭＴＣサービスのダウンリンク制御情報をＭＴＣ端末に送信する段階であって、ダウンリンク制御情報は、ＭＴＣサービスのダウンリンクデータ送信に用いられるリソースについての情報を示し、ＭＴＣサービスのダウンリンクデータ送信に用いられるリソースは、ダウンリンクＭＴＣリソースに位置する、段階と、基地局によって、ＭＴＣサービスのダウンリンクデータ送信に用いられるリソースにおいて、送信周期としてＭＴＣサブフレームを用いることによって、ＭＴＣサービスのダウンリンクデータをＭＴＣ端末に送信する段階であって、ＭＴＣサブフレームに含まれるシンボルの数は、ＭＴＣサービスの送信遅延に従って構成される、段階と、ＭＴＣ端末によって、アップリンクＭＴＣリソースにおいて、送信周期としてＭＴＣサブフレームを用いることによって、送信されたＭＴＣサービスのアップリンクデータを受信する段階と、を含む。
【０００７】
本発明の実施形態の第２の態様は、通信方法を提供する。方法は、ＭＴＣ端末によって、基地局によって送信されたＭＴＣサービスのリソース構成情報を受信する段階であって、ＭＴＣサービスのリソース構成情報は、アップリンクＭＴＣリソースについての情報及びダウンリンクＭＴＣリソースについての情報を含む、段階と、基地局によって送信されたＭＴＣサービスのダウンリンク制御情報を、ＭＴＣ端末によって受信する段階であって、ダウンリンク制御情報は、ＭＴＣサービスのダウンリンクデータ送信に用いられるリソースについての情報を示し、ＭＴＣサービスのダウンリンクデータ送信に用いられるリソースは、ダウンリンクＭＴＣリソースに位置する、段階と、基地局によって、ＭＴＣサービスのダウンリンクデータ送信に用いられるリソースにおいて、送信周期としてＭＴＣサブフレームを用いることによってＭＴＣ端末に送信されたＭＴＣサービスのダウンリンクデータを、ＭＴＣ端末によって受信する段階であって、ＭＴＣサブフレームに含まれるシンボルの数は、ＭＴＣサービスの送信遅延に従って構成される、段階と、ＭＴＣ端末によって、アップリンクＭＴＣリソースにおいて、送信周期としてＭＴＣサブフレームを用いることによって、ＭＴＣサービスのアップリンクデータを送信する段階と、を含む。
【０００８】
本発明の実施形態において提供される前述の方法によれば、ＭＴＣ端末がＭＴＣサービスを有する場合、基地局は、アップリンクＭＴＣリソースについての情報及びダウンリンクＭＴＣリソースについての情報をＭＴＣ端末に送信し、ＭＴＣサービスのダウンリンク制御情報をＭＴＣ端末に送信し、これにより、ＭＴＣ端末は、ＭＴＣサービスのダウンリンクデータ送信に用いられるリソース及びＭＴＣサービスのアップリンクデータ送信に用いられるリソースを認識することができ、基地局及びＭＴＣ端末は、ＭＴＣサブフレームにおいてＭＴＣサービスのアップリンクデータ及びダウンリンクデータを送信する。ここで、ＭＴＣサブフレームのシンボルの数は、ＭＴＣサービスの送信遅延を用いることによって構成される。従って、ＭＴＣサービスの遅延要件を満たすことができ、ＭＴＣサービスの通信品質を確保することができる。
【０００９】
本発明の実施形態の第３の態様は、通信方法を提供する。方法は、基地局によって、マシンタイプ通信ＭＴＣサービスのリソース構成情報を取得する段階であって、ＭＴＣサービスのリソース構成情報は、アップリンクＭＴＣリソースについての情報又はダウンリンクＭＴＣリソースについての情報の少なくとも１つを含む、段階と、基地局によって、ＭＴＣサービスのリソース構成情報をＭＴＣ端末に送信する段階と、基地局によって、アップリンクＭＴＣリソース及び／又はダウンリンクＭＴＣリソースにおいてＭＴＣサブフレームを用いることによって、ＭＴＣ端末と共にＭＴＣサービス送信を実行する段階と、を含む。
【００１０】
本発明の実施形態の第４の態様は、通信方法を提供する。方法は、マシンタイプ通信ＭＴＣ端末によって、基地局によって送信されたＭＴＣサービスのリソース構成情報を受信する段階であって、ＭＴＣサービスのリソース構成情報は、アップリンクＭＴＣリソースについての情報又はダウンリンクＭＴＣリソースについての情報の少なくとも１つを含む、段階と、ＭＴＣ端末によって、ＭＴＣサービスのリソース構成情報に従って、アップリンクＭＴＣリソース及び／又はダウンリンクＭＴＣリソースを決定する段階と、ＭＴＣ端末によって、アップリンクＭＴＣリソース及び／又はダウンリンクＭＴＣリソースにおいてＭＴＣサブフレームを用いることによって、基地局と共にＭＴＣサービス送信を実行する段階と、を含む。
【００１１】
本発明の実施形態の第１の態様、第２の態様、第３の態様、又は第４の態様の実装方式において、ＭＴＣサブフレームに含まれるシンボルの数は、標準サブフレームに含まれるシンボルの数より少ない。本実装方式によれば、短送信遅延要件を有するＭＴＣサービスが実装されてよい。
【００１２】
本発明の実施形態の第１の態様、第２の態様、第３の態様、もしくは第４の態様の実装方式において、又は第１の態様、第２の態様、第３の態様、もしくは第４の態様の実装方式のさらなる実装方式において、ＭＴＣサービスのリソース構成情報は、ＭＴＣサブフレームの構成情報をさらに含み、ＭＴＣサブフレームの構成情報は、ＭＴＣサブフレームに含まれるシンボルの数を含む。
【００１３】
本発明の実施形態の第１の態様、第２の態様、第３の態様、もしくは第４の態様の実装方式において、又は第１の態様、第２の態様、第３の態様、もしくは第４の態様の実装方式のさらなる実装方式において、基地局は、標準サブフレームにおけるＰＤＣＣＨ又は拡張型ＰＤＣＣＨを用いることによって、ＭＴＣサブフレームの構成情報をＭＴＣ端末に送信してよい。本実装方式において、基地局は、アップリンクＭＴＣリソースについての情報及びダウンリンクＭＴＣリソースについての情報を、迅速かつフレキシブルに、ＭＴＣ端末に送信してよく、ＭＴＣサービスの送信遅延要件が変化する場合、ＭＴＣサービスのリソース構成情報を迅速に更新してよい。標準サブフレームを用いることによる送信は、既存のシステムの構成を変化させることを必要としなくてよく、既存の通信仕様との互換性を有し、ＭＴＣサービス通信のコストを減少させる。
【００１４】
本発明の実施形態の第１の態様、第２の態様、第３の態様、もしくは第４の態様の実装方式において、又は第１の態様、第２の態様、第３の態様、もしくは第４の態様の実装方式のさらなる実装方式において、基地局は、標準サブフレーム及びブロードキャストメッセージを用いることによって、ＭＴＣサブフレームの構成情報をＭＴＣ端末に送信してよい、又は、標準サブフレーム及び無線リソース制御シグナリングを用いることによって、ＭＴＣサブフレームの構成情報をＭＴＣ端末に送信してよい。本実装方式において、システムのシグナリングオーバヘッドは減少し得る。さらに、標準サブフレームを用いることによる送信は、既存のシステムの構成を変化させることを必要としなくてよく、既存の通信仕様との互換性を有し、ＭＴＣサービス通信のコストを減少させる。
【００１５】
本発明の実施形態の第１の態様、第２の態様、第３の態様、もしくは第４の態様の実装方式において、又は第１の態様、第２の態様、第３の態様、もしくは第４の態様の実装方式のさらなる実装方式において、基地局は、マクロ基地局又はスモールセルであり、マクロ基地局又はスモールセルは、標準サブフレームを用いることによって、非ＭＴＣ端末との通信を実行してよい。基地局は、標準サブフレームを用いることによって、同じ周波数帯で非ＭＴＣ端末との通信を実行してよい。
【００１６】
本発明の実施形態の第１の態様、第２の態様、第３の態様、もしくは第４の態様の実装方式において、又は第１の態様、第２の態様、第３の態様、もしくは第４の態様の実装方式のさらなる実装方式において、基地局は、第１のキャリアを用いることによって、ＭＴＣサービスのリソース構成情報をＭＴＣ端末に送信し、基地局は、第２のキャリアを用いることによって、ＭＴＣサービスのダウンリンクデータ送信に用いられるリソースにおいて、送信周期としてＭＴＣサブフレームを用いることによって、ＭＴＣサービスのダウンリンクデータをＭＴＣ端末に送信し、基地局は、ＭＴＣ端末によって、第３のキャリアを用いることによって、アップリンクＭＴＣリソースにおいて、送信周期としてＭＴＣサブフレームを用いることによって、送信されたＭＴＣサービスのアップリンクデータを受信する。基地局は、システムの周波数リソースを十分に利用すべく、ＭＴＣサービスのリソース構成情報を送信してよく、異なるキャリアにおいて、ＭＴＣサービスのアップリンク及びダウンリンクデータを送信してよい。
【００１７】
本発明の実施形態の第１の態様、第２の態様、第３の態様、もしくは第４の態様の実装方式において、又は第１の態様、第２の態様、第３の態様、もしくは第４の態様の実装方式のさらなる実装方式において、基地局によって、ＭＴＣサービスのダウンリンク制御情報をＭＴＣ端末に送信する段階は、基地局によって、ダウンリンクＭＴＣリソースの物理ダウンリンク制御チャネルＰＤＣＣＨにおいて、送信周期としてＭＴＣサブフレームを用いることによって、ＭＴＣサービスのダウンリンク制御情報をＭＴＣ端末に送信する段階を含む。
【００１８】
本発明の実施形態の第１の態様、第２の態様、第３の態様、もしくは第４の態様の実装方式において、又は第１の態様、第２の態様、第３の態様、もしくは第４の態様の実装方式のさらなる実装方式において、基地局によって、ＭＴＣサービスのダウンリンク制御情報をＭＴＣ端末に送信する段階は、基地局によって、標準サブフレームのＰＤＣＣＨにおいて、ＭＴＣサービスのダウンリンク制御情報をＭＴＣ端末に送信する段階を含む。
【００１９】
本発明の実施形態の第５の態様は、基地局を提供する。基地局は、マシンタイプ通信ＭＴＣサービスのリソース構成情報を取得するように構成される処理ユニットであって、ＭＴＣサービスのリソース構成情報は、アップリンクＭＴＣリソースについての情報及びダウンリンクＭＴＣリソースについての情報を含む、処理ユニットと、ＭＴＣサービスのリソース構成情報をＭＴＣ端末に送信し、ＭＴＣサービスのダウンリンク制御情報をＭＴＣ端末に送信するように構成される送受信ユニットであって、ダウンリンク制御情報は、ＭＴＣサービスのダウンリンクデータ送信に用いられるリソースについての情報を示し、ＭＴＣサービスのダウンリンクデータ送信に用いられるリソースは、ダウンリンクＭＴＣリソースに位置する、送受信ユニットと、を含む。送受信ユニットは、ＭＴＣサービスのダウンリンクデータ送信に用いられるリソースにおいて、送信周期としてＭＴＣサブフレームを用いることによって、ＭＴＣサービスのダウンリンクデータをＭＴＣ端末に送信し、ＭＴＣ端末によって、アップリンクＭＴＣリソースにおいて、送信周期としてＭＴＣサブフレームを用いることによって送信されたＭＴＣサービスのアップリンクデータを受信するようにさらに構成される。ここで、ＭＴＣサブフレームに含まれるシンボルの数は、ＭＴＣサービスの送信遅延に従って構成される。
【００２０】
本発明の実施形態の第６の態様は、ＭＴＣ端末を提供する。ＭＴＣ端末は、基地局によって送信されたＭＴＣサービスのリソース構成情報を受信し、基地局によって送信されたＭＴＣサービスのダウンリンク制御情報を受信するように構成される送受信ユニットと、ＭＴＣサービスのリソース構成情報及びＭＴＣサービスのダウンリンク制御情報に従って、アップリンクＭＴＣリソース及びＭＴＣサービスのダウンリンクデータ送信に用いられるリソースを取得するように構成される処理ユニットと、を含む。ここで、ＭＴＣサービスのリソース構成情報は、アップリンクＭＴＣリソースについての情報及びダウンリンクＭＴＣリソースについての情報を含み、ダウンリンク制御情報は、ＭＴＣサービスのダウンリンクデータ送信に用いられるリソースについての情報を示し、ＭＴＣサービスのダウンリンクデータ送信に用いられるリソースは、ダウンリンクＭＴＣリソースに位置する。送受信ユニットは、基地局によって、ＭＴＣサービスのダウンリンクデータ送信に用いられるリソースにおいて、送信周期としてＭＴＣサブフレームを用いることによって、ＭＴＣ端末に送信されたＭＴＣサービスのダウンリンクデータを受信し、アップリンクＭＴＣリソースにおいて、送信周期としてＭＴＣサブフレームを用いることによって、ＭＴＣサービスのアップリンクデータを送信するようにさらに構成される。ここで、ＭＴＣサブフレームに含まれるシンボルの数は、ＭＴＣサービスの送信遅延に従って構成される。
【００２１】
本発明の実施形態の第７の態様は、基地局を提供する。基地局は、マシンタイプ通信ＭＴＣサービスのリソース構成情報を取得するように構成される処理ユニットであって、ＭＴＣサービスのリソース構成情報は、アップリンクＭＴＣリソースについての情報又はダウンリンクＭＴＣリソースについての情報の少なくとも１つを含む、処理ユニットと、ＭＴＣサービスのリソース構成情報をＭＴＣ端末に送信し、アップリンクＭＴＣリソース及び／又はダウンリンクＭＴＣリソースにおいてＭＴＣサブフレームを用いることによって、ＭＴＣ端末と共にＭＴＣサービス送信を実行するように構成される送受信ユニットと、を含む。
【００２２】
本発明の実施形態の第８の態様は、ＭＴＣ端末を提供する。ＭＴＣ端末は、基地局によって送信されたＭＴＣサービスのリソース構成情報を受信するように構成される送受信ユニットであって、ＭＴＣサービスのリソース構成情報は、アップリンクＭＴＣリソースについての情報又はダウンリンクＭＴＣリソースについての情報の少なくとも１つを含む、送受信ユニットと、ＭＴＣサービスのリソース構成情報に従って、アップリンクＭＴＣリソース及び／又はダウンリンクＭＴＣリソースを決定するように構成される処理ユニットと、を含み、送受信ユニットは、アップリンクＭＴＣリソース及び／又はダウンリンクＭＴＣリソースにおいてＭＴＣサブフレームを用いることによって、基地局と共にＭＴＣサービス送信を実行するようにさらに構成される。
【００２３】
本発明の実施形態の第１の態様、第２の態様、第３の態様、又は第４の態様と同様に、本発明の実施形態において提供される基地局又はＭＴＣ端末によって、ＭＴＣサービスの遅延要件を満たすことができ、ＭＴＣサービスの通信品質を確保することができる。
【００２４】
本発明の実施形態の第９の態様は、通信システムをさらに提供する。通信システムは、ＭＴＣ端末と、基地局と、を含んでよい。
【００２５】
本発明の実施形態の第９の態様の実装方式において、通信システムは、集中制御ノードをさらに含んでよい。基地局は、集中制御ノードから、ＭＴＣサービスのリソース構成情報を要求してよい。
【００２６】
本発明の実施形態の第１０の態様は、コンピュータプログラムをさらに提供する。コンピュータプログラムは、第１の態様、第２の態様ならびに第１の態様及び第２の態様の実装方式において提供される方法を、コンピュータに実行させる。
【００２７】
本発明の実施形態において提供される第１の態様、第２の態様、第３の態様、又は第４の態様の実装方式は、全て、本発明の実施形態において提供される第５の態様から第１０の態様のいずれか１つに適宜適用されてよい。
【００２８】
本発明の実施形態において提供される全ての態様及び全ての実装方式において、標準サブフレームは、ＬＴＥシステムのサブフレームであってよく、標準サブフレームは、１２個又は１４個のシンボルを含んでよい。
【００２９】
本発明の実施形態において提供される全ての態様及び全ての実装方式において、アップリンクＭＴＣリソースは、ＬＴＥシステムのリソースに位置する、及び／又は、ダウンリンクＭＴＣリソースは、ＬＴＥシステムのリソースに位置する。
【図面の簡単な説明】
【００３０】
本発明の実施形態における技術的解決手段をより明確に説明すべく、以下、実施形態又は従来技術の説明に必要な添付図面を簡潔に説明する。以下の説明における添付図面は、本発明のいくつかの実施形態を示しているに過ぎず、当業者であれば、これらの添付図面から、創造的努力がなくとも他の図面をさらに導き出し得ることは明らかである。
【００３１】
【図１】本発明の実施形態に係る通信システムの模式図である。
【００３２】
【図２】本発明の実施形態に係る基地局の模式的構造図である。
【００３３】
【図３】本発明の実施形態に係る端末の模式的構造図である。
【００３４】
【図４】本発明の実施形態に係る通信方法の模式的フローチャートである。
【００３５】
【図４Ｂ】本発明の実施形態に係る通信方法の模式的フローチャートである。
【００３６】
【図５】本発明の実施形態に係るＭＴＣサービスを送信する物理ダウンリンク制御チャネルの模式図である。
【００３７】
【図６】本発明の実施形態に係るＭＴＣサービスのリソース構成情報を送信する模式図である。
【００３８】
【図７】本発明の実施形態に係るＭＴＣサービスのリソース構成情報を送信する模式図である。
【００３９】
【図８】本発明の実施形態に係る通信方法の模式図である。
【００４０】
【図９】本発明の実施形態に係る通信方法の模式図である。
【００４１】
【図１０】本発明の実施形態に係る通信方法の模式図である。
【００４２】
【図１１】本発明の実施形態に係る通信方法の模式図である。
【００４３】
【図１２】本発明の実施形態に係る通信方法の模式図である。
【００４４】
【図１３】本発明の実施形態に係る通信装置の模式的構造図である。
【発明を実施するための形態】
【００４５】
本発明の具体的な技術的解決手段及び目的をより明確にすべく、以下、具体的な実装方式及び添付図面を参照して、明確かつ完全な説明を提供する。説明される実施形態は、本発明の実施形態の全てではなく、その一部に過ぎないことは明らかである。本発明の実施形態に基づいて、当業者によって、創造的努力なく得られた全ての他の実施形態は、本発明の保護範囲に属するものとする。
【００４６】
本発明の実施形態において提供される技術的解決手段は、様々な無線通信ネットワーク、例えば、符号分割多重アクセス（ＣＤＭＡ）ネットワーク、時分割多重アクセス（ＴＤＭＡ）ネットワーク、周波数多重アクセス（ＦＤＭＡ）ネットワーク、直交周波数分割多重アクセス（ＯＦＤＭＡ）ネットワーク、シングルキャリアＦＤＭＡ（ＳＣ−ＦＤＭＡ）ネットワーク、及び他のネットワークに適用されてよい。「ネットワーク」及び「システム」という用語は、互いに交換可能であってよい。ＣＤＭＡネットワークは、ユニバーサル地上無線アクセス（ＵＴＲＡ）及びＣＤＭＡ２０００のような無線技術を実装してよい。ＵＴＲＡは、ＣＤＭＡ（ＷＣＤＭＡ（登録商標））及びＣＤＭＡの他のバリエーションを含んでよい。ＣＤＭＡ２０００は、暫定標準（ｉｎｔｅｒｉｍ  ｓｔａｎｄａｒｄ、ＩＳ）２０００（ＩＳ−２０００）、ＩＳ−９５標準、及びＩＳ−８５６標準をカバーしてよい。ＴＤＭＡネットワークは、グローバルシステムフォーモバイルコミュニケーション（ＧＳＭ（登録商標））のような無線技術を実装してよい。ＯＦＤＭＡネットワークは、進化型ユニバーサル地上無線アクセス（Ｅ−ＵＴＲＡ）、ウルトラモバイルブロードバンド（ＵＭＢ）、ＩＥＥＥ８０２．１１（Ｗｉ‐Ｆｉ）、ＩＥＥＥ８０２．１６（ＷｉＭａｘ）、ＩＥＥＥ８０２．２０、及びフラッシュＯＦＤＭＡのような無線技術を実装してよい。ＵＴＲＡ及びＥ−ＵＴＲＡは、ＵＭＴＳ及びＵＭＴＳの進化型バージョンである。３ＧＰＰは、ロングタームエボリューション（ＬＴＥ）及びＬＴＥアドバンスド（ＬＴＥ−Ａ）においてＥ−ＵＴＲＡを用いるＵＭＴＳの新しいバージョンである。ＵＴＲＡ、Ｅ−ＵＴＲＡ、ＵＭＴＳ、ＬＴＥ、ＬＴＥ−Ａ、及びＧＳＭ（登録商標）は、３ＧＰＰ標準化機構のドキュメントにおいて記録及び説明される。ＣＤＭＡ２０００及びＵＭＢは、３ＧＰＰ２標準化機構のドキュメントにおいて記録及び説明される。本発明の実施形態において説明される技術は、上述の無線ネットワーク及び無線技術にも適用されてよい。
【００４７】
本発明の実施形態において、ＭＴＣ適用専用ではなく、その標準において規定されるフレーム構造は、標準フレーム構造又は正常フレーム構造と称される。標準フレーム構造に含まれるサブフレームは、標準サブフレーム又は正常サブフレームと称される。例えば、音声又はデータサービスは、既存の通信標準仕様書に規定されるフレーム構造及び既存の通信標準仕様書に規定されるサブフレーム、例えば、３ＧＰＰ  ＧＳＭ（登録商標）仕様書、ＵＭＴＳ仕様書、ＬＴＥ仕様書、３ＧＰＰ２  ＣＤＭＡ仕様書、又はＩＥＥＥ仕様書に規定されるフレーム構造を用いることによって実装される。概して、標準に規定される標準フレーム構造は、遅延要件を含む、音声及びデータのようなユーザのサービスの必要性を満たすことができる。端末がアクセスを標準的に実行し、サービスを実装する処理において、遅延に対するユーザの要件は、非常に高いものではない。標準フレーム構造及び標準サブフレームに従って通信を実行することによって生成される標準遅延（又は、正常遅延と称される）がミリ秒レベルに到達しない場合であっても、ユーザは、正常な利用が影響を受けなければ、標準遅延を受容することができる。しかしながら、標準遅延は、より高い遅延要件を伴ういくつかのＭＴＣ適用には適用不可能である。
【００４８】
例えば、ＬＴＥシステムにおいて、標準フレーム構造では、無線フレームの長さが１０ミリ秒であり、無線フレームは、１０個の標準サブフレームを含む。各標準サブフレームの長さは１ミリ秒（ｍｓ）であり、標準サブフレームは、１２個又は１４個のシンボルを含む。ＵＥがアップリンクデータを送信する必要がある場合、ＵＥは、標準サブフレームにおいて、ＳＲを基地局に送信する。基地局は、ＳＲを復調し、ＳＲにおける情報を取得するために、３ｍｓを必要とする。次に、基地局は、標準サブフレームにおいて、スケジューリンググラント（ＳＧ）をＵＥに送信する。ＵＥは、ＳＧを復調し、ＳＧにおける情報を取得するために３ｍｓを必要とし、次に、ＳＧに従って割り当てられた情報に従って、アップリンクデータを送信する。アップリンクデータが標準サブフレームにおいて送信される場合、標準サブフレームを用いることによってアップリンクデータを送信する処理において、ＵＥによって必要とされる標準遅延は、少なくとも９ｍｓである。高い遅延要件を伴ういくつかのＭＴＣ適用では、例えば、スマートグリッドにおける遅延要件は３ｍｓであり、標準サブフレームは、低遅延の必要性を満たすことができない。
【００４９】
図１に示されるように、本発明の実施形態は、通信システム１０を提供する。通信システム１０は、基地局１１０と、端末１２０とを含んでよい。端末１２０は、ＭＴＣサブフレームを用いることによって、ＭＴＣサービスを実装してよい。本発明の本実施形態において、ＭＴＣサービスは、短遅延要件を有する。短遅延は、標準遅延より短い。ＭＴＣサービスは、短遅延の必要性を有するサービスの表現名称に過ぎず、任意の短遅延サービスを含んでよい。ＭＴＣサービスは、サービスに対して、何ら制限を有さない。ＭＴＣサブフレームは、サブフレームの名称に対する制限を指すに過ぎず、特定の適用シナリオを制限するものではなく、短遅延要件を有する全てのデータ送信に適用されてよい。従って、ＭＴＣサービスは、短遅延サービスとも称されてよく、ＭＴＣサブフレームは、短サブフレームとも称されてよい。
【００５０】
本発明の本実施形態において、ＭＴＣサブフレームに含まれるシンボルの数は、標準サブフレームに含まれるシンボルの数より少ない。ＭＴＣサブフレームに含まれるシンボルの数は、ＭＴＣサービスによって必要とされる送信遅延に従って構成されてよい。任意に、ＭＴＣサブフレームに含まれるシンボルの数は、必要とされる送信遅延に従って、かつ、スケジューリング遅延又は処理遅延の少なくとも１つを参照して、構成されてよい。ＭＴＣサブフレームに含まれるシンボルの数は、必要とされる送信遅延に正比例してよい。必要とされる送信遅延がより短いことは、シンボルがより少数であることを示す。例えば、ＬＴＥシステムにおいて、標準サブフレームの長さは１ｍｓであり、標準サブフレームに含まれるシンボルの数は、１２又は１４である。従って、本発明の本実施形態におけるＭＴＣサブフレームに含まれるシンボルの数は、１４又は１２より少なくてよく、例えば、その数は２もしくは３であってよく、又は、必要性に従って、１として、もしくは１２より少ない他の数として構成されてよい。本発明の本実施形態において、異なる遅延の必要性を伴うＭＴＣ適用を満たすことができる。
【００５１】
本実施形態において、端末１２０は、短遅延サービスをサポートしてよく、短遅延サービスをサポートする端末と称されてよく、又は、ＭＴＣ端末と称されてよい。端末１２０は、標準サブフレームを用いることによって、データ送信を実行してもよい。従って、端末１２０は、標準遅延又はより長い遅延を伴うデータ送信サービスを、互換可能に実装してよい。
【００５２】
本発明の本実施形態において、端末１２０は、移動局（ユーザ機器、加入者ユニット、携帯電話、スマートフォン、無線データカード、パーソナルデジタルアシスタント（ＰＤＡ）コンピュータ、タブレットコンピュータ、無線モデム、ハンドヘルドデバイス、ラップトップコンピュータ、コードレス電話、又は無線ローカルループ（ＷＬＬ）ステーションであってよい。代わりに、端末１２０は、マシン間で通信を実行するための端末デバイス、及び、例えば、位相測定ユニット（ＰＭＵ）及び先進測定装置（ＡＭＩ）のような無線通信機能を有するモノのインターネット端末を含んでよい。
【００５３】
本発明の本実施形態における基地局１１０は、マクロ基地局であってよく、又は、スモールセルのようなアクセスネットワークデバイスであってよい。スモールセルの送信電力及びカバレッジは、両方とも、マクロ基地局のものより小さい。例えば、スモールセルは、ホームエボルブドＮｏｄｅ  Ｂ（ＨｅＮｏｄｅＢ）、マイクロ基地局、アクセスポイント（ＡＰ）、及びピコ基地局であってよい。
【００５４】
図１に示されるように、任意に、通信システム１０は、ＭＴＣサービスをサポートしない端末１３０をさらに含んでよい。短遅延サービスをサポートしない端末１３０は、非ＭＴＣ端末と称されてよい。非ＭＴＣ端末は、標準サブフレームを用いることによって、通信を実行してよい。従って、端末１３０は、標準端末又は従来型端末とも称されてよい。本発明の本実施形態において、基地局１１０は、ＭＴＣサブフレームを用いることによって、ＭＴＣ端末１２０との通信を実行してよく、標準サブフレームを用いることによって、ＭＴＣサービスをサポートしない非ＭＴＣ端末１３０との通信を実行してもよい。任意に、ＭＴＣサブフレームを用いることによって、短遅延サービスをサポートしない端末１２０との通信を実行し、標準サブフレームを用いることによって、短遅延サービスをサポートしない端末１３０との通信を実行する場合、基地局１１０は、同じ周波数帯を用いてよい。
【００５５】
図１に示されるように、通信システム１０は、基地局１４０をさらに含んでよい。基地局１１０及び基地局１４０は、両方ともマクロ基地局、もしくは両方ともスモールセルであってよく、又は、基地局１１０及び基地局１４０の１つがマクロ基地局、他の１つがスモールセルである。基地局１４０は、ＭＴＣサブフレームを用いることによって、ＭＴＣ端末１２０との通信を実行してもよく、標準サブフレームを用いることによって、非ＭＴＣ端末１３０との通信を実行してもよい。通信システム１０は、集中制御ノード１５０、例えば、シングルアクセスネットワークコントローラ（ＳＲＣ）をさらに含んでよい。基地局１１０及び基地局１４０は、両方とも、集中制御ノードによって制御されてよい。
【００５６】
図２に示されるように、図２は、本発明の実施形態に係る基地局１１０を示す。基地局１１０は、処理ユニット１１２と、送受信ユニット１１４とを含んでよい。図３に示されるように、図３は、本発明の実施形態に係る端末１２０を示す。端末１２０は、送受信ユニット１２２と、処理ユニット１２４とを含んでよい。本発明の本実施形態において、処理ユニット１１２及び送受信ユニット１１４は基地局１１０に含まれ、処理ユニット１２４及び送受信ユニット１２２は端末１２０に含まれるので、処理ユニット１１２又は送受信ユニット１１４によって実行されるオペレーションは、全て基地局１１０のオペレーションとみなされてよく、処理ユニット１２４又は送受信ユニット１２２によって実行されるオペレーションは、全て端末１２０のオペレーションとみなされてよい。本発明の本実施形態において、基地局１１０の処理ユニット１１２は、基地局１１０のプロセッサによって実装されてよく、送受信ユニット１１４は、基地局１１０の送受信機によって実装されてよい。端末１２０の処理ユニット１２４は、端末１２０のプロセッサによって実装されてよく、送受信ユニット１２２は、端末１２０の送受信機によって実装されてよい。
【００５７】
図４に示されるように、図４は、ＭＴＣサービスを実装するための、本発明の実施形態に係る通信方法を示す。方法は、通信システム１０に適用されてよい。本実施形態において提供される方法は、図２に示される基地局１１０及び図３に示される端末１２０によって実装されてよい。通信方法は、第１に、以下のステップを含むリソース構成方法を含んでよい。
【００５８】
ステップ４０１：基地局１１０は、ＭＴＣサービスのリソース構成情報を取得する。
【００５９】
ＭＴＣサービスのリソース構成情報は、アップリンクＭＴＣリソースについての情報及びダウンリンクＭＴＣリソースについての情報、すなわち、ＭＴＣサービスに用いられるアップリンクリソースを示す情報及び／又はＭＴＣサービスに用いられるダウンリンクリソースを示す情報の少なくとも１つを含む。ＭＴＣサービスに用いられるアップリンクリソースは、ＭＴＣサービスに利用可能なアップリンクリソースを指し、ＭＴＣサービスに用いられるダウンリンクリソースは、ＭＴＣサービスに利用可能なダウンリンクリソースを指す。従って、アップリンクＭＴＣリソースは、利用可能なアップリンクＭＴＣリソースとして理解されてもよく、ダウンリンクＭＴＣリソースは、利用可能なダウンリンクＭＴＣリソースとして理解されてもよい。任意に、基地局１１０の処理ユニット１１２は、ＭＴＣサービスのリソース構成情報を取得するように構成されてよい。ＭＴＣサービスのリソース構成情報は、ＭＴＣサブフレームの構成情報をさらに含んでよい。ＭＴＣサブフレームの構成情報は、ＭＴＣサブフレームに含まれるシンボルの数を含む。基地局１１０がマクロ基地局である場合、基地局１１０は、アップリンクＭＴＣリソース及び／又はダウンリンクＭＴＣリソースを別個に構成してよい。基地局１１０は、ＭＴＣサービスの送信遅延に従って、ＭＴＣサブフレームのシンボルの数を構成してよく、又は、送信遅延と、スケジューリング遅延又は処理遅延の少なくとも１つとに従って、ＭＴＣサブフレームのシンボルの数を構成してよい。代わりに、基地局１１０は、集中制御ノード１５０から、ＭＴＣサービスのリソース構成情報を要求してよい。ＭＴＣサービスのリソース構成情報は、集中制御ノード１５０によって構成され、次に、基地局１１０に送信される。基地局１１０がスモールセルである場合、基地局１１０は、スモールセルに接続されるマクロ基地局又は集中制御ノード１５０から、ＭＴＣサービスのリソース構成情報を要求してよい。ＭＴＣサービスのリソース構成情報は、集中制御ノード１５０又はマクロ基地局によって構成され、次に、基地局１１０に送信される。
【００６０】
基地局１１０のカバレッジにおける端末がＭＴＣサービス要件を有することを認識した場合、基地局１１０は、ＭＴＣサービスのリソース構成情報を構成する、又は、ＭＴＣサービスのリソース構成情報を要求する。
【００６１】
ＭＴＣサービスが異なる送信遅延要件を必要とする場合、基地局１１０は、異なる送信遅延に従って、ＭＴＣサブフレームのシンボルの数を構成し、ＭＴＣサービスの異なる適用シナリオに適応してよい。代わりに、同じＭＴＣ端末に対して、異なる時刻における送信遅延に対するＭＴＣ端末の異なる要件に従って、更新が実行され、ＭＴＣサブフレームのリソース構成情報を取得してよい。
【００６２】
ステップ４０２：基地局１１０は、ＭＴＣサービスのリソース構成情報を端末１２０に送信する。
【００６３】
任意に、基地局１１０の送受信ユニット１１４は、ＭＴＣサービスのリソース構成情報を端末１２０に送信するように構成されてよい。
【００６４】
端末１２０は、基地局１１０によって送信されたＭＴＣサービスのリソース構成情報を受信する。任意に、端末１２０の送受信ユニット１２２は、基地局１１０によって送信されたＭＴＣサービスのリソース構成情報を受信するように構成されてよい。端末１２０の処理ユニット１２４は、ＭＴＣサービスのリソース構成情報に従って、アップリンクＭＴＣリソースについての情報及び／又はダウンリンクＭＴＣリソースについての情報を取得し、ＭＴＣサービスに用いられるアップリンクリソース及び／又はダウンリンクリソースを取得する。
【００６５】
ステップ４０３：基地局１１０は、ＭＴＣサービスのダウンリンク制御情報（ＤＣＩ）を端末１２０に送信する。
【００６６】
ダウンリンク制御情報は、ＭＴＣサービスのダウンリンクデータ送信に用いられるリソースについての情報を示す、及び／又は、ＭＴＣサービスのアップリンクデータ送信に用いられるリソースについての情報を示す。ＭＴＣサービスのダウンリンクデータ送信に用いられるリソースは、ダウンリンクＭＴＣリソースに位置する。ＭＴＣサービスのダウンリンクデータ送信に用いられるリソースにおける時間ドメインリソースは、ダウンリンクＭＴＣリソースの時間ドメインリソースより小さくてよい、又はこれに等しくてよい。ＭＴＣサービスのダウンリンクデータ送信に用いられるリソースにおける周波数ドメインリソースは、ダウンリンクＭＴＣリソースの周波数ドメインリソースより小さくてよい、又はこれに等しくてよい。ＭＴＣサービスのアップリンクデータ送信に用いられるリソースは、アップリンクＭＴＣリソースに位置する。ＭＴＣサービスのアップリンクデータ送信に用いられるリソースにおける時間ドメインリソースは、アップリンクＭＴＣリソースの時間ドメインリソースより小さくてよい、又はこれに等しくてよい。ＭＴＣサービスのアップリンクデータ送信に用いられるリソースにおける周波数ドメインリソースは、アップリンクＭＴＣリソースの周波数ドメインリソースより小さくてよい、又はこれに等しくてよい。ＭＴＣサービスのアップリンクデータ送信に用いられるリソース及び／又はＭＴＣサービスのダウンリンクデータ送信に用いられるリソースは、基地局１１０と端末１２０との間で用いられるＭＴＣサービスのリソースを指す。
【００６７】
任意に、基地局１１０の送受信ユニット１１４は、ＭＴＣサービスのダウンリンク制御情報を端末１２０に送信するように構成されてよい。
【００６８】
基地局１１０は、ダウンリンクＭＴＣリソースの物理ダウンリンク制御チャネル（ＰＤＣＣＨ）において、送信周期としてＭＴＣサブフレームを用いることによって、ＭＴＣサービスのダウンリンク制御情報をＭＴＣ端末に送信してよい。本発明の本実施形態において、送信周期としてＭＴＣサブフレームを用いることによって送信することは、単位としてＭＴＣサブフレームを用いることによって送信すること、すなわち、対応周波数リソースにおいて、ＭＴＣサブフレームにおいて情報を送信することを指す。図５に示されるように、基地局１１０は、ダウンリンクＭＴＣリソースのＰＤＣＣＨにおいて、２つのシンボルを含むＭＴＣサブフレームにおいて、ＭＴＣサービスのダウンリンク制御情報を端末１２０に送信してよい。ＭＴＣサービスのダウンリンクデータ送信に用いられるリソースは、例えば、ダウンリンクＭＴＣリソースの物理ダウンリンク共有チャネル（ＰＤＳＣＨ）又はダウンリンクデータを送信する任意のチャネルリソースであってよい。ＭＴＣサービスのアップリンクデータ送信に用いられるリソースは、例えば、アップリンクＭＴＣリソースの物理アップリンク共有チャネル（ＰＵＳＣＨ）又はアップリンクデータを送信する任意のチャネルリソースであってよい。
【００６９】
代わりに、基地局１１０は、標準サブフレームのＰＤＣＣＨにおいて、ＭＴＣサービスのダウンリンク制御情報をＭＴＣ端末に送信してよい。
【００７０】
ステップ４０１及び４０２において、基地局１１０がＭＴＣサブフレームに含まれるシンボルの数を、ＭＴＣサービスのリソース構成情報において、端末１２０に送信しない場合、ダウンリンク制御情報は、ＭＴＣサブフレームに含まれるシンボルの数を含んでよい。
【００７１】
端末１２０は、基地局１１０によって、ダウンリンクＭＴＣリソースにおいて、送信周期としてＭＴＣサブフレームを用いることによって送信されたＭＴＣサービスのダウンリンク制御情報を受信する、又は、基地局１１０によって、標準サブフレームのＰＤＣＣＨ送信されたＭＴＣサービスのダウンリンク制御情報を受信する。端末１２０がＭＴＣサービスのリソース構成情報を用いることによって、ＭＴＣサービスに利用可能なアップリンクＭＴＣリソース及び／又はダウンリンクＭＴＣリソースを取得した後で、端末１２０は、ＭＴＣサービスのダウンリンク制御情報に従って、端末１２０に割り当てられるＭＴＣサービスのアップリンクデータ送信に用いられるリソース及び／又はＭＴＣサービスのダウンリンクデータ送信に用いられるリソースを決定してよい。例えば、利用されようとするＭＴＣサービスのアップリンクデータ送信に用いられるリソース及び／又はＭＴＣサービスのダウンリンクデータ送信に用いられるリソースは、ダウンリンクＭＴＣリソースのＰＤＣＣＨ又は標準サブフレームのＰＤＣＣＨを復調することによって決定されてよい。任意に、端末１２０の送受信ユニット１２２は、基地局１１０によって、ダウンリンクＭＴＣリソースにおいて送信されたＭＴＣサービスのダウンリンク制御情報を受信する、又は、標準サブフレームのＰＤＣＣＨにおいて、基地局１１０によって送信されたＭＴＣサービスのダウンリンク制御情報を受信する。端末１２０の処理ユニット１２４は、ＭＴＣサービスのダウンリンク制御情報に従って、ＭＴＣサービスのダウンリンクデータ送信に用いられるリソース及び／又はＭＴＣサービスのアップリンクデータ送信に用いられるリソースを取得するように構成されてよい。
【００７２】
本発明の全実施形態において、ＭＴＣサービスに用いられ、かつ、基地局１１０によって端末１２０のために構成されるリソースは、アップリンクＭＴＣリソース又はダウンリンクＭＴＣリソースを含み、通信システムにおける既存のリソース（時間リソース及び周波数リソースを含む）のいくつか又は全てであってよい。すなわち、ＭＴＣサービスに用いられるリソースは、通信システムにおいて既存のリソースに位置してよく、ＭＴＣサービスに用いられるリソースは、通信システムにおける既存のリソースのいくつか又は全てである。代わりに、すなわち、ＭＴＣサービスに用いられるリソースは、レガシ通信システムにおける既存のリソースであってよい。通信システムは、ＧＳＭ（登録商標）システム、ＵＭＴＳシステム、ＬＴＥシステム、又はＣＤＭＡ関連システムであってよい。通信システムにおける既存のリソースは、既存の通信仕様に従って決定されるリソース、例えば、３ＧＰＰ  ＧＳＭ（登録商標）仕様書、ＵＭＴＳ仕様書、ＬＴＥ仕様書、３ＧＰＰ２  ＣＤＭＡ仕様書、又はＩＥＥＥ仕様書に従って規定される時間周波数リソースを指す。例えば、通信システムの既存の時間周波数リソースの時間ドメインリソースは、標準サブフレームであり、周波数ドメインリソースは、ｆＭＨｚである。ＭＴＣサービスのリソースは、時間周波数リソースに位置してよく、ＭＴＣサービスのリソースの時間ドメインリソースは、標準サブフレームの長さより小さくてよい、又はこれに等しくてよい。ＭＴＣサービスのリソースの周波数ドメインリソースは、ｆＭＨｚより小さくてよい、又はこれに等しくてよい。
【００７３】
前述のリソース構成方法に従って、端末１２０は、アップリンクＭＴＣリソースを取得してよい。このように、端末１２０がＭＴＣサービスのアップリンクデータを送信する必要がある場合、端末１２０は、アップリンクＭＴＣリソースにおいて、基地局１１０のスケジューリングに従って、データを送信してよい。端末１２０は、ＭＴＣサービスのダウンリンクデータ送信に用いられるリソース及び／又はＭＴＣサービスのアップリンクデータ送信に用いられるリソースを決定すべく、さらに、ダウンリンクＭＴＣリソースについての情報及び／又はアップリンクＭＴＣリソースについての情報を取得し、ダウンリンクＭＴＣリソースについての情報に従って決定されたダウンリンクＭＴＣリソースからＭＴＣサービスのダウンリンク制御情報を取得する、又は、標準サブフレームのＰＤＣＣＨからＭＴＣサービスのダウンリンク制御情報を取得してよい。このように、基地局１１０によって伝送されたＭＴＣサービスのダウンリンクデータが受信されてよい、及び／又は、ＭＴＣサービスのアップリンクデータが基地局１１０に送信されてよい。ＭＴＣサブフレームのシンボルの数は、ＭＴＣサービスの遅延に従って決定され、標準サブフレームのシンボルの数より少ないので、確実に、ＭＴＣサービスの送信遅延要件を満たすことができる。
【００７４】
任意に、基地局１１０は、端末１２０と共に、短遅延サービスをさらに送信してよい。ＭＴＣサービス通信方法は、以下のステップ４０４及び／又はステップ４０５をさらに含む。
【００７５】
ステップ４０４：基地局１１０は、ＭＴＣサービスのダウンリンクデータ送信に用いられるリソースにおいて、送信周期としてＭＴＣサブフレームを用いることによって、ＭＴＣサービスのダウンリンクデータを端末１２０に送信する。
【００７６】
任意に、基地局１１０の送受信ユニット１１４は、ＭＴＣサービスのダウンリンクデータ送信に用いられるリソースにおいて、送信周期としてＭＴＣサブフレームを用いることによって、ダウンリンクデータを端末１２０に送信する、例えば、ＭＴＣリソースのＰＤＳＣＨにおいて、送信周期としてＭＴＣサブフレームを用いることによって、ダウンリンクデータを送信してよい。
【００７７】
端末１２０は、ＭＴＣサービスのダウンリンクデータ送信に用いられるリソースにおいて、基地局１１０によって送信されたダウンリンクデータを受信してよい。任意に、端末１２０の送受信ユニット１２２は、ＭＴＣサービスのダウンリンクデータ送信に用いられるリソースにおいて、基地局１１０によって送信されたダウンリンクデータを受信する。
【００７８】
ステップ４０５：端末１２０は、アップリンクＭＴＣリソースにおいて、送信周期としてＭＴＣサブフレームを用いることによって、ＭＴＣサービスのアップリンクデータを送信する。代わりに、端末１２０は、ＭＴＣサービスのアップリンクデータ送信に用いられるリソースにおいて、送信周期としてＭＴＣサブフレームを用いることによって、ＭＴＣサービスのアップリンクデータを送信してよい。
【００７９】
任意に、端末１２０の送受信ユニット１２２は、アップリンクＭＴＣリソースにおいて、又はＭＴＣサービスのアップリンクデータ送信に用いられるリソースにおいて、送信周期としてＭＴＣサブフレームを用いることによって、ＭＴＣサービスのアップリンクデータを送信するように構成されてよい。端末１２０は、アップリンクＭＴＣリソースにおいて、又はＭＴＣサービスのアップリンクデータ送信に用いられるリソースにおいて、基地局１１０のスケジューリングに従って、ＭＴＣサービスのアップリンクデータを送信してよい。
【００８０】
基地局１１０は、アップリンクＭＴＣリソースにおいて、又はＭＴＣサービスのアップリンクデータ送信に用いられるリソースにおいて、端末１２０によって送信されたアップリンクデータを受信してよい。任意に、基地局１１０の送受信ユニット１１４は、アップリンクＭＴＣリソースにおいて、又はＭＴＣサービスのアップリンクデータ送信に用いられるリソースにおいて、端末１２０によって送信されたアップリンクデータを受信するように構成されてよい。
【００８１】
ステップ４０４及びステップ４０５の両方が含まれる場合、ステップ４０４とステップ４０５との間の連続性に特別な制限はない。
【００８２】
図４Ｂに示されるように、図４Ｂは、ＭＴＣサービスを実装するための、本発明の実施形態に係る他の通信方法を示す。方法は、通信システム１０に適用されてよい。本実施形態において提供される方法は、図２に示される基地局１１０及び図３に示される端末１２０によって実装されてよい。通信方法は、以下のステップを含む。ステップ４０１Ｂ：基地局１１０は、ＭＴＣサービスのリソース構成情報を取得する。ＭＴＣサービスのリソース構成情報は、アップリンクＭＴＣリソースについての情報又はダウンリンクリソースについての情報の少なくとも１つを含む。すなわち、ＭＴＣサービスのリソース構成情報は、アップリンクＭＴＣリソースについての情報を含む、ＭＴＣサービスのリソース構成情報は、ダウンリンクＭＴＣリソースについての情報を含む、又は、ＭＴＣサービスのリソース構成情報は、アップリンクＭＴＣリソースについての情報及びダウンリンクＭＴＣリソースについての情報を含む。
【００８３】
ステップ４０２Ｂ：基地局１１０は、ＭＴＣサービスのリソース構成情報を端末１２０に送信する。
【００８４】
ステップ４０１Ｂ及びステップ４０２Ｂの内容は、それぞれ、図４に示される実施形態におけるステップ４０１及びステップ４０２の説明を指す。
【００８５】
ステップ４０３Ｂ：基地局１１０は、アップリンクＭＴＣリソース及び／又はダウンリンクＭＴＣリソースにおいてＭＴＣサブフレームを用いることによって、ＭＴＣ端末と共にＭＴＣサービス送信を実行する。
【００８６】
任意に、基地局１１０の送受信ユニット及び端末１２０の送受信ユニット１２２は、アップリンクＭＴＣリソース及び／又はダウンリンクＭＴＣリソースにおいてＭＴＣサブフレームを用いることによって、ＭＴＣサービス送信を実行する。
【００８７】
基地局１１０は、アップリンクＭＴＣリソースにおいてＭＴＣサブフレームを用いることによって、ＭＴＣサービスのアップリンクデータを送信してよい、ダウンリンクＭＴＣリソースにおいてＭＴＣサブフレームを用いることによって、ＭＴＣサービスのダウンリンクデータを送信してよい、又は、アップリンクＭＴＣリソース及びダウンリンクＭＴＣリソースにおいてＭＴＣサブフレームを用いることによって、ＭＴＣサービスのアップリンクデータ及びＭＴＣサービスのダウンリンクデータを送信してよい。
【００８８】
本発明の本実施形態において、ＭＴＣサブフレームは、ＭＴＣサービス送信を実行するために用いられる。すなわち、ＭＴＣサービス送信は、送信周期としてＭＴＣサブフレームを用いることによって実行される。すなわち、ＭＴＣサービスは、粒度としてＭＴＣサブフレームを用いることによって送信される。
【００８９】
本実施形態において、基地局１１０が、アップリンクＭＴＣリソース及び／又はダウンリンクＭＴＣリソースにおいてＭＴＣサブフレームを用いることによって、ＭＴＣ端末と共にＭＴＣサービス送信を実行することは、図４に示される実施形態のステップ４０３の内容を含んでよい。すなわち、基地局１１０は、ＭＴＣサービスのダウンリンク制御情報を端末１２０に送信してよく、端末１２０は、ＭＴＣサービスのダウンリンク制御情報に従って、ＭＴＣサービスのダウンリンクデータ送信に用いられるリソースについての情報を決定してよい、及び／又は、ＭＴＣサービスのアップリンクデータ送信に用いられるリソースについての情報を示してよい。さらに、基地局１１０は、前述のステップ４０４及びステップ４０５の内容を実行してよい。基地局１１０は、ＭＴＣサービスのダウンリンクデータ送信に用いられるリソースにおいて、及び／又はＭＴＣサービスのアップリンクデータ送信に用いられるリソースにおいて、ＭＴＣ端末と共にＭＴＣサービス送信を実行する。
【００９０】
任意に、基地局１１０が、アップリンクＭＴＣリソース及び／又はダウンリンクＭＴＣリソースにおいてＭＴＣサブフレームを用いることによって、ＭＴＣ端末と共にＭＴＣサービス送信を実行することは、以下の内容を含んでよい。
【００９１】
基地局１１０は、ＭＴＣサービスアップリンク送信に用いられる拡散符号及び／又はＭＴＣサービスダウンリンク送信に用いられる拡散符号を、端末１２０に送信する。端末１２０は、ＭＴＣサービスアップリンク送信に用いられる拡散符号に従って、アップリンクＭＴＣリソースにおいて、送信周期としてＭＴＣサブフレームを用いることによって、ＭＴＣサービスのアップリンクデータを基地局に送信する、及び／又は、端末１２０は、ＭＴＣサービスダウンリンク送信に用いられる拡散符号に従って、ダウンリンクＭＴＣリソースにおいて、送信周期としてＭＴＣサブフレームを用いることによって、基地局１１０によって送信されたＭＴＣサービスのダウンリンクデータを受信する。
【００９２】
端末１２０の送受信ユニット１２２は、ＭＴＣサービスアップリンク送信に用いられる拡散符号に従って、アップリンクＭＴＣリソースにおいて、送信周期としてＭＴＣサブフレームを用いることによって、ＭＴＣサービスのアップリンクデータを基地局に送信するように構成されてよい。代わりに、端末１２０の送受信ユニット１２２は、ＭＴＣサービスダウンリンク送信に用いられる拡散符号を用いることによって、ダウンリンクＭＴＣリソースにおいて、送信周期としてＭＴＣサブフレームを用いることによって、基地局１１０によって送信されたＭＴＣサービスのダウンリンクデータを受信するように構成されてよい。端末１２０は、アップリンクＭＴＣリソースにおいて、基地局１１０のスケジューリングに従って、ＭＴＣサービスのアップリンクデータを送信してよい。
【００９３】
基地局１１０の送受信ユニット１１４は、ＭＴＣサービスアップリンク送信に用いられる拡散符号に従って、アップリンクＭＴＣリソースにおいて、送信周期としてＭＴＣサブフレームを用いることによって、端末１２０によって送信されたＭＴＣサービスのアップリンクデータを受信するように構成されてよい、又は、ＭＴＣサービスダウンリンク送信に用いられる拡散符号に従って、ダウンリンクＭＴＣリソースにおいて、送信周期としてＭＴＣサブフレームを用いることによって、ＭＴＣサービスのダウンリンクデータを端末１２０に送信するように構成されてよい。
【００９４】
拡散符号によって区別されることによって、複数の端末１２０が存在する場合、複数の端末１２０は、同じ周波数を用いることによって、ＭＴＣサービスを送信してよい。
【００９５】
本発明の本実施形態において、ＭＴＣサブフレームを用いることによってＭＴＣサービスを実装することは、異なる短遅延要件を伴うＭＴＣ適用を満たしてよい。ＭＴＣサービスは、既存の通信仕様との互換性に基づいて、リソース構成情報及びＭＴＣサービスのダウンリンク制御情報を送信することによって、完全に実装されてよい。ＭＴＣサービスは、システムを改良又はコストを節約することなく実装されてよい。
【００９６】
本発明の本実施形態において、基地局１１０は、標準サブフレームにおいて物理ダウンリンク制御チャネル（ＰＤＣＣＨ）を用いることによって、ＭＴＣサービスのリソース構成情報を端末１２０に送信してよい、標準サブフレームにおいて拡張型ＰＤＣＣＨ（ｅＰＤＣＣＨ）を用いることによって、ＭＴＣサービスのリソース構成情報を端末１２０に送信してよい、ブロードキャスト情報を用いることによって、ＭＴＣサービスのリソース構成情報を端末１２０に送信してよい、又は、無線リソース制御（ＲＲＣ）シグナリングもしくはメディアアクセス制御（ＭＡＣ）シグナリングを用いることによって、ＭＴＣサービスのリソース構成情報を端末１２０に送信してよい。同じ端末では、基地局１１０は、前述の同じ態様で、異なる送信遅延要件を満たすことができるＭＴＣサービスのリソース構成情報を当該端末に送信してよい、又は、前述の異なる態様で、ＭＴＣサービスのリソース構成情報を当該端末に送信してよい。基地局１１０は、前述の同じ態様で、ＭＴＣサービスのリソース構成情報を異なる端末に送信してもよい。基地局１１０は、前述の異なる態様で、異なるＭＴＣサービスのリソース構成情報を異なる端末に送信してもよい。
【００９７】
基地局１１０が標準サブフレームにおいてＰＤＣＣＨ又はｅＰＤＣＣＨを用いることによって、ＭＴＣサブフレームのリソース構成情報を端末に送信する態様において、端末１２０がネットワークに接続される場合、基地局１１０は、特定のＲＮＴＩを端末１２０に割り当てる。このＲＮＴＩは、第１のＲＮＴＩであってよい、又は、Ｌ−ＲＮＴＩと称される。Ｌは、特定のＲＮＴＩを区別するために用いられるシンボルであり、限定されるものではない。基地局１１０は、第１のＲＮＴＩを端末１２０に送信する。図６に示されるように、基地局１１０は、ＰＤＣＣＨにおいて、ダウンリンク制御情報を端末１２０に送信してよく、ダウンリンク制御情報は、ＭＴＣサービスのリソース構成情報を含む。代わりに、図７に示されるように、基地局１１０は、ｅＰＤＣＣＨにおいて、ダウンリンク制御情報を端末１２０に送信してよい。端末１２０は、アップリンクＭＴＣリソースについての情報及び／又はダウンリンクＭＴＣリソースについての情報を取得すべく、第１のＲＮＴＩを受信し、第１のＲＮＴＩに従って、ダウンリンク制御情報を復調し、ＭＴＣサービスのリソース構成情報を取得する。基地局１１０は、標準サブフレームにおいてＰＤＣＣＨ及びｅＰＤＣＣＨを用いることによって、適時かつフレキシブルにＭＴＣサブフレームのリソース構成情報を端末に送信してよく、遅延要件に従って、ＭＴＣサブフレームのリソース構成情報を迅速に調整してよい。基地局１１０の送受信ユニット１１４は、第１のＲＮＴＩ及びダウンリンク制御情報を端末１２０に送信するように構成されてよい。端末１２０の送受信ユニット１２２は、基地局１１０によって送信された第１のＲＮＴＩ及びダウンリンク制御情報を受信するように構成されてよい。処理ユニット１２４は、第１のＲＮＴＩに従って、ダウンリンク制御情報を復調し、ＭＴＣサブフレームの構成情報を取得するように構成されてよい。
【００９８】
図６又は図７に示される実施形態において、リソース構成情報を用いることによって示されるＭＴＣサービスのダウンリンクリソース又はＭＴＣサービスのアップリンクリソースは、標準サブフレームのリソース（周波数ドメイン及び時間ドメインを含む）に位置する。周波数ドメインは、リソースの一部を占有し、時間ドメインは、リソースの全てを占有する。図６及び図７は、本発明の実施形態として、図６及び図７に示されるものに限定されるものではない。例えば、図６又は図７に示される実施形態において、ＭＴＣサービスの示されたダウンリンクリソース又はＭＴＣサービスの示されたアップリンクリソースの周波数リソースは、標準サブフレームによって占有された周波数リソースの全てを占有してもよい、又は、ＭＴＣサービスの示されたダウンリンクリソースもしくはＭＴＣサービスの示されたアップリンクリソースの時間ドメインリソースは、標準サブフレームのリソースの一部を占有してもよい。
【００９９】
基地局１１０がブロードキャスト情報を用いることによってＭＴＣサービスのリソース構成情報を端末１２０に送信する態様において、基地局１１０は、ブロードキャストメッセージを用いることによって、ＭＴＣサービスのリソース構成情報を端末１２０に送信する。端末１２０は、受信されたブロードキャストメッセージに従って、アップリンクＭＴＣリソースについての情報及び／又はダウンリンクＭＴＣリソースについての情報を取得する。基地局１１０の送受信ユニット１１４は、ブロードキャストメッセージを用いることによって、ＭＴＣサービスのリソース構成情報を端末１２０に送信するように構成されてよい。端末１２０の送受信ユニット１２２は、基地局１１０によって、ブロードキャストメッセージを用いることによって送信されたＭＴＣサービスのリソース構成情報を、受信するように構成されてよい。ブロードキャストメッセージを用いることによってＭＴＣサービスのリソース構成情報を送信することにより、システムのシグナリングオーバヘッドが減少し得る。
【０１００】
基地局１１０がＲＲＣシグナリング又はＭＡＣシグナリングを用いることによってＭＴＣサービスのリソース構成情報を端末１２０に送信する態様において、基地局１１０は、ＲＲＣシグナリング又はＭＡＣシグナリングを送信することによって、ＭＴＣサービスのリソース構成情報を端末１２０に送信する。端末１２０は、受信されたＲＲＣシグナリング又はＭＡＣシグナリングに従って、ＭＴＣサービスのリソース構成情報を取得する。ＲＲＣシグナリングは、例えば、ＲＲＣ再構成メッセージであってよい。基地局１１０の送受信ユニット１１４は、ＲＲＣシグナリング又はＭＡＣシグナリングを用いることによって、ＭＴＣサービスのリソース構成情報を端末１２０に送信するように構成されてよい。端末１２０の送受信ユニット１２２は、基地局１１０によって、ＲＲＣシグナリング又はＭＡＣシグナリングを用いることによって送信されたＭＴＣサービスのリソース構成情報を、受信するように構成されてよい。ＲＲＣシグナリング又はＭＡＣシグナリングを用いることによってＭＴＣサービスのリソース構成情報を送信することにより、システムのシグナリングオーバヘッドが減少し得る。
【０１０１】
基地局１１０がＲＲＣシグナリング又はＭＡＣシグナリングを用いることによってＭＴＣサービスのリソース構成情報を端末１２０に送信する態様において、ＲＲＣシグナリング又はＭＡＣシグナリングは、アップリンクＭＴＣリソースの周期及び持続時間をさらに含んでよい。図４Ｂに示される実施形態において、基地局１１０が、アップリンクＭＴＣリソース及び／又はダウンリンクＭＴＣリソースにおいてＭＴＣサブフレームを用いることによって、ＭＴＣ端末と共にＭＴＣサービス送信を実行することは、以下の内容を含んでよい。
【０１０２】
端末１２０は、ダウンリンクＭＴＣリソースの周期及び持続時間に従って、ダウンリンクＭＴＣリソースにおいて、送信周期としてＭＴＣサブフレームを用いることによって、基地局１１０によって送信されたＭＴＣサービスのダウンリンクデータを受信する、及び／又は、端末１２０は、アップリンクＭＴＣリソースの周期及び持続時間に従って、アップリンクＭＴＣリソースにおいて、送信周期としてＭＴＣサブフレームを用いることによって、ＭＴＣサービスのアップリンクデータを基地局１１０に送信する。
【０１０３】
端末１２０の送受信ユニット１２２は、ダウンリンクＭＴＣリソースの周期及び持続時間に従って、ダウンリンクＭＴＣリソースにおいて、送信周期としてＭＴＣサブフレームを用いることによって、基地局１１０によって送信されたＭＴＣサービスのダウンリンクデータを受信する、及び／又は、アップリンクＭＴＣリソースの周期及び持続時間に従って、アップリンクＭＴＣリソースにおいて、送信周期としてＭＴＣサブフレームを用いることによって、ＭＴＣサービスのアップリンクデータを基地局１１０に送信するように構成されてよい。
【０１０４】
基地局１１０の送受信ユニット１１４は、ダウンリンクＭＴＣリソースの周期及び持続時間に従って、ダウンリンクＭＴＣリソースにおいて、送信周期としてＭＴＣサブフレームを用いることによって、ＭＴＣサービスのダウンリンクデータを端末１２０に送信する、及び／又は、アップリンクＭＴＣリソースの周期及び持続時間に従って、アップリンクＭＴＣリソースにおいて、送信周期としてＭＴＣサブフレームを用いることによって、端末１２０によって送信されたＭＴＣサービスのアップリンクデータを受信するように構成されてよい。ＲＲＣシグナリングもしくはＭＡＣシグナリングを用いることによって、アップリンクＭＴＣリソースの位置、周期、及び持続時間を端末１２０に直接送信すること、又は、ダウンリンクＭＴＣリソースの位置、周期、及び持続時間についての情報を送信することにより、アップリンクＭＴＣリソース又はダウンリンクＭＴＣリソースの構成の柔軟性が向上し、ＭＴＣサービス送信効率が向上し得る。
【０１０５】
図４又は図４Ｂにおいて提供される実施形態において、基地局１１０がマクロ基地局である場合、基地局１１０は、非ＭＴＣ端末との通信をさらに実行してよい。図８に示されるように、基地局１１０は、標準サブフレームを用いることによって、端末１３０との通信を実行する、すなわち、非ＭＴＣ端末との通信を実行する。基地局１１０は、ＭＴＣサブフレームを用いることによって、端末１２０との通信を実行する。基地局１１０は、同じ周波数帯において、端末１２０及び標準端末１３０との通信を実行する。図８に示されるように、基地局１１０がＭＴＣサブフレーム及び特定の周波数リソースを用いることによって端末１２０との通信を実行する場合、基地局１１０は、ＭＴＣサブフレームに対応する周期内の特定の周波数リソースを用いることなく、標準端末１３０との通信を実行する。このように、端末１２０の短遅延サービスが実装されてよく、標準端末１３０及び端末１２０は、同じ周波数帯のリソースを共有することができ、システムリソースの最大限の利用を実装する。
【０１０６】
図４又は図４Ｂにおいて提供される実施形態において、基地局１１０がマクロ基地局である場合、基地局１１０は、標準サブフレームを用いることによって、非ＭＴＣ端末１３０との通信を実行する。基地局１１０は、ＭＴＣサブフレームを用いることによって、端末１２０との通信を実行する。通信システム１０は、少なくとも１つの基地局１４０をさらに含む。基地局１４０は、スモールセルである。基地局１４０のカバレッジにおける端末１２０は、ＭＴＣ端末である。基地局１４０は、基地局１１０又は集中制御ノード１５０から、ＭＴＣサービスのリソース構成情報を要求してよい。基地局１１０又は集中制御ノード１５０は、本発明の本実施形態において提供される前述の方法に従って、基地局１４０の構成及びこれに対する送信を実行してよい。基地局１４０は、ＭＴＣサブフレームを用いることによって、基地局１４０のカバレッジにおける端末１２０との通信を実行してよい。図９に示されるように、基地局１４０は、ＭＴＣサブフレーム１において、基地局１４０のカバレッジにおける端末１２０との通信を実行してよい。基地局１１０は、ＭＴＣサブフレーム２を用いることによって、端末１２０との通信を実行する。基地局１１０が端末１３０との通信を実行する場合、基地局１４０によってＭＴＣサブフレーム１において用いられる周波数、及び基地局１１０によってＭＴＣサブフレーム２において用いられる周波数は、ＭＴＣサブフレーム１及びＭＴＣサブフレーム２に対応する時間内には使用されない。カバレッジが重複しない複数の基地局１４０が存在する場合、複数の基地局１４０は、同じ周波数リソースを用いることによって、基地局１４０のそれぞれのカバレッジにおける端末１２０との通信を実行してよい。このように、複数のＭＴＣ端末のＭＴＣサービスが実装されてよく、ＭＴＣ端末と非ＭＴＣ端末との間の干渉を回避することができる。
【０１０７】
図４又は図４Ｂにおいて提供される実施形態において、基地局１１０が、図１０に示されるようにスモールセルである場合、通信システムは、基地局１４０をさらに含む。基地局１４０は、マクロ基地局である。基地局１１０は、基地局１４０又は集中制御ノード１５０から、ＭＴＣサービスのリソース構成情報を要求してよい。基地局１４０又は集中制御ノード１５０は、本発明の本実施形態において提供される前述の方法に従って、構成及び基地局１１０への送信を実行してよい。基地局１１０は、標準サブフレームを用いることによって、非ＭＴＣ端末１３０との通信を実行し、ＭＴＣサブフレームを用いることによって、端末１２０との通信を実行する。基地局１１０は、同じ周波数帯において、端末１２０及び標準端末１３０との通信を実行する。基地局１４０は、標準サブフレームを用いることによって、非ＭＴＣ端末１３０との通信を実行してよい。基地局１１０によってＭＴＣサービスに用いられる周波数リソースは、基地局１４０が非ＭＴＣ端末１３０との通信を実行する場合には使用されない。基地局１１０によって非ＭＴＣサービスに用いられる周波数リソースは、基地局１４０によって非ＭＴＣサービスに用いられる周波数リソースと同じである。
【０１０８】
図４又は図４Ｂにおいて提供される実施形態において、基地局１１０がマクロ基地局である場合、少なくとも１つの無線リモートユニット（ＲＲＵ）は、基地局１１０のカバレッジ内に構成されてよい。図１１に示されるように、基地局１１０は、ＭＴＣサブフレームを用いることによって、端末１２０との通信を実行し、ＲＲＵのカバレッジ内のＭＴＣサブフレームを用いることによって、端末１２０との通信を実行してよく、ＲＲＵのカバレッジ内の標準サブフレームを用いることによって、非ＭＴＣ端末１３０との通信を実行してもよい。ＲＲＵのカバレッジ内において、基地局１１０がＭＴＣサブフレーム及び特定の周波数リソースを用いることによって端末１２０との通信を実行する場合、基地局１１０は、ＭＴＣサブフレームの時間セグメント内の特定の周波数リソースを用いることなく、非ＭＴＣ端末１３０との通信を実行する。ＲＲＵのカバレッジではないカバレッジ内において、基地局１１０は、標準サブフレームを用いることによって、非ＭＴＣ端末１３０との通信を実行してよく、用いられる周波数リソースは、ＲＲＵのカバレッジ内のＭＴＣサブフレームを用いることによって端末１２０に用いられる特定の周波数リソースと異なる。複数のＲＲＵが存在する場合、異なるＲＲＵのカバレッジ内において、基地局１１０は、同じ周波数リソースを用いることによって、異なるＭＴＣ端末１２０との通信を別個に実行してよく、ＭＴＣサービスを実装する。
【０１０９】
図４又は図４Ｂにおいて提供される実施形態において、ＭＴＣサービスのリソース構成情報を送信する場合、基地局１１０は、第１のキャリアを用いてよく、端末１２０は、第１のキャリアにおいて、基地局１１０によって送信されたＭＴＣサービスのリソース構成情報を受信する。ＭＴＣサービスに用いられるダウンリンクリソースは、第２のキャリアにあり、ＭＴＣサービスに用いられるアップリンクリソースは、第３のキャリアにあり、第１のキャリア、第２のキャリア、及び第３のキャリアの周波数は、互いに異なる。図１２に示されるように、基地局１１０は、第２のキャリアを用いることによって、ダウンリンクＭＴＣリソースにおいて、送信周期としてＭＴＣサブフレームを用いることによって、ＭＴＣサービスのダウンリンクデータを端末１２０に送信してよい。端末１２０は、第３のキャリアを用いることによって、アップリンクＭＴＣリソースにおいて、送信周期としてＭＴＣサブフレームを用いることによって、ＭＴＣサービスのアップリンクデータを送信してよい。
【０１１０】
本発明の本実施形態において、図８、図９、図１０、図１１、又は図１２に示されるように、標準サブフレームによって占有される周波数リソースの全ては、ＭＴＣサブフレームにおいて占有される。図８から図１２は、本発明の実施形態として、図８から図１２に示されるものに限定されるものではない。例えば、図示されるＭＴＣサブフレームの周波数リソースは、標準サブフレームによって占有される周波数リソースの一部を占有してもよい。
【０１１１】
本発明の本実施形態において、アップリンクＭＴＣリソース及び／又はダウンリンクＭＴＣリソースが構成された後で、構成されたアップリンクＭＴＣリソース及び／又はダウンリンクＭＴＣリソースは、さらに再構成されてよい。基地局は、ＰＤＣＣＨ又はｅＰＤＣＣＨを用いることによって、リソース再構成情報を端末１２０に送信してよい、又は、ブロードキャスト情報、ＲＲＣシグナリング、もしくはＭＡＣシグナリングを用いることによって、リソース再構成情報を端末１２０に送信してよい。
【０１１２】
リソース再構成情報は、端末１２０に対するＭＴＣサブフレーム送信の専用リソースを構成するために用いられてよい、又は、ＭＴＣサブフレーム送信のために公共のリソースを構成してよい。ＭＴＣサブフレーム送信の専用リソースが再構成される場合、端末１２０は、受信されたリソース再構成情報に従って、基地局によって割り当てられたアップリンクＭＴＣサブフレームのリソースを見出してよく、アップリンクＭＴＣサブフレームリソースに従って、通信を実行してよい、及び／又は、リソースを受信及び復調すべく、受信されたリソース再構成情報に従って、基地局によって送信されたダウンリンクＭＴＣサブフレームを見出してよい。ＭＴＣサブフレーム送信のための公共のリソースが再構成される場合、端末１２０は、アップリンクＭＴＣサブフレームリソースを用いることによって通信を実行すべく、リソース再構成情報によって示されるＭＴＣサブフレームリソースに従って、前に構成されたＭＴＣサブフレームリソースを置換し、ＭＴＣサブフレームのＰＤＣＣＨを復調し、割り当てられたアップリンクＭＴＣサブフレームリソースを決定してよい、及び／又は、基地局によって送信されたダウンリンクＭＴＣサブフレームを見出すべく、前に構成されたＭＴＣサブフレームリソースを、リソース再構成情報によって示されるＭＴＣサブフレームリソースと置換し、ダウンリンクＭＴＣサブフレームに用いられるリソースを見出し、次に、ダウンリンクＭＴＣサブフレームに用いられるリソースにおいて、ＭＴＣサブフレームのＰＤＣＣＨチャネルを分析してよい。
【０１１３】
本発明の本実施形態において、アップリンクＭＴＣリソース及び／又はダウンリンクＭＴＣリソースが構成された後で、又は、構成されたアップリンクＭＴＣリソース及び／又はダウンリンクＭＴＣリソースが再構成された後で、構成又は再構成されたアップリンクＭＴＣリソース及び／又はダウンリンクＭＴＣリソースは、さらに削除されてよい。リソース削除情報は、端末１２０に送信されてよい。例えば、リソース削除情報は、ＰＤＣＣＨ又はｅＰＤＣＣＨを用いることによって、端末１２０に送信されてよい、又は、リソース削除情報は、ブロードキャスト情報、ＲＲＣシグナリング、もしくはＭＡＣシグナリングを用いることによって、端末１２０に送信されてよい。リソース削除情報は、削除前の構成又は再構成されたＭＴＣサブフレームリソースの全てを示すために用いられてよい、又は、リソースの規定された特定の部分を削除することを命令するために用いられてよい。リソース削除情報を受信した後で、端末１２０は、リソース削除情報の命令に従って、対応するＭＴＣサブフレームリソースを削除する。
【０１１４】
図１３に示されるように、図１３は、プロセッサ１２１とメモリ１２２とを含む、本発明の実施形態に係る通信装置１２を示す。プロセッサ１２１は、バス１２３を用いることによって、メモリ１２２に接続される。通信装置１２は、本発明の前述の実施形態における基地局１１０であってよい、又は、本発明の前述の実施形態における端末１２０であってよい。通信装置１２が基地局１１０である場合、メモリ１２２は、以下のオペレーション、すなわち、マシンタイプ通信ＭＴＣサービスのリソース構成情報を取得するオペレーションであって、ＭＴＣサービスのリソース構成情報は、アップリンクＭＴＣリソースについての情報及びダウンリンクＭＴＣリソースについての情報を含む、オペレーションと、ＭＴＣサービスのリソース構成情報をＭＴＣ端末に送信するオペレーションと、ＭＴＣサービスのダウンリンク制御情報をＭＴＣ端末に送信するオペレーションであって、ダウンリンク制御情報は、ＭＴＣサービスのダウンリンクデータ送信に用いられるリソースについての情報を示し、ＭＴＣサービスのダウンリンクデータ送信に用いられるリソースは、ダウンリンクＭＴＣリソースに位置する、オペレーションと、ＭＴＣサービスのダウンリンクデータ送信に用いられるリソースにおいて、送信周期としてＭＴＣサブフレームを用いることによって、ＭＴＣサービスのダウンリンクデータをＭＴＣ端末に送信するオペレーションであって、ＭＴＣサブフレームに含まれるシンボルの数は、ＭＴＣサービスの送信遅延に従って構成される、オペレーションと、ＭＴＣ端末によって、アップリンクＭＴＣリソースにおいて、送信周期としてＭＴＣサブフレームを用いることによって、送信されたＭＴＣサービスのアップリンクデータを受信するオペレーションと、をプロセッサ１２１に実行させる命令を格納するように構成される。
【０１１５】
通信装置１２が基地局１１０である場合、メモリ１２２は、以下のオペレーション、すなわち、マシンタイプ通信ＭＴＣサービスのリソース構成情報を取得するオペレーションであって、ＭＴＣサービスのリソース構成情報は、アップリンクＭＴＣリソースについての情報又はダウンリンクＭＴＣリソースについての情報の少なくとも１つを含む、オペレーションと、ＭＴＣサービスのリソース構成情報をＭＴＣ端末に送信するオペレーションと、アップリンクＭＴＣリソース及び／又はダウンリンクＭＴＣリソースにおいてＭＴＣサブフレームを用いることによって、ＭＴＣ端末と共にＭＴＣサービス送信を実行するオペレーションと、をプロセッサ１２１に実行させる命令を格納するようにさらに構成される。
【０１１６】
さらに、メモリ１２２は、図１から図１２に示される実施形態における基地局１１０のオペレーションを実行させるための命令をさらに含んでよい。
【０１１７】
通信装置１２が端末１２０である場合、メモリ１２２は、以下のオペレーション、すなわち、基地局によって送信されたＭＴＣサービスのリソース構成情報を受信するオペレーションであって、ＭＴＣサービスのリソース構成情報は、アップリンクＭＴＣリソースについての情報及びダウンリンクＭＴＣリソースについての情報を含む、オペレーションと、基地局によって送信されたＭＴＣサービスのダウンリンク制御情報を、受信するオペレーションであって、ダウンリンク制御情報は、ＭＴＣサービスのダウンリンクデータ送信に用いられるリソースについての情報を示し、ＭＴＣサービスのダウンリンクデータ送信に用いられるリソースは、ダウンリンクＭＴＣリソースに位置する、オペレーションと、基地局によって、ＭＴＣサービスのダウンリンクデータ送信に用いられるリソースにおいて、送信周期としてＭＴＣサブフレームを用いることによってＭＴＣ端末に送信されたＭＴＣサービスのダウンリンクデータを、受信するオペレーションであって、ＭＴＣサブフレームに含まれるシンボルの数は、ＭＴＣサービスの送信遅延に従って構成される、オペレーションと、アップリンクＭＴＣリソースにおいて、送信周期としてＭＴＣサブフレームを用いることによって、ＭＴＣサービスのアップリンクデータを送信するオペレーションと、をプロセッサ１２１に実行させる命令を格納するように構成される。
【０１１８】
通信装置１２が端末１２０である場合、メモリ１２２は、以下のオペレーション、すなわち、基地局によって送信されたＭＴＣサービスのリソース構成情報を受信するオペレーションであって、ＭＴＣサービスのリソース構成情報は、アップリンクＭＴＣリソースについての情報又はダウンリンクＭＴＣリソースについての情報の少なくとも１つを含む、オペレーションと、ＭＴＣサービスのリソース構成情報に従って、アップリンクＭＴＣリソース及び／又はダウンリンクＭＴＣリソースを決定するオペレーションと、アップリンクＭＴＣリソース及び／又はダウンリンクＭＴＣリソースにおいてＭＴＣサブフレームを用いることによって、基地局と共にＭＴＣサービス送信を実行するオペレーションと、をプロセッサ１２１に実行させる命令を格納するように構成される。
【０１１９】
さらに、メモリ１２２は、図１から図１２に示される実施形態における端末１２０のオペレーションを実行させるための命令をさらに含んでよい。
【０１２０】
加えて、通信装置１２は、送信回路１２４、受信回路１２５、アンテナ１２６等をさらに含んでよい。プロセッサ１２１は、通信装置１２のオペレーションを制御する。プロセッサ１２１は、ＣＰＵ（中央処理装置）とも称されてよい。メモリ１２２は、リードオンリメモリ及びランダムアクセスメモリを含んでよく、命令及びデータをプロセッサ１２１に提供する。メモリ１２２の一部は、不揮発性ランダムアクセスメモリ（ＮＶＲＡＭ）をさらに含んでよい。特定の適用において、送信回路１２４及び受信回路１２５は、アンテナ１２６に結合されてよい。通信装置１２のコンポーネントは、バスシステム１２３を用いることによって、共に結合される。データバスを含むことに加えて、バスシステム１２３は、電力バス、制御バス、ステータス信号バス等をさらに含んでよい。しかしながら、説明を明確にする目的のために、図中における様々なタイプのバスは、全て、バスシステム１２３として示されている。
【０１２１】
本発明の前述の実施形態において開示される方法は、プロセッサ１２１に適用されてよい、又は、プロセッサ１２１によって実装される。プロセッサ１２１は、集積回路チップであってよく、信号処理能力を有する。実装処理において、前述された方法のステップは、プロセッサ１２１におけるハードウェアの統合ロジック回路又はソフトウェアの形の命令を用いることによって、実行されてよい。前述のプロセッサ１２１は、汎用プロセッサ、デジタル信号プロセッサ（ＤＳＰ）、特定用途向け集積回路（ＡＳＩＣ）、フィールドプログラマブルゲートアレイ（ＦＰＧＡ）、もしくは他のプログラム可能ロジックデバイス、ディスクリートゲートもしくはトランジスタロジックデバイス、又はディスクリートハードウェアコンポーネントであってよい。
【０１２２】
本発明の実施形態は、以下のステップ、すなわち、マシンタイプ通信ＭＴＣサービスのリソース構成情報を取得するステップであって、ＭＴＣサービスのリソース構成情報は、アップリンクＭＴＣリソースについての情報及びダウンリンクＭＴＣリソースについての情報を含む、ステップと、ＭＴＣサービスのリソース構成情報をＭＴＣ端末に送信するステップと、ＭＴＣサービスのダウンリンク制御情報をＭＴＣ端末に送信するステップであって、ダウンリンク制御情報は、ＭＴＣサービスのダウンリンクデータ送信に用いられるリソースについての情報を示し、ＭＴＣサービスのダウンリンクデータ送信に用いられるリソースは、ダウンリンクＭＴＣリソースに位置する、ステップと、ＭＴＣサービスのダウンリンクデータ送信に用いられるリソースにおいて、送信周期としてＭＴＣサブフレームを用いることによって、ＭＴＣサービスのダウンリンクデータをＭＴＣ端末に送信するステップであって、ＭＴＣサブフレームに含まれるシンボルの数は、ＭＴＣサービスの送信遅延に従って構成される、ステップと、ＭＴＣ端末によって、アップリンクＭＴＣリソースにおいて、送信周期としてＭＴＣサブフレームを用いることによって、送信されたＭＴＣサービスのアップリンクデータを受信するステップと、をコンピュータに実行させるために用いられるコンピュータプログラムをさらに提供する。
【０１２３】
代わりに、コンピュータプログラムは、以下のステップ、すなわち、基地局によって送信されたＭＴＣサービスのリソース構成情報を受信するステップであって、ＭＴＣサービスのリソース構成情報は、アップリンクＭＴＣリソースについての情報及びダウンリンクＭＴＣリソースについての情報を含む、ステップと、基地局によって送信されたＭＴＣサービスのダウンリンク制御情報を、受信するステップであって、ダウンリンク制御情報は、ＭＴＣサービスのダウンリンクデータ送信に用いられるリソースについての情報を示し、ＭＴＣサービスのダウンリンクデータ送信に用いられるリソースは、ダウンリンクＭＴＣリソースに位置する、ステップと、基地局によって、ＭＴＣサービスのダウンリンクデータ送信に用いられるリソースにおいて、送信周期としてＭＴＣサブフレームを用いることによってＭＴＣ端末に送信されたＭＴＣサービスのダウンリンクデータを、受信するステップであって、ＭＴＣサブフレームに含まれるシンボルの数は、ＭＴＣサービスの送信遅延に従って構成される、ステップと、アップリンクＭＴＣリソースにおいて、送信周期としてＭＴＣサブフレームを用いることによって、ＭＴＣサービスのアップリンクデータを送信するステップと、をコンピュータに実行させるために用いられる。
【０１２４】
代わりに、コンピュータプログラムは、以下のステップ、すなわち、マシンタイプ通信ＭＴＣサービスのリソース構成情報を取得するステップであって、ＭＴＣサービスのリソース構成情報は、アップリンクＭＴＣリソースについての情報又はダウンリンクＭＴＣリソースについての情報の少なくとも１つを含む、ステップと、ＭＴＣサービスのリソース構成情報をＭＴＣ端末に送信するステップと、アップリンクＭＴＣリソース及び／又はダウンリンクＭＴＣリソースにおいてＭＴＣサブフレームを用いることによって、ＭＴＣ端末と共にＭＴＣサービス送信を実行するステップと、をコンピュータに実行させるために用いられる。
【０１２５】
代わりに、コンピュータプログラムは、以下のステップ、すなわち、基地局によって送信されたＭＴＣサービスのリソース構成情報を受信するステップであって、ＭＴＣサービスのリソース構成情報は、アップリンクＭＴＣリソースについての情報又はダウンリンクＭＴＣリソースについての情報の少なくとも１つを含む、ステップと、ＭＴＣ端末によって、ＭＴＣサービスのリソース構成情報に従って、アップリンクＭＴＣリソース及び／又はダウンリンクＭＴＣリソースを決定するステップと、ＭＴＣ端末によって、アップリンクＭＴＣリソース及び／又はダウンリンクＭＴＣリソースにおいてＭＴＣサブフレームを用いることによって、基地局と共にＭＴＣサービス送信を実行するステップと、をコンピュータに実行させるために用いられる。
【０１２６】
コンピュータプログラムは、コンピュータ可読記憶媒体に格納されてよい。
【０１２７】
当業者であれば、情報及びデータは、任意の技術を用いることによって表されてよいことを理解しよう。例えば、データ、命令（、コマンド、情報、信号、ビット、シンボル、及びチップは、電圧、電流、電磁波、磁場、もしくは磁気粒子、又は光場もしくは光粒子、又はこれらの任意の組み合わせによって表されてよい。
【０１２８】
当業者であれば、本発明の実施形態において列挙される様々な例示的論理ブロック及びステップが、電子ハードウェア、コンピュータソフトウェア、又はこれらの組み合わせを用いることによって実装されてよいことをさらに理解しよう。ハードウェアとソフトウェアとの間の互換性を明確に示すために、前述の様々な例示的コンポーネント及びステップの機能が、概して説明されている。これらの機能がハードウェア又はソフトウェアのいずれを用いることによって実装されるかは、システム全体の特定の適用及び設計要件に依存する。当業者であれば、特定の適用の各々に説明された機能を実装する様々な方法を用いることがあるが、その実装が本発明における実施形態の保護範囲を越えるものとみなされるべきではない。
【０１２９】
本発明の実施形態において説明された様々な例示的論理ブロック、モジュール、及び回路は、一般的な処理ユニット、デジタル信号処理ユニット、特定用途向け集積回路（ＡＳＩＣ）、フィールドプログラマブルゲートアレイ（ＦＰＧＡ）もしくは他のプログラム可能論理装置、ディスクリートゲートもしくはトランジスタロジック、ディスクリートハードウェアコンポーネント、又はこれらの任意の組み合わせの設計を用いることによって、説明された機能を実装してよい、又はこれらを動作させてよい。一般的な処理ユニットは、マイクロ処理ユニットであってよい。任意に、一般的な処理ユニットは、任意の従来の処理ユニット、コントローラ、マイクロコントローラ、又はステートマシンであってよい。処理ユニットは、デジタル信号処理ユニット及びマイクロ処理ユニット、複数のマイクロ処理ユニット、デジタル信号処理ユニットコアを有する１つ又は複数のマイクロ処理ユニット、又は任意の他の同様の構成のような演算装置の組み合わせによって実装されてもよい。
【０１３０】
本発明の実施形態において説明された方法又はアルゴリズムのステップは、ハードウェア、処理ユニットによって実行されるソフトウェアモジュール、又はこれらの組み合わせに直接組み込まれてよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブル磁気ディスク、ＣＤ−ＲＯＭ、又は当技術分野における任意の他の形式の記憶媒体に格納されてよい。例えば、記憶媒体は、処理ユニットに接続してよく、これにより、処理ユニットは、記憶媒体から情報を読み出し、記憶媒体に情報を書き出してよい。代わりに、記憶媒体は、処理ユニットにさらに統合されてよい。処理ユニット及び記憶媒体は、ＡＳＩＣにおいて構成されてよく、ＡＳＩＣは、ユーザ端末において構成されてよい。代わりに、処理ユニット及び記憶媒体は、ユーザ端末の異なるコンポーネントにおいて構成されてもよい。
【０１３１】
１つ又は複数の設計例において、本発明の実施形態において説明された機能は、ハードウェア、ソフトウェア、ファームウェア、又はこれらの任意の組み合わせを用いることによって実装されてよい。本発明がソフトウェアによって実装される場合、これらの機能は、コンピュータ可読媒体に格納されてよい、又は、１つ又は複数の命令もしくは符号の形で、コンピュータ可読媒体に送信される。コンピュータ可読媒体は、コンピュータ記憶媒体、又は、１つの場所から他の場所にコンピュータプログラムを移動させる通信媒体のいずれかである。記憶媒体は、任意の一般的又は特別なコンピュータによってアクセスされ得る利用可能な媒体であってよい。例えば、このようなコンピュータ可読媒体は、限定されるものではないが、ＲＡＭ、ＲＯＭ、ＥＥＰＲＯＭ、ＣＤ−ＲＯＭ、もしくは他の光ディスクストレージ、ディスクストレージもしくは他の磁気ストレージ装置、又はプログラムコードを搬送もしくは格納するために利用可能な任意の他の媒体を含んでよい。ここで、プログラムコードは、命令もしくはデータ構造の形である、又は、一般的もしくは特別なコンピュータ、又は一般的もしくは特別な処理ユニットによって、読み出し可能な形成である。さらに、任意の接続は、コンピュータ可読媒体として、適宜定義されてよい。例えば、ソフトウェアが、同軸ケーブル、光ファイバケーブル、ツイストペア、デジタル加入者線（ＤＳＬ）を用いることによって、又は赤外線、無線、もしくはマイクロ波のような無線方式で、ウェブサイト、サーバ、又は他の遠隔リソースから送信される場合、ソフトウェアは、定義されたコンピュータ可読媒体に含まれる。ディスク（ｄｉｓｃ）及びディスク（ｄｉｓｋ）は、圧縮ディスク、レーザディスク、光ディスク、ＤＶＤ、フロッピ（登録商標）ディスク、及びＢｌｕｅ−ｒａｙディスクを含む。ディスク（ｄｉｓｋ）は、概して、磁気的手段によってデータをコピーし、ディスク（ｄｉｓｃ）は、概して、レーザ手段によって、データを光学的にコピーする。前述の組み合わせは、コンピュータ可読媒体に含まれてもよい。
【０１３２】
本発明における本明細書の前述の説明によれば、当技術分野の技術は、本発明の内容を利用又は実装してよい。開示された内容に基づくあらゆる変形は、当技術分野において明らかであるとみなされるものとする。本発明において説明された基本原理は、本発明の本質及び範囲から逸脱することなく、他のバリエーションに適用されてよい。従って、本発明において開示された内容は、説明された実施形態及び設計に限定されるものではないが、本発明の原理及び開示された新規な特徴と整合する最大範囲にまで拡張されてもよい。
［項目１］
通信方法であって、
基地局によって、マシンタイプ通信ＭＴＣサービスのリソース構成情報を取得する段階であって、上記ＭＴＣサービスの上記リソース構成情報は、アップリンクＭＴＣリソースについての情報又はダウンリンクＭＴＣリソースについての情報の少なくとも１つを含む、段階と、
上記基地局によって、上記ＭＴＣサービスの上記リソース構成情報をＭＴＣ端末に送信する段階と、
上記基地局によって、上記アップリンクＭＴＣリソース及び／又は上記ダウンリンクＭＴＣリソースにおいてＭＴＣサブフレームを用いることによって、上記ＭＴＣ端末と共にＭＴＣサービス送信を実行する段階と、
を備える方法。
［項目２］
上記ＭＴＣサブフレームに含まれるシンボルの数は、標準サブフレームに含まれるシンボルの数より少ない、項目１に記載の方法。
［項目３］
上記ＭＴＣサービスの上記リソース構成情報は、上記ＭＴＣサブフレームの構成情報をさらに含み、上記ＭＴＣサブフレームの上記構成情報は、上記ＭＴＣサブフレームに含まれるシンボルの数を含む、項目１又は２に記載の方法。
［項目４］
上記基地局によって、上記ＭＴＣサブフレームの上記リソース構成情報をＭＴＣ端末に送信する上記段階は、
上記基地局によって、標準サブフレームにおいてＰＤＣＣＨを用いることによって、上記ＭＴＣサブフレームの上記構成情報を上記ＭＴＣ端末に送信する段階、
上記基地局によって、上記標準サブフレームにおいて拡張型ＰＤＣＣＨを用いることによって、上記ＭＴＣサブフレームの上記構成情報を上記ＭＴＣ端末に送信する段階、
上記基地局によって、上記標準サブフレーム及びブロードキャストメッセージを用いることによって、上記ＭＴＣサブフレームの上記構成情報を上記ＭＴＣ端末に送信する段階、又は、
上記基地局によって、上記標準サブフレーム及び無線リソース制御シグナリングを用いることによって、上記ＭＴＣサブフレームの上記構成情報を上記ＭＴＣ端末に送信する段階
を含む、項目２又は３に記載の方法。
［項目５］
上記基地局は、マクロ基地局又はスモールセルであり、上記方法は、上記マクロ基地局又は上記スモールセルによって、上記標準サブフレームを用いることによって、非ＭＴＣ端末との通信を実行する段階をさらに備える、項目２から４のいずれか１項に記載の方法。
［項目６］
上記方法は、上記基地局によって、上記ＭＴＣサービスのダウンリンク制御情報を上記ＭＴＣ端末に送信する段階をさらに備え、上記ダウンリンク制御情報は、上記ＭＴＣサービスのダウンリンクデータ送信に用いられるリソースについての情報及び／又は上記ＭＴＣサービスのアップリンクデータ送信に用いられるリソースについての情報を示し、上記ＭＴＣサービスのダウンリンクデータ送信に用いられる上記リソースは、上記ダウンリンクＭＴＣリソースに位置し、上記ＭＴＣサービスの上記アップリンクデータ送信に用いられる上記リソースは、上記アップリンクＭＴＣリソースに位置する、項目１から５のいずれか１項に記載の方法。
［項目７］
上記基地局によって、上記ダウンリンクＭＴＣリソースにおいてＭＴＣサブフレームを用いることによって、上記ＭＴＣ端末と共にＭＴＣサービス送信を実行する上記段階は、上記基地局によって、上記ＭＴＣサービスのダウンリンクデータ送信に用いられる上記リソースにおいて、送信周期として上記ＭＴＣサブフレームを用いることによって、上記ＭＴＣサービスのダウンリンクデータを上記ＭＴＣ端末に送信する段階を含む、及び／又は
上記基地局によって、上記アップリンクＭＴＣリソースにおいてＭＴＣサブフレームを用いることによって、上記ＭＴＣ端末と共にＭＴＣサービス送信を実行する上記段階は、上記基地局によって、上記ＭＴＣサービスの上記アップリンクデータ送信に用いられる上記リソースにおいて、送信周期として上記ＭＴＣサブフレームを用いることによって、上記ＭＴＣ端末によって送信された上記ＭＴＣサービスの上記アップリンクデータを受信する段階を含む、
項目６に記載の方法。
［項目８］
上記基地局によって、上記アップリンクＭＴＣリソース及び／又は上記ダウンリンクＭＴＣリソースにおいてＭＴＣサブフレームを用いることによって、上記ＭＴＣ端末と共にＭＴＣサービス送信を実行する上記段階は、
上記基地局によって、ＭＴＣサービスアップリンク送信に用いられる拡散符号及び／又はＭＴＣサービスダウンリンク送信に用いられる拡散符号を、上記ＭＴＣ端末に送信する段階と、
上記基地局によって、ＭＴＣサービスダウンリンク送信に用いられる上記拡散符号に従って、上記ダウンリンクＭＴＣリソースにおいて、送信周期として上記ＭＴＣサブフレームを用いることによって、上記ＭＴＣサービスのダウンリンクデータを上記ＭＴＣ端末に送信する段階、及び／又は、上記ＭＴＣ端末によって、ＭＴＣサービスアップリンク送信に用いられる上記拡散符号に従って、上記アップリンクＭＴＣリソースにおいて、送信周期として上記ＭＴＣサブフレームを用いることによって送信された上記ＭＴＣサービスのアップリンクデータを、上記基地局によって受信する段階と、
を含む、項目１から５のいずれか１項に記載の方法。
［項目９］
上記基地局は、第１のキャリアを用いることによって、上記ＭＴＣサービスの上記リソース構成情報を上記ＭＴＣ端末に送信し、
上記基地局は、第２のキャリアを用いることによって、上記ダウンリンクＭＴＣリソースにおいて、送信周期として上記ＭＴＣサブフレームを用いることによって、上記ＭＴＣサービスのダウンリンクデータを上記ＭＴＣ端末に送信し、
上記基地局は、上記ＭＴＣ端末によって、第３のキャリアを用いることによって、上記アップリンクＭＴＣリソースにおいて、送信周期として上記ＭＴＣサブフレームを用いることによって送信された上記ＭＴＣサービスのアップリンクデータを受信する、項目１から８のいずれか１項に記載の方法。
［項目１０］
上記基地局によって、上記ＭＴＣサービスのダウンリンク制御情報を上記ＭＴＣ端末に送信する上記段階は、
上記基地局によって、上記ダウンリンクＭＴＣリソースの物理ダウンリンク制御チャネルＰＤＣＣＨにおいて、送信周期として上記ＭＴＣサブフレームを用いることによって、上記ＭＴＣサービスのダウンリンク制御情報を上記ＭＴＣ端末に送信する段階、又は、
上記基地局によって、上記標準サブフレームの上記ＰＤＣＣＨにおいて、上記ＭＴＣサービスのダウンリンク制御情報を上記ＭＴＣ端末に送信する段階
を含む、項目６又は７に記載の方法。
［項目１１］
上記ＭＴＣサブフレームに含まれるシンボルの数は、上記ＭＴＣサービスの送信遅延に従って構成される、項目１から１０のいずれか１項に記載の方法。
［項目１２］
上記方法は、ロングタームエボリューションＬＴＥシステムに適用され、
上記アップリンクＭＴＣリソースは、上記ＬＴＥシステムのリソースに位置する、及び／又は、上記ダウンリンクＭＴＣリソースは、上記ＬＴＥシステムの上記リソースに位置する、項目１から１１のいずれか１項に記載の方法。
［項目１３］
通信方法であって、
マシンタイプ通信ＭＴＣ端末によって、基地局によって送信されたＭＴＣサービスのリソース構成情報を受信する段階であって、上記ＭＴＣサービスの上記リソース構成情報は、アップリンクＭＴＣリソースについての情報又はダウンリンクＭＴＣリソースについての情報の少なくとも１つを含む、段階と、
上記ＭＴＣ端末によって、上記ＭＴＣサービスの上記リソース構成情報に従って、上記アップリンクＭＴＣリソース及び／又は上記ダウンリンクＭＴＣリソースを決定する段階と、
上記ＭＴＣ端末によって、上記アップリンクＭＴＣリソース及び／又は上記ダウンリンクＭＴＣリソースにおいてＭＴＣサブフレームを用いることによって、上記基地局と共にＭＴＣサービス送信を実行する段階と、
を備える方法。
［項目１４］
上記ＭＴＣサブフレームに含まれるシンボルの数は、標準サブフレームに含まれるシンボルの数より少ない、項目１３に記載の方法。
［項目１５］
上記ＭＴＣサービスの上記リソース構成情報は、上記ＭＴＣサブフレームの構成情報をさらに含み、上記ＭＴＣサブフレームの上記構成情報は、上記ＭＴＣサブフレームに含まれるシンボルの数を含む、項目１３又は１４に記載の方法。
［項目１６］
ＭＴＣ端末によって、基地局によって送信された上記ＭＴＣサービスのダウンリンク制御情報を受信する上記段階は、
上記基地局によって、標準サブフレームにおいてＰＤＣＣＨを用いることによって送信された上記ＭＴＣサブフレームの構成情報を、上記ＭＴＣ端末によって受信する段階、
上記基地局によって、上記標準サブフレームにおいて拡張型ＰＤＣＣＨを用いることによって送信された上記ＭＴＣサブフレームの構成情報を、上記ＭＴＣ端末によって受信する段階、
上記基地局によって、上記標準サブフレーム及びブロードキャストメッセージを用いることによって送信された上記ＭＴＣサブフレームの構成情報を、上記ＭＴＣ端末によって受信する段階、又は、
上記基地局によって、上記標準サブフレーム及び無線リソース制御シグナリングを用いることによって送信された上記ＭＴＣサブフレームの構成情報を、上記ＭＴＣ端末によって受信する段階を含む、項目１４又は１５に記載の方法。
［項目１７］
上記ＭＴＣ端末によって、上記ダウンリンクＭＴＣリソースにおいてＭＴＣサブフレームを用いることによって、上記基地局と共にＭＴＣサービス送信を実行する上記段階は、
上記ＭＴＣ端末によって、上記基地局によって送信された上記ＭＴＣサービスのダウンリンク制御情報を受信する段階であって、上記ダウンリンク制御情報は、上記ＭＴＣサービスのダウンリンクデータ送信に用いられるリソースについての情報を示し、上記ＭＴＣサービスのダウンリンクデータ送信に用いられる上記リソースは、上記ダウンリンクＭＴＣリソースに位置する、段階と、
上記基地局によって、上記ＭＴＣサービスのダウンリンクデータ送信に用いられる上記リソースにおいて、送信周期として上記ＭＴＣサブフレームを用いることによって、上記ＭＴＣ端末に送信された上記ＭＴＣサービスのダウンリンクデータを、上記ＭＴＣ端末によって受信する段階と、
を含む、項目１３から１６のいずれか１項に記載の方法。
［項目１８］
上記ＭＴＣ端末によって、上記アップリンクＭＴＣリソースにおいてＭＴＣサブフレームを用いることによって、上記基地局と共にＭＴＣサービス送信を実行する上記段階は、上記ＭＴＣ端末によって、上記アップリンクＭＴＣリソースにおいて、送信周期として上記ＭＴＣサブフレームを用いることによって、上記ＭＴＣサービスのアップリンクデータを送信する段階を含む、項目１３から１７のいずれか１項に記載の方法。
［項目１９］
上記ＭＴＣ端末によって、上記アップリンクＭＴＣリソース及び／又は上記ダウンリンクＭＴＣリソースにおいてＭＴＣサブフレームを用いることによって、上記基地局と共にＭＴＣサービス送信を実行する上記段階は、
上記ＭＴＣ端末によって、上記基地局によって送信された、ＭＴＣサービスアップリンク送信に用いられる拡散符号、及び／又は、上記基地局によって送信された、ＭＴＣサービスダウンリンク送信に用いられる拡散符号を受信する段階と、
上記ＭＴＣ端末によって、ＭＴＣサービスダウンリンク送信に用いられる上記拡散符号に従って、上記ダウンリンクＭＴＣリソースにおいて、送信周期として上記ＭＴＣサブフレームを用いることによって、上記基地局によって送信された上記ＭＴＣサービスのダウンリンクデータを受信する段階、及び／又は、上記ＭＴＣ端末によって、ＭＴＣサービスアップリンク送信に用いられる上記拡散符号に従って、上記アップリンクＭＴＣリソースにおいて、送信周期として上記ＭＴＣサブフレームを用いることによって、上記ＭＴＣサービスのアップリンクデータを上記基地局に送信する段階と、
を含む、項目１３から１６のいずれか１項に記載の方法。
［項目２０］
上記ＭＴＣ端末によって、上記基地局によって送信された上記ＭＴＣサービスのダウンリンク制御情報を受信する上記段階は、
上記基地局によって、上記ダウンリンクＭＴＣリソースの物理ダウンリンク制御チャネルＰＤＣＣＨにおいて、送信周期として上記ＭＴＣサブフレームを用いることによって送信された上記ＭＴＣサービスのダウンリンク制御情報を、上記ＭＴＣ端末によって受信する段階、又は、
上記基地局によって、標準サブフレームの上記ＰＤＣＣＨにおいて送信された上記ＭＴＣサービスのダウンリンク制御情報を、上記ＭＴＣ端末によって受信する段階
を含む、項目１７に記載の方法。
［項目２１］
上記ＭＴＣサブフレームに含まれるシンボルの数は、上記ＭＴＣサービスの送信遅延に従って構成される、項目１３から２０のいずれか１項に記載の方法。
［項目２２］
上記方法は、ロングタームエボリューションＬＴＥシステムに適用され、
上記アップリンクＭＴＣリソースは、上記ＬＴＥシステムのリソースに位置する、及び／又は、上記ダウンリンクＭＴＣリソースは、上記ＬＴＥシステムの上記リソースに位置する、項目１３から２１のいずれか１項に記載の方法。
［項目２３］
マシンタイプ通信ＭＴＣサービスのリソース構成情報を取得するように構成される処理ユニットであって、上記ＭＴＣサービスの上記リソース構成情報は、アップリンクＭＴＣリソースについての情報又はダウンリンクＭＴＣリソースについての情報の少なくとも１つを含む、処理ユニットと、
上記ＭＴＣサービスの上記リソース構成情報をＭＴＣ端末に送信し、上記アップリンクＭＴＣリソース及び／又は上記ダウンリンクＭＴＣリソースにおいてＭＴＣサブフレームを用いることによって、上記ＭＴＣ端末と共にＭＴＣサービス送信を実行するように構成される送受信ユニットと、
を備える基地局。
［項目２４］
上記ＭＴＣサブフレームに含まれるシンボルの数は、標準サブフレームに含まれるシンボルの数より少ない、項目２３に記載の基地局。
［項目２５］
上記ＭＴＣサービスの上記リソース構成情報は、上記ＭＴＣサブフレームの構成情報をさらに含み、上記ＭＴＣサブフレームの上記構成情報は、上記ＭＴＣサブフレームに含まれるシンボルの数を含む、項目２２又は２３に記載の基地局。
［項目２６］
上記送受信ユニットは、標準サブフレームにおいてＰＤＣＣＨを用いることによって、上記ＭＴＣサブフレームの上記構成情報を上記ＭＴＣ端末に送信するように構成される、
上記送受信ユニットは、上記標準サブフレームにおいて拡張型ＰＤＣＣＨを用いることによって、上記ＭＴＣサブフレームの上記構成情報を上記ＭＴＣ端末に送信するように構成される、
上記送受信ユニットは、上記標準サブフレーム及びブロードキャストメッセージを用いることによって、上記ＭＴＣサブフレームの上記構成情報を上記ＭＴＣ端末に送信するように構成される、又は、
上記送受信ユニットは、上記標準サブフレーム及び無線リソース制御シグナリングを用いることによって、上記ＭＴＣサブフレームの上記構成情報を上記ＭＴＣ端末に送信するように構成される、
項目２４又は２５に記載の基地局。
［項目２７］
上記基地局は、マクロ基地局又はスモールセルであり、上記送受信ユニットは、標準サブフレームを用いることによって、非ＭＴＣ端末との通信を実行するようにさらに構成される、項目２４から２６のいずれか１項に記載の基地局。
［項目２８］
上記送受信ユニットは、上記ＭＴＣサービスのダウンリンク制御情報を上記ＭＴＣ端末に送信するようにさらに構成され、上記ダウンリンク制御情報は、上記ＭＴＣサービスのダウンリンクデータ送信に用いられるリソースについての情報を示し、上記ＭＴＣサービスのダウンリンクデータ送信に用いられる上記リソースは、上記ダウンリンクＭＴＣリソースに位置し、
上記送受信ユニットは、上記ＭＴＣサービスのダウンリンクデータ送信に用いられる上記リソースにおいて、送信周期として上記ＭＴＣサブフレームを用いることによって、上記ＭＴＣサービスのダウンリンクデータを上記ＭＴＣ端末に送信するようにさらに構成される、
項目２３から２７のいずれか１項に記載の基地局。
［項目２９］
上記送受信ユニットは、上記ＭＴＣ端末によって、上記アップリンクＭＴＣリソースにおいて、送信周期として上記ＭＴＣサブフレームを用いることによって送信された上記ＭＴＣサービスのアップリンクデータを受信するようにさらに構成される、項目２３から２８のいずれか１項に記載の基地局。
［項目３０］
上記送受信ユニットは、ＭＴＣサービスアップリンク送信に用いられる拡散符号及び／又はＭＴＣサービスダウンリンク送信に用いられる拡散符号を、上記ＭＴＣ端末に送信するようにさらに構成され、
上記送受信ユニットは、ＭＴＣサービスダウンリンク送信に用いられる上記拡散符号に従って、上記ダウンリンクＭＴＣリソースにおいて、送信周期として上記ＭＴＣサブフレームを用いることによって、上記ＭＴＣサービスのダウンリンクデータを上記ＭＴＣ端末に送信する、及び／又は、上記ＭＴＣ端末によって、ＭＴＣサービスアップリンク送信に用いられる上記拡散符号に従って、上記アップリンクＭＴＣリソースにおいて、送信周期として上記ＭＴＣサブフレームを用いることによって送信された上記ＭＴＣサービスのアップリンクデータを受信するようにさらに構成される、
項目２３から２７のいずれか１項に記載の基地局。
［項目３１］
上記送受信ユニットは、第１のキャリアを用いることによって、上記ＭＴＣサービスの上記リソース構成情報を上記ＭＴＣ端末に送信し、上記ダウンリンクＭＴＣリソースにおいて、送信周期として上記ＭＴＣサブフレームを用いることによって、上記ＭＴＣサービスのダウンリンクデータを上記ＭＴＣ端末に送信し、上記ＭＴＣ端末によって、第３のキャリアを用いることによって、上記アップリンクＭＴＣリソースにおいて、送信周期として上記ＭＴＣサブフレームを用いることによって送信された上記ＭＴＣサービスの上記アップリンクデータを受信するように構成される、項目２３から３０のいずれか１項に記載の基地局。
［項目３２］
上記送受信ユニットは、上記ダウンリンクＭＴＣリソースの物理ダウンリンク制御チャネルＰＤＣＣＨにおいて、送信周期として上記ＭＴＣサブフレームを用いることによって、上記ＭＴＣサービスのダウンリンク制御情報を上記ＭＴＣ端末に送信するように構成される、又は、
上記送受信ユニットは、標準サブフレームの上記ＰＤＣＣＨにおいて、上記ＭＴＣサービスのダウンリンク制御情報を上記ＭＴＣ端末に送信するように構成される、
項目２８又は２９に記載の基地局。
［項目３３］
上記ＭＴＣサブフレームに含まれるシンボルの数は、上記ＭＴＣサービスの送信遅延に従って構成される、項目２３から３２のいずれか１項に記載の基地局。
［項目３４］
上記基地局は、ロングタームエボリューションＬＴＥシステムに適用され、
上記アップリンクＭＴＣリソースは、上記ＬＴＥシステムのリソースに位置する、及び／又は、上記ダウンリンクＭＴＣリソースは、上記ＬＴＥシステムの上記リソースに位置する、
項目２３から３３のいずれか１項に記載の基地局。
［項目３５］
マシンタイプ通信ＭＴＣ端末であって、
基地局によって送信されたＭＴＣサービスのリソース構成情報を受信するように構成される送受信ユニットであって、上記ＭＴＣサービスの上記リソース構成情報は、アップリンクＭＴＣリソースについての情報又はダウンリンクＭＴＣリソースについての情報の少なくとも１つを含む、送受信ユニットと、
上記ＭＴＣサービスの上記リソース構成情報に従って、上記アップリンクＭＴＣリソース及び／又は上記ダウンリンクＭＴＣリソースを決定するように構成される処理ユニットと、
を備え、
上記送受信ユニットは、上記アップリンクＭＴＣリソース及び／又は上記ダウンリンクＭＴＣリソースにおいてＭＴＣサブフレームを用いることによって、上記基地局と共にＭＴＣサービス送信を実行するようにさらに構成される、ＭＴＣ端末。
［項目３６］
上記ＭＴＣサブフレームに含まれるシンボルの数は、標準サブフレームに含まれるシンボルの数より少ない、項目３５に記載のＭＴＣ端末。
［項目３７］
上記ＭＴＣサービスの上記リソース構成情報は、上記ＭＴＣサブフレームの構成情報をさらに含み、上記ＭＴＣサブフレームの上記構成情報は、上記ＭＴＣサブフレームに含まれるシンボルの数を含む、項目３５又は３６に記載のＭＴＣ端末。
［項目３８］
上記送受信ユニットは、上記基地局によって、標準サブフレームにおいてＰＤＣＣＨを用いることによって送信された上記ＭＴＣサブフレームの構成情報を受信するように構成される、
上記送受信ユニットは、上記基地局によって、上記標準サブフレームにおいて拡張型ＰＤＣＣＨを用いることによって送信された上記ＭＴＣサブフレームの構成情報を受信するように構成される、
上記送受信ユニットは、上記基地局によって、上記標準サブフレーム及びブロードキャストメッセージを用いることによって送信された上記ＭＴＣサブフレームの構成情報を受信するように構成される、又は、
上記送受信ユニットは、上記基地局によって、上記標準サブフレーム及び無線リソース制御シグナリングを用いることによって送信された上記ＭＴＣサブフレームの構成情報を受信するように構成される、
項目３６又は３７に記載のＭＴＣ端末。
［項目３９］
上記送受信ユニットは、上記基地局によって送信された上記ＭＴＣサービスのダウンリンク制御情報を受信するようにさらに構成され、上記ダウンリンク制御情報は、上記ＭＴＣサービスのダウンリンクデータ送信に用いられるリソースについての情報を示し、上記ＭＴＣサービスのダウンリンクデータ送信に用いられる上記リソースは、上記ダウンリンクＭＴＣリソースに位置し、
上記送受信ユニットは、上記基地局によって、上記ＭＴＣサービスのダウンリンクデータ送信に用いられる上記リソースにおいて、送信周期として上記ＭＴＣサブフレームを用いることによって、上記ＭＴＣ端末に送信された上記ＭＴＣサービスのダウンリンクデータを受信するようにさらに構成される、
項目３５から３８のいずれか１項に記載のＭＴＣ端末。
［項目４０］
上記送受信ユニットは、上記アップリンクＭＴＣリソースにおいて、送信周期として上記ＭＴＣサブフレームを用いることによって、上記ＭＴＣサービスのアップリンクデータを送信するようにさらに構成される、項目３５から３９のいずれか１項に記載の基地局。
［項目４１］
上記送受信ユニットは、上記基地局によって送信された、ＭＴＣサービスアップリンク送信に用いられる拡散符号及び／又は上記基地局によって送信された、ＭＴＣサービスダウンリンク送信に用いられる拡散符号を受信するようにさらに構成され、
上記送受信ユニットは、ＭＴＣサービスダウンリンク送信に用いられる上記拡散符号に従って、上記ダウンリンクＭＴＣリソースにおいて、送信周期として上記ＭＴＣサブフレームを用いることによって、上記基地局によって送信された上記ＭＴＣサービスのダウンリンクデータを受信する、及び／又は、ＭＴＣサービスアップリンク送信に用いられる上記拡散符号に従って、上記アップリンクＭＴＣリソースにおいて、送信周期として上記ＭＴＣサブフレームを用いることによって、上記ＭＴＣサービスのアップリンクデータを上記基地局に送信するようにさらに構成される、項目３５から３８のいずれか１項に記載のＭＴＣ端末。
［項目４２］
上記送受信ユニットは、上記基地局によって、上記ダウンリンクＭＴＣリソースの物理ダウンリンク制御チャネルＰＤＣＣＨにおいて、送信周期として上記ＭＴＣサブフレームを用いることによって送信された上記ＭＴＣサービスのダウンリンク制御情報を受信するように構成される、又は、
上記送受信ユニットは、上記基地局によって、標準サブフレームの上記ＰＤＣＣＨにおいて送信された上記ＭＴＣサービスのダウンリンク制御情報を受信するように構成される、
項目３９に記載のＭＴＣ端末。
［項目４３］
上記ＭＴＣサブフレームに含まれるシンボルの数は、上記ＭＴＣサービスの送信遅延に従って構成される、項目３５から４２のいずれか１項に記載のＭＴＣ端末。
［項目４４］
上記ＭＴＣ端末は、ロングタームエボリューションＬＴＥシステムに適用され、
上記アップリンクＭＴＣリソースは、上記ＬＴＥシステムのリソースに位置する、及び／又は、上記ダウンリンクＭＴＣリソースは、上記ＬＴＥシステムの上記リソースに位置する、
項目３５から４３のいずれか１項に記載のＭＴＣ端末。
［項目４５］
項目２３から３４のいずれか１項に記載の基地局と、
項目３５から４４のいずれか１項に記載のＭＴＣ端末と、
を備える通信システム。
【国際調査報告】
2018500840.tif 000017
2018500840.tif 000018
2018500840.tif 000019
2018500840.tif 000020